(57)【特許請求の範囲】
【請求項１】
複数の穴が一列に開けられた用紙を、線材が螺旋状に巻かれた綴じ部品で綴じる製本装置において、
画像形成装置で処理された用紙を搬送する用紙搬送路と、
前記用紙搬送路で搬送される用紙の端部に、複数の穴を一列に開ける穴開け部と、
前記穴開け部で穴が開けられた用紙を複数枚重ねて整列させる用紙整列部と、
前記綴じ部品を円周方向に回転させながら当該綴じ部品の軸方向に搬送し、前記用紙整列部で整列された用紙を綴じる綴じ機構と、
複数の前記綴じ部品を収納する綴じ部品収納部と、
前記綴じ部品収納部から供給される前記綴じ部品を前記綴じ機構に搬送する綴じ部品搬送路と、
前記綴じ部品で綴じられた冊子を排出する冊子排出部を備え、
前記綴じ部品搬送路は、前記用紙整列部で整列された用紙における前記綴じ機構で前記綴じ部品の挿入が開始される側の端部に対し、当該端部から前記綴じ部品の１本分の長さより短い位置に、前記綴じ部品を軸方向に対して湾曲させて搬送する曲線搬送路を構成する
ことを特徴とする製本装置。
【請求項２】
前記曲線搬送路は、前記綴じ部品収納部から供給される綴じ部品の送出方向と、前記綴じ機構における綴じ部品の導入方向とが反対向きとなるよう構成されている
ことを特徴とする請求項１に記載の製本装置。
【請求項３】
前記綴じ部品収納部は、前記綴じ部品を、当該綴じ部品の軸方向に対して直交する方向に並列して複数保持する保持シートが収納され、
前記保持シートから前記綴じ部品を分離する綴じ部品分離部を備えた
ことを特徴とする請求項１または請求項２に記載の製本装置。
【請求項４】
前記綴じ部品を保持する前記保持シートが収納される前記綴じ部品収納部を複数備え、それぞれの前記綴じ部品収納部に対して、独立して前記保持シートの着脱が可能に構成される
ことを特徴とする請求項３に記載の製本装置。
【請求項５】
前記綴じ部品収納部は、前記綴じ部品を保持する保持シートが複数枚収納される
ことを特徴とする請求項３に記載の製本装置。
【請求項６】
複数の穴が一列に開けられた用紙を、線材が螺旋状に巻かれた綴じ部品で綴じる製本装置において、
前記用紙を複数枚重ねて整列させる用紙整列部と、
前記綴じ部品を複数収納する綴じ部品収納部と、
前記用紙整列部で整列された用紙を、前記綴じ部品を円周方向に回転させながら当該綴じ部品の軸方向に搬送して綴じる綴じ機構と、
前記綴じ部品収納部から供給される前記綴じ部品を、前記綴じ機構に搬送する綴じ部品搬送路とを備え、
前記綴じ部品搬送路は、前記用紙整列部で整列された用紙における前記綴じ機構で前記綴じ部品の挿入が開始される側の端部に対し、当該端部から前記綴じ部品の１本分の長さより短い位置に、前記綴じ部品を軸方向に対して湾曲させて搬送する曲線搬送路を構成することを特徴とする製本装置。
【発明の詳細な説明】
【技術分野】
【０００１】
本発明は、穴があけられた複数枚の用紙を綴じ部品で綴じて冊子と成す製本装置に関する。
【背景技術】
【０００２】
複数枚の用紙を綴じる綴じ具として、樹脂、金属等の線材をらせん状に巻いたコイルと称す綴じ部品が提案されている。このようなコイルを使用した製本は、用紙に開けられた穴に、用紙の側面側から手作業でコイルを挿入していた。
【０００３】
これに対し、用紙載置台と、コイルを円周方向に回転させながら軸方向に沿って搬送し、用紙載置台に載置された用紙の穴にコイルを挿入するコイル挿入機構を備えた製本装置が提案されている。
【０００４】
例えば、用紙載置台と、１本のコイルが載置されるコイル載置台と、コイル載置台に載置されたコイルを、円周方向に回転させながら軸方向に沿って搬送して、用紙載置台に載置された用紙の側面側からコイルを挿入するコイル搬送機構と、コイルで綴じられた用紙を排出する排出機構を備えた製本装置が提案されている（例えば、特許文献１参照）。
【０００５】
従来の製本装置では、用紙載置台に載置された用紙に対して、用紙の側方からコイルを軸方向に沿って搬送するため、コイル載置台が装置本体の側方に突出する形態である。
【０００６】
また、排出機構を備えず小型化を図った製本装置では、コイル載置台を独立した部品とした技術が提案されている（例えば、特許文献２参照）。
【０００７】
一方、装置本体の大きさを、コイルの搬送方向に沿って大型化し、コイル載置台を装置本体に収めた製本装置が提案されている（例えば、特許文献３参照）。
【０００８】
また、コイルの載置方向を、装置本体の前側からとするため、コイルの搬送経路を曲げるコイル搬送路を備えた製本装置が提案されている（例えば、特許文献４参照）。
【０００９】
更に、長尺状のコイルを用紙の幅に合わせて切断する製本装置でも、コイルの搬送経路を曲げるコイル搬送路を備えた技術が提案されている（例えば、特許文献５参照）。
【００１０】
上述したいずれの製本装置も、用紙載置台への用紙の載置、及び、コイル載置台へのコイルの載置は人手で行われるので、連続した製本作業が行えない。
【００１１】
また、綴じ部品として、環状となる複数のリング部が背部で連結され、リング部が開閉可能となるように、複数に分割されたリング部が可撓性を有したヒンジ部で連結された綴じ部品が提案されている。
【００１２】
このような綴じ部品を使用することで、画像形成装置等に接続して使用される製本装置が提案されている。例えば、上述した綴じ部品を繰り出し可能に複数収納する綴じ部品収納部と、画像形成装置等から給紙された用紙に穴をあけて整列させる用紙整列機構と、綴じ部品収納部から綴じ部品を繰り出し、用紙整列機構で整列させた用紙を綴じ部品で綴じる綴じ機構を備えた製本装置が提案されている（例えば、特許文献６参照）。
【００１３】
また、可撓性を有して開閉可能な環状のリングを有した綴じ部品を繰り出し可能に複数収納する綴じ部品収納部と、画像形成装置等から給紙された用紙に穴をあけて整列させる用紙整列機構と、綴じ部品収納部から綴じ部品を繰り出し、用紙整列機構で整列させた用紙を綴じ部品で綴じる綴じ機構を備えた製本装置が提案されている（例えば、特許文献７参照）。
【００１４】
一方、複数本のコイルをシートで保持して供給する技術が提案されている。例えば、らせん状のコイルが１巻分ずつ挿入可能な開口が、コイルのピッチに合わせて設けられた開口を備え、コイルの径方向の略中心位置をシートで保持する技術が提案されている（例えば、特許文献８参照）。
【００１５】
特許文献８では、シートに保持されたコイルにおいて、シートの裏面側から突出した部位をシートの裏面側から押して、コイルをシートから分離する技術が開示されている。
【００１６】
また、複数本のコイルをシートの表面に接着剤等で貼着して供給する技術が提案されている（例えば、特許文献９参照）。
【００１７】
更に、複数本のコイルをカートリッジに収納して供給する技術、及び、カートリッジからコイルを繰り出す技術が提案されている（例えば、特許文献１０参照）。
【００１８】
また、特許文献１０に開示されたカートリッジが装着され、カートリッジから供給されたコイルで用紙を綴じる製本装置が提案されている（例えば、特許文献１１参照）。
【先行技術文献】
【特許文献】
【００１９】
【特許文献１】米国特許第６５２７０１６号公報
【特許文献２】米国特許第５６９５３０８号公報
【特許文献３】米国特許第５８９０８６２号公報
【特許文献４】米国特許第５９３４３４０号公報
【特許文献５】米国特許第２１６６５１９号公報
【特許文献６】特許第４３００９８４号公報
【特許文献７】特開２０１３−２２０５４８号公報
【特許文献８】米国特許第５９５５１８３号公報
【特許文献９】米国特許第５５８４６３３号公報
【特許文献１０】米国特許第５６６９７４７号公報
【特許文献１１】米国特許第５７８５４７９号公報
【発明の概要】
【発明が解決しようとする課題】
【００２０】
綴じ部品として線材がらせん状に巻かれたコイルを使用する製本装置では、コイルを円周方向に回転させながら、用紙に開けられた穴の並ぶ方向に沿ってコイルを軸方向に搬送して用紙の穴に挿入するため、穴の並ぶ方向に対し用紙の一方の側方に、綴じ対象の用紙に合わせた長さのコイル１本分の全長に相当する空間が必要となる。
【００２１】
特許文献１等に記載されているように、コイル載置台が装置本体から突出する構成では、広い作業スペースが必要となる。また、特許文献３に記載されているように、コイル載置台を装置本体に収めた構成では、装置が大型化する。
【００２２】
コイルをシートで保持して供給する構成でも、シートから分離されたコイルを載置するコイル載置台が、装置本体の側方に必要である。また、コイルをカートリッジで供給する構成でも、カートリッジを装置本体の側方に装着する必要がある。
【００２３】
特許文献６では、連続した製本作業が可能であるが、可動部を有した綴じ部品を使用するため、綴じ部品のコストが高い。また、綴じ部品を閉じる機構が必要である。
【００２４】
特許文献７でも、連続した製本作業が可能であるが、綴じ部品を開閉する機構が必要である。
【００２５】
本発明は、このような課題を解決するためになされたもので、線材が螺旋状に巻かれた綴じ部品を使用して、連続した製本処理が可能とした製本装置を提供することを目的とする。
【課題を解決するための手段】
【００２６】
上述した課題を解決するため、本発明は、複数の穴が一列に開けられた用紙を、線材が螺旋状に巻かれた綴じ部品で綴じる製本装置において、画像形成装置で処理された用紙を搬送する用紙搬送路と、用紙搬送路で搬送される用紙の端部に、複数の穴を一列に開ける穴開け部と、穴開け部で穴が開けられた用紙を複数枚重ねて整列させる用紙整列部と、綴じ部品を円周方向に回転させながら当該綴じ部品の軸方向に搬送し、用紙整列部で整列された用紙を綴じる綴じ機構と、複数の綴じ部品を収納する綴じ部品収納部と、綴じ部品収納部から供給される綴じ部品を綴じ機構に搬送する綴じ部品搬送路と、綴じ部品で綴じられた冊子を排出する冊子排出部を備え、綴じ部品搬送路は、用紙整列部で整列された用紙における綴じ機構で綴じ部品の挿入が開始される側の端部に対し、当該端部から綴じ部品の１本分の長さより短い位置に、綴じ部品を軸方向に対して湾曲させて搬送する曲線搬送路を構成する製本装置である。
【００２７】
また、本発明は、複数の穴が一列に開けられた用紙を、線材が螺旋状に巻かれた綴じ部品で綴じる製本装置において、用紙を複数枚重ねて整列させる用紙整列部と、綴じ部品を複数収納する綴じ部品収納部と、用紙整列部で整列された用紙を、綴じ部品を円周方向に回転させながら当該綴じ部品の軸方向に搬送して綴じる綴じ機構と、綴じ部品収納部から供給される綴じ部品を、綴じ機構に搬送する綴じ部品搬送路とを備え、綴じ部品搬送路は、用紙整列部で整列された用紙における綴じ機構で綴じ部品の挿入が開始される側の端部に対し、当該端部から綴じ部品の１本分の長さより短い位置に、綴じ部品を軸方向に対して湾曲させて搬送する曲線搬送路を構成する製本装置である。
【発明の効果】
【００２８】
本発明では、用紙を搬送する処理、用紙に穴を開ける処理、穴が開けられた複数枚の用紙を整列させる処理、綴じ部品を供給する処理、整列された用紙を綴じ部品で綴じる処理を行うことができるので、線材が螺旋状に巻かれた綴じ部品を使用して、連続した製本処理が可能である。
【００２９】
また、用紙整列部で整列された用紙における綴じ機構で綴じ部品の挿入が開始される側の端部に対し、当該端部から綴じ部品の１本分の長さより短い位置に、綴じ部品を軸方向に対して湾曲させて搬送する曲線搬送経路を備えたことで、穴の並ぶ方向に沿った用紙の一方の側方に、綴じ対象の用紙に合わせた長さの綴じ部品１本分の全長に相当する空間を設ける必要がなく、装置の小型化が可能である。
【図面の簡単な説明】
【００３０】
【図１】第１の実施の形態のコイル保持シートの一例を示す正面図である。
【図２】第１の実施の形態のコイル保持シートの要部構成を示す正面図である。
【図３】コイルを保持した第１の実施の形態のコイル保持シートの正面図である。
【図４】コイルを保持した第１の実施の形態のコイル保持シートの背面図である。
【図５】コイルを保持した第１の実施の形態のコイル保持シートの側面図である。
【図６】コイルを保持した第１の実施の形態のコイル保持シートの上面図である。
【図７】コイルを保持した第１の実施の形態のコイル保持シートの斜視図である。
【図８】コイルを保持した第１の実施の形態のコイル保持シートの要部構成を示す側面図である。
【図９】コイルを保持した第１の実施の形態のコイル保持シートの要部構成を示す側面図である。
【図１０】コイル保持シートで保持されるコイルの一例を示す正面図である。
【図１１】第１の実施の形態のコイル保持シートの変形例を示す正面図である。
【図１２】コイルを保持した第１の実施の形態の変形例のコイル保持シートの正面図である。
【図１３】コイルを保持した第１の実施の形態の変形例のコイル保持シートの背面図である。
【図１４】コイルを保持した第１の実施の形態の変形例のコイル保持シートの側面図である。
【図１５】コイルを保持した第１の実施の形態の変形例のコイル保持シートの上面図である。
【図１６】コイルを保持した第１の実施の形態の変形例のコイル保持シートの斜視図である。
【図１７】第１の実施の形態のコイル保持シートの他の変形例を示す正面図である。
【図１８】コイルを保持した第１の実施の形態の他の変形例のコイル保持シートの正面図である。
【図１９】コイルを保持した第１の実施の形態の他の変形例のコイル保持シートの背面図である。
【図２０】コイルを保持した第１の実施の形態の他の変形例のコイル保持シートの側面図である。
【図２１】コイルを保持した第１の実施の形態の他の変形例のコイル保持シートの上面図である。
【図２２】コイルを保持した第１の実施の形態の他の変形例のコイル保持シートの斜視図である。
【図２３】第１の実施の形態のコイル保持シートの他の変形例を示す正面図である。
【図２４】コイルを保持した第１の実施の形態の他の変形例のコイル保持シートの正面図である。
【図２５】コイルを保持した第１の実施の形態の他の変形例のコイル保持シートの背面図である。
【図２６】コイルを保持した第１の実施の形態の他の変形例のコイル保持シートの側面図である。
【図２７】コイルを保持した第１の実施の形態の他の変形例のコイル保持シートの上面図である。
【図２８】コイルを保持した第１の実施の形態の他の変形例のコイル保持シートの斜視図である。
【図２９】第１の実施の形態のコイル保持シートの他の変形例を示す正面図である。
【図３０】コイルを保持した第１の実施の形態の他の変形例のコイル保持シートの正面図である。
【図３１】コイルを保持した第１の実施の形態の他の変形例のコイル保持シートの背面図である。
【図３２】コイルを保持した第１の実施の形態の他の変形例のコイル保持シートの側面図である。
【図３３】コイルを保持した第１の実施の形態の他の変形例のコイル保持シートの上面図である。
【図３４】コイルを保持した第１の実施の形態の他の変形例のコイル保持シートの斜視図である。
【図３５】第２の実施の形態のコイル保持シートの一例を示す正面図である。
【図３６】第２の実施の形態のコイル保持シートの要部構成を示す正面図である。
【図３７】コイルを保持した第２の実施の形態のコイル保持シートの正面図である。
【図３８】コイルを保持した第２の実施の形態のコイル保持シートの背面図である。
【図３９】コイルを保持した第２の実施の形態のコイル保持シートの側面図である。
【図４０】コイルを保持した第２の実施の形態のコイル保持シートの上面図である。
【図４１】コイルを保持した第２の実施の形態のコイル保持シートの斜視図である。
【図４２】第２の実施の形態のコイル保持シートの変形例を示す正面図である。
【図４３】コイルを保持した第２の実施の形態の変形例のコイル保持シートの正面図である。
【図４４】コイルを保持した第２の実施の形態の変形例のコイル保持シートの背面図である。
【図４５】コイルを保持した第２の実施の形態の変形例のコイル保持シートの側面図である。
【図４６】コイルを保持した第２の実施の形態の変形例のコイル保持シートの上面図である。
【図４７】コイルを保持した第２の実施の形態の変形例のコイル保持シートの斜視図である。
【図４８】第２の実施の形態のコイル保持シートの他の変形例を示す正面図である。
【図４９】コイルを保持した第２の実施の形態の他の変形例のコイル保持シートの正面図である。
【図５０】コイルを保持した第２の実施の形態の他の変形例のコイル保持シートの背面図である。
【図５１】コイルを保持した第２の実施の形態の他の変形例のコイル保持シートの側面図である。
【図５２】コイルを保持した第２の実施の形態の他の変形例のコイル保持シートの上面図である。
【図５３】コイルを保持した第２の実施の形態の他の変形例のコイル保持シートの斜視図である。
【図５４】第２の実施の形態のコイル保持シートの他の変形例を示す正面図である。
【図５５】コイルを保持した第２の実施の形態の他の変形例のコイル保持シートの正面図である。
【図５６】コイルを保持した第２の実施の形態の他の変形例のコイル保持シートの背面図である。
【図５７】コイルを保持した第２の実施の形態の他の変形例のコイル保持シートの側面図である。
【図５８】コイルを保持した第２の実施の形態の他の変形例のコイル保持シートの上面図である。
【図５９】コイルを保持した第２の実施の形態の他の変形例のコイル保持シートの斜視図である。
【図６０】第３の実施の形態のコイル保持シートの一例を示す正面図である。
【図６１】第３の実施の形態のコイル保持シートの要部構成を示す正面図である。
【図６２】コイルを保持した第３の実施の形態のコイル保持シートの正面図である。
【図６３】コイルを保持した第３の実施の形態のコイル保持シートの背面図である。
【図６４】コイルを保持した第３の実施の形態のコイル保持シートの側面図である。
【図６５】コイルを保持した第３の実施の形態のコイル保持シートの上面図である。
【図６６】コイルを保持した第３の実施の形態のコイル保持シートの斜視図である。
【図６７】第３の実施の形態のコイル保持シートの変形例を示す正面図である。
【図６８】コイルを保持した第３の実施の形態の変形例のコイル保持シートの正面図である。
【図６９】コイルを保持した第３の実施の形態の変形例のコイル保持シートの背面図である。
【図７０】コイルを保持した第３の実施の形態の変形例のコイル保持シートの側面図である。
【図７１】コイルを保持した第３の実施の形態の変形例のコイル保持シートの上面図である。
【図７２】コイルを保持した第３の実施の形態の変形例のコイル保持シートの斜視図である。
【図７３】第３の実施の形態のコイル保持シートの他の変形例を示す正面図である。
【図７４】コイルを保持した第３の実施の形態の他の変形例のコイル保持シートの正面図である。
【図７５】コイルを保持した第３の実施の形態の他の変形例のコイル保持シートの背面図である。
【図７６】コイルを保持した第３の実施の形態の他の変形例のコイル保持シートの側面図である。
【図７７】コイルを保持した第３の実施の形態の他の変形例のコイル保持シートの上面図である。
【図７８】コイルを保持した第３の実施の形態の他の変形例のコイル保持シートの斜視図である。
【図７９】第３の実施の形態のコイル保持シートの他の変形例を示す正面図である。
【図８０】コイルを保持した第３の実施の形態の他の変形例のコイル保持シートの正面図である。
【図８１】コイルを保持した第３の実施の形態の他の変形例のコイル保持シートの背面図である。
【図８２】コイルを保持した第３の実施の形態の他の変形例のコイル保持シートの側面図である。
【図８３】コイルを保持した第３の実施の形態の他の変形例のコイル保持シートの上面図である。
【図８４】コイルを保持した第３の実施の形態の他の変形例のコイル保持シートの斜視図である。
【図８５】第４の実施の形態のコイル保持シートの一例を示す正面図である。
【図８６】コイルを保持した第４の実施の形態のコイル保持シートの正面図である。
【図８７】コイルを保持した第４の実施の形態のコイル保持シートの背面図である。
【図８８】コイルを保持した第４の実施の形態のコイル保持シートの側面図である。
【図８９】コイルを保持した第４の実施の形態のコイル保持シートの上面図である。
【図９０】コイルを保持した第４の実施の形態のコイル保持シートの斜視図である。
【図９１】第５の実施の形態のコイル保持シートの一例を示す正面図である。
【図９２】コイルを保持した第５の実施の形態のコイル保持シートの正面図である。
【図９３】コイルを保持した第５の実施の形態のコイル保持シートの背面図である。
【図９４】コイルを保持した第５の実施の形態のコイル保持シートの側面図である。
【図９５】コイルを保持した第５の実施の形態のコイル保持シートの上面図である。
【図９６】コイルを保持した第５の実施の形態のコイル保持シートの斜視図である。
【図９７】第６の実施の形態のコイル保持シートの一例を示す正面図である。
【図９８】コイルを保持した第６の実施の形態のコイル保持シートの正面図である。
【図９９】コイルを保持した第６の実施の形態のコイル保持シートの背面図である。
【図１００】コイルを保持した第６の実施の形態のコイル保持シートの側面図である。
【図１０１】コイルを保持した第６の実施の形態のコイル保持シートの上面図である。
【図１０２】コイルを保持した第６の実施の形態のコイル保持シートの斜視図である。
【図１０３】コイル径の違いに応じたコイル保持シートの一例を示す平面図である。
【図１０４】コイル径の違いに応じたコイル保持シートの一例を示す平面図である。
【図１０５】径の違いに対応したコイル保持シートのコイル保持例を示す正面図である。
【図１０６】径の違いに対応したコイル保持シートのコイル保持例を示す正面図である。
【図１０７】第１の実施の形態の製本装置の一例を示す構成図である。
【図１０８】第１の実施の形態の製本装置の一例を示す構成図である。
【図１０９】第１の実施の形態の製本装置の一例を示す構成図である。
【図１１０】各実施の形態の製本装置による製本工程の概要を示す説明図である。
【図１１１】各実施の形態の製本装置による製本工程の概要を示す説明図である。
【図１１２】各実施の形態の製本装置による製本工程の概要を示す説明図である。
【図１１３】各実施の形態の製本装置の使用形態の一例を示す構成図である。
【図１１４】第２の実施の形態の製本装置の内部構成の概要を示す正面図である。
【図１１５】第２の実施の形態の製本装置の内部構成の概要を示す要部側面図である。
【図１１６】第３の実施の形態の製本装置の内部構成の概要を示す正面図である。
【図１１７】第３の実施の形態の製本装置の内部構成の概要を示す要部上面図である。
【図１１８】第４の実施の形態の製本装置の内部構成の概要を示す正面図である。
【図１１９】第４の実施の形態の製本装置の内部構成の概要を示す要部上面図である。
【図１２０】第５の実施の形態の製本装置の内部構成の概要を示す正面図である。
【図１２１】第５の実施の形態の製本装置の内部構成の概要を示す要部上面図である。
【図１２２】第６の実施の形態の製本装置の内部構成の概要を示す正面図である。
【図１２３】冊子厚の違いによる製本例を示す説明図である。
【図１２４】第１の実施の形態のコイル分離部の一例を示す斜視図である。
【図１２５】第１の実施の形態のコイル分離部の一例を示す斜視図である。
【図１２６】第１の実施の形態のコイル分離部の一例を示す側面図である。
【図１２７】第１の実施の形態のコイル分離部の変形例を示す斜視図である。
【図１２８】第１の実施の形態のコイル分離部の他の変形例を示す斜視図である。
【図１２９】第１の実施の形態のコイル分離部の他の変形例を示す斜視図である。
【図１３０】第１の実施の形態のコイル分離部の動作の一例を示す側面図である。
【図１３１】第１の実施の形態のコイル分離部の動作の一例を示す側面図である。
【図１３２】第１の実施の形態のコイル分離部の動作の一例を示す側面図である。
【図１３３】第２の実施の形態のコイル分離部の一例を示す斜視図である。
【図１３４】第２の実施の形態のコイル分離部の一例を示す側面図である。
【図１３５】第２の実施の形態のコイル分離部の動作の一例を示す側面図である。
【図１３６】第２の実施の形態のコイル分離部の動作の一例を示す側面図である。
【図１３７】第２の実施の形態のコイル分離部の動作の一例を示す側面図である
【図１３８】第３の実施の形態のコイル分離部の一例を示す斜視図である。
【図１３９】第３の実施の形態のコイル分離部の一例を示す側面図である。
【図１４０】第３の実施の形態のコイル分離部の動作の一例を示す側面図である。
【図１４１】第３の実施の形態のコイル分離部の動作の一例を示す側面図である。
【図１４２】第３の実施の形態のコイル分離部の動作の一例を示す側面図である
【図１４３】本実施の形態のコイル分離部の変形例を示す側面図である。
【図１４４】本実施の形態のコイル分離部の他の変形例を示す側面図である。
【図１４５】本実施の形態のコイル分離部の他の変形例を示す側面図である。
【図１４６】各実施の形態の製本装置の制御機能の一例を示すブロック図である。
【発明を実施するための形態】
【００３１】
以下、図面を参照して、本発明の保持シート及び綴じ部品保持シートの一例であるコイル保持シート、及び、コイル保持シートで供給されたコイルにより用紙を綴じる製本装置、綴じ部品保持シートの一例であるコイル保持シートから綴じ部品の一例であるコイルを分離する綴じ部品分離機構の実施の形態について説明する。
【００３２】
＜第１の実施の形態のコイル保持シートの構成例＞
図１は、第１の実施の形態のコイル保持シートの一例を示す正面図、図２は、第１の実施の形態のコイル保持シートの要部構成を示す正面図である。また、図３〜図７は、コイルを保持した第１の実施の形態のコイル保持シートを示し、図３は、コイルを保持した第１の実施の形態のコイル保持シートの正面図、図４は、コイルを保持した第１の実施の形態のコイル保持シートの背面図である。また、図５は、コイルを保持した第１の実施の形態のコイル保持シートの側面図、図６は、コイルを保持した第１の実施の形態のコイル保持シートの上面図である。更に、図７は、コイルを保持した第１の実施の形態のコイル保持シートの斜視図である。
【００３３】
また、図８及び図９は、コイルを保持した第１の実施の形態のコイル保持シートの要部構成を示す側面図、図１０は、コイル保持シートで保持されるコイルの一例を示す正面図である。
【００３４】
まず、図１０等を参照して、コイル保持シート１００Ａで保持されるコイル２００について説明すると、コイル２００は綴じ具及び綴じ部品の一例で、樹脂、金属等の線材を、所定のピッチで螺旋状に巻いて構成される。コイル２００は可撓性を有し、例えば、軸方向に延在する形態から曲げる、曲げた形態から軸方向に延在する形態に戻す等の変形が可能である。
【００３５】
コイル２００の軸方向に沿った長さＬは、後述する綴じ対象物である用紙の大きさに合わせられる。また、コイル２００のピッチＰは、後述する製本装置で用紙に開けられる穴の間隔に合わせられる。更に、コイル２００の外周の直径である外径Ｒｏは、用紙の綴じ枚数、厚さ等に応じて変わる用紙束の厚さに応じて、複数の異なる寸法で用意される。本例では、外径Ｒｏが太いものから順に、コイル２００ａ１、コイル２００ａ２、コイル２００ａ３、コイル２００ａ４及びコイル２００ａ５の５種類を使用可能とする。
【００３６】
次に、第１の実施の形態のコイル保持シート１００Ａについて説明する。コイル保持シート１００Ａは、コイル２００を保持する保持部１０１と、コイル２００の円周方向の一部を、コイル保持シート１００Ａの一の面である表面から他の面である裏面に逃がす逃げ穴１０２を備える。
【００３７】
コイル保持シート１００Ａは、保持部１０１と逃げ穴１０２との組み合わせにより、１本のコイル２００を保持するコイル保持列１０３が構成される。そして、コイル保持シート１００Ａは、１枚のコイル保持シート１００Ａで複数本のコイル２００を保持可能とするため、コイル２００の軸方向と直交する向きに、所定の間隔で複数のコイル保持列１０３が形成される。
【００３８】
保持部１０１は、コイル２００の円周方向に沿って対向する一対の押し上げ片１０１ａと、一対の押し上げ片１０１ａの間に設けられたスリット１０１ｂを備える。押し上げ片１０１ａは、スリット１０１ｂが設けられた側と反対側をコイル保持シート１００Ａとつながる形状として、コイル保持シート１００Ａの表裏を貫通した切り込み１０１ｃが入れられて形成される。押し上げ片１０１ａは、コイル保持シート１００Ａとつながる部位で折り曲げ部１０１ｄが形成される。押し上げ片１０１ａは、図１及び図２に示すようなＵ状、図示しないＣ状、あるいは、四角状または三角状の１辺がコイル保持シート１００Ａとつながる形状に形成される。
【００３９】
一対の押し上げ片１０１ａは、一方の押し上げ片１０１ａの折り曲げ部１０１ｄと、他方の押し上げ片１０１ａの折り曲げ部１０１ｄの間隔Ｌ１が、コイル２００の外径Ｒｏより短く構成される。但し、逃げ穴１０２でコイル２００の径方向の位置を決める構成であれば、折り曲げ部１０１ｄの間隔Ｌ１は、コイル２００の外径Ｒｏと同等でも良いし、コイル２００の外径Ｒｏより大きくても良い。
【００４０】
スリット１０１ｂは、一方の押し上げ片１０１ａの切り込み１０１ｃと、他方の押し上げ片１０１ａの切り込み１０１ｃとの間に、コイル保持シート１００Ａの表裏を貫通する直線状の切り込みが入れられて形成され、一対の切り込み１０１ｃが、スリット１０１ｂでつながる。
【００４１】
コイル保持シート１００Ａは、コイル２００の軸方向に沿って、スリット１０１ｂの両側にスリット１０１ｂ方向に突出する保持片１０１ｆを備える。保持片１０１ｆは、切り込み１０１ｃ及びスリット１０１ｂで構成され得る空間を開閉可能に閉塞し、コイル２００を着脱可能に保持する。
【００４２】
スリット１０１ｂの長さＬ２は、コイル２００の内周の直径である内径Ｒｉより小さく構成される。コイル２００がコイル保持シート１００Ａに取り付けられると、本例では、図５、図８及び図９等に示すように、コイル２００の円周のうちの１／２よりも広い領域の一部が、コイル保持シート１００Ａの一方の側である表面側に突出し、コイル２００の円周のうちの１／２よりも狭い領域の一部が、コイル保持シート１００Ａの他方の側である裏面側に突出する。
【００４３】
すなわち、コイル２００の径方向の中心Ｏを、コイル保持シート１００Ａに対して一方の側である表面側にオフセットした形態で、コイル２００がコイル保持シート１００Ａに保持される。このため、スリット１０１ｂは、コイル保持シート１００Ａでコイル２００を保持する位置におけるコイル２００の内周側の間隔に合わせた長さを有する。
【００４４】
コイル保持シート１００Ａは、コイル２００の軸方向に沿って、コイル保持列１０３の複数個所に、保持部１０１が形成される保持部形成箇所１０３ａを備える。本例では、コイル２００の軸方向に沿って所定の間隔を開けた４か所に保持部形成箇所１０３ａを備える。
【００４５】
また、コイル保持シート１００Ａは、各保持部形成箇所１０３ａに少なくとも一対の押し上げ片１０１ａが設けられ、本例では、各保持部形成箇所１０３ａに、一対の押し上げ片１０１ａがコイル２００のピッチＰに合わせて２組設けられる。
【００４６】
逃げ穴１０２は、コイル２００の円周方向の一部が挿抜可能な形状で、コイル保持シート１００Ａの表裏を貫通する開口によって構成される。逃げ穴１０２は、コイル保持シート１００Ａに保持部１０１で保持されたコイル２００の軸方向に沿って、保持部形成箇所１０３ａに並列して設けられる。
【００４７】
逃げ穴１０２は、コイル２００の径方向に沿った長さＬ３が、コイル２００の外径Ｒｏより小さく構成される。これにより、コイル２００は、径方向の中心Ｏが、コイル保持シート１００Ａと同一面となる位置まで逃げ穴１０２に入ることができない。
【００４８】
従って、コイル２００は、コイル保持シート１００Ａに対し裏面側への突出高さより表面側への突出高さが大きくなるようにオフセットした状態で、コイル保持シート１００Ａに保持される。そして、オフセット量は、逃げ穴１０２のコイル２００の径方向に沿った長さＬ３で決められる。
【００４９】
逃げ穴１０２は、コイル２００の軸方向に沿った長さＬ４が、軸方向に沿った２巻分以上のコイル２００が入る長さで構成される。本例では、コイル２００の巻数に応じて、２巻分のコイル２００が入る長さの逃げ穴１０２と、４巻分のコイル２００が入る長さの逃げ穴１０２と、６巻分のコイル２００が入る長さの逃げ穴１０２が設けられる。
【００５０】
コイル保持列１０３は、コイル２００の軸方向に並列する逃げ穴１０２の間に、逃げ穴１０２において、コイル２００の径方向の一方の辺と他方の辺との間をつなぐ連結部１０３ｂが形成される。
【００５１】
＜第１の実施の形態のコイル保持シートの変形例＞
図１１は、第１の実施の形態のコイル保持シートの変形例を示す正面図である。また、図１２〜図１６は、コイルを保持した第１の実施の形態の変形例のコイル保持シートを示し、図１２は、コイルを保持した第１の実施の形態の変形例のコイル保持シートの正面図、図１３は、コイルを保持した第１の実施の形態の変形例のコイル保持シートの背面図である。また、図１４は、コイルを保持した第１の実施の形態の変形例のコイル保持シートの側面図、図１５は、コイルを保持した第１の実施の形態の変形例のコイル保持シートの上面図である。更に、図１６は、コイルを保持した第１の実施の形態の変形例のコイル保持シートの斜視図である。
【００５２】
第１の実施の形態の変形例のコイル保持シート１００Ａ１は、コイル２００を保持する保持部１０１と、コイル２００の円周方向の一部を、コイル保持シート１００Ａ１の一の面である表面から他の面である裏面に逃がす逃げ穴１０２を備える。コイル保持シート１００Ａ１は、コイル２００の軸方向に沿った各逃げ穴１０２の長さＬ４が、２巻分のコイル２００が入る長さで構成される。他の構成は、第１の実施の形態のコイル保持シート１００Ａと同様である。
【００５３】
すなわち、コイル保持シート１００Ａ１は、保持部１０１と逃げ穴１０２との組み合わせにより、１本のコイル２００を保持するコイル保持列１０３が構成される。そして、コイル保持シート１００Ａ１は、１枚のコイル保持シート１００Ａ１で複数本のコイル２００を保持可能とするため、コイル２００の軸方向と直交する向きに、所定の間隔で複数のコイル保持列１０３が形成される。
【００５４】
保持部１０１は、コイル２００の円周方向に沿って対向する一対の押し上げ片１０１ａと、一対の押し上げ片１０１ａの間に設けられたスリット１０１ｂを備える。押し上げ片１０１ａは、スリット１０１ｂが設けられた側と反対側をコイル保持シート１００Ａ１とつながる形状として、コイル保持シート１００Ａ１の表裏を貫通した切り込み１０１ｃが入れられて形成される。押し上げ片１０１ａは、コイル保持シート１００Ａ１とつながる部位で折り曲げ部１０１ｄが形成される。押し上げ片１０１ａは、図２及び図１１に示すようなＵ状、図示しないＣ状、あるいは、四角状または三角状の１辺がコイル保持シート１００Ａ１とつながる形状に形成される。
【００５５】
一対の押し上げ片１０１ａは、図２に示すように、一方の押し上げ片１０１ａの折り曲げ部１０１ｄと、他方の押し上げ片１０１ａの折り曲げ部１０１ｄの間隔Ｌ１が、コイル２００の外径Ｒｏより短く構成される。但し、逃げ穴１０２でコイル２００の径方向の位置を決める構成であれば、折り曲げ部１０１ｄの間隔Ｌ１は、コイル２００の外径Ｒｏと同等でも良いし、コイル２００の外径Ｒｏより大きくても良い。
【００５６】
スリット１０１ｂは、一方の押し上げ片１０１ａの切り込み１０１ｃと、他方の押し上げ片１０１ａの切り込み１０１ｃとの間に、コイル保持シート１００Ａ１の表裏を貫通する直線状の切り込みが入れられて形成され、一対の切り込み１０１ｃが、スリット１０１ｂでつながる。
【００５７】
コイル保持シート１００Ａ１は、コイル２００の軸方向に沿って、スリット１０１ｂの両側にスリット１０１ｂ方向に突出する保持片１０１ｆを備える。保持片１０１ｆは、切り込み１０１ｃ及びスリット１０１ｂで構成され得る空間を開閉可能に閉塞し、コイル２００を着脱可能に保持する。
【００５８】
スリット１０１ｂの長さＬ２は、コイル２００の内周の直径である内径Ｒｉより小さく構成される。コイル２００がコイル保持シート１００Ａ１に取り付けられると、本例では、図１４及び図１５等に示すように、コイル２００の円周のうちの１／２よりも広い領域の一部が、コイル保持シート１００Ａ１の一方の側である表面側に突出し、コイル２００の円周のうちの１／２よりも狭い領域の一部が、コイル保持シート１００Ａ１の他方の側である裏面側に突出する。
【００５９】
すなわち、コイル２００の径方向の中心Ｏを、コイル保持シート１００Ａ１に対して一方の側である表面側にオフセットした形態で、コイル２００がコイル保持シート１００Ａ１に保持される。このため、スリット１０１ｂは、コイル保持シート１００Ａ１でコイル２００を保持する位置におけるコイル２００の内周側の間隔に合わせた長さを有する。
【００６０】
コイル保持シート１００Ａ１は、コイル２００の軸方向に沿って、コイル保持列１０３の複数個所に、保持部１０１が形成される保持部形成箇所１０３ａを備える。本例では、コイル２００の軸方向に沿って所定の間隔を開けた４か所に保持部形成箇所１０３ａを備える。
【００６１】
また、コイル保持シート１００Ａ１は、各保持部形成箇所１０３ａに少なくとも一対の押し上げ片１０１ａが設けられ、本例では、各保持部形成箇所１０３ａに、一対の押し上げ片１０１ａがコイル２００のピッチＰに合わせて２組設けられる。
【００６２】
逃げ穴１０２は、コイル２００の円周方向の一部が挿抜可能な形状で、コイル保持シート１００Ａ１の表裏を貫通する開口によって構成される。逃げ穴１０２は、コイル保持シート１００Ａ１に保持部１０１で保持されたコイル２００の軸方向に沿って、保持部形成箇所１０３ａに並列して設けられる。
【００６３】
逃げ穴１０２は、コイル２００の径方向に沿った長さＬ３が、コイル２００の外径Ｒｏより小さく構成される。これにより、コイル２００は、径方向の中心Ｏが、コイル保持シート１００Ａ１と同一面となる位置まで逃げ穴１０２に入ることができない。
【００６４】
従って、コイル２００は、コイル保持シート１００Ａ１に対し裏面側への突出高さより表面側への突出高さが大きくなるようにオフセットした状態で、コイル保持シート１００Ａ１に保持される。そして、オフセット量は、逃げ穴１０２のコイル２００の径方向に沿った長さＬ３で決められる。
【００６５】
逃げ穴１０２は、コイル２００の軸方向に沿った長さＬ４が、軸方向に沿った２巻分のコイル２００が入る長さで構成される。
【００６６】
コイル保持列１０３は、コイル２００の軸方向に並列する逃げ穴１０２の間に、逃げ穴１０２において、コイル２００の径方向の一方の辺と他方の辺との間をつなぐ連結部１０３ｂが形成される。
【００６７】
図１７は、第１の実施の形態のコイル保持シートの他の変形例を示す正面図である。また、図１８〜図２２は、コイルを保持した第１の実施の形態の他の変形例のコイル保持シートを示し、図１８は、コイルを保持した第１の実施の形態の他の変形例のコイル保持シートの正面図、図１９は、コイルを保持した第１の実施の形態の他の変形例のコイル保持シートの背面図である。また、図２０は、コイルを保持した第１の実施の形態の他の変形例のコイル保持シートの側面図、図２１は、コイルを保持した第１の実施の形態の他の変形例のコイル保持シートの上面図である。更に、図２２は、コイルを保持した第１の実施の形態の他の変形例のコイル保持シートの斜視図である。
【００６８】
第１の実施の形態の他の変形例のコイル保持シート１００Ａ２は、コイル２００を保持する保持部１０１と、コイル２００の円周方向の一部を、コイル保持シート１００Ａ２の一の面である表面から他の面である裏面に逃がす逃げ穴１０２を備える。コイル保持シート１００Ａ２は、コイル２００の軸方向に沿った各逃げ穴１０２の長さＬ４が、１巻分のコイル２００が入る長さで構成される。他の構成は、第１の実施の形態のコイル保持シート１００Ａと同様である。
【００６９】
すなわち、コイル保持シート１００Ａ２は、保持部１０１と逃げ穴１０２との組み合わせにより、１本のコイル２００を保持するコイル保持列１０３が構成される。そして、コイル保持シート１００Ａ２は、１枚のコイル保持シート１００Ａ２で複数本のコイル２００を保持可能とするため、コイル２００の軸方向と直交する向きに、所定の間隔で複数のコイル保持列１０３が形成される。
【００７０】
保持部１０１は、コイル２００の円周方向に沿って対向する一対の押し上げ片１０１ａと、一対の押し上げ片１０１ａの間に設けられたスリット１０１ｂを備える。押し上げ片１０１ａは、スリット１０１ｂが設けられた側と反対側をコイル保持シート１００Ａ２とつながる形状として、コイル保持シート１００Ａ２の表裏を貫通した切り込み１０１ｃが入れられて形成される。押し上げ片１０１ａは、コイル保持シート１００Ａ２とつながる部位で折り曲げ部１０１ｄが形成される。押し上げ片１０１ａは、図２及び図１７に示すようなＵ状、図示しないＣ状、あるいは、四角状または三角状の１辺がコイル保持シート１００Ａ２とつながる形状に形成される。
【００７１】
一対の押し上げ片１０１ａは、図２に示すように、一方の押し上げ片１０１ａの折り曲げ部１０１ｄと、他方の押し上げ片１０１ａの折り曲げ部１０１ｄの間隔Ｌ１が、コイル２００の外径Ｒｏより短く構成される。但し、逃げ穴１０２でコイル２００の径方向の位置を決める構成であれば、折り曲げ部１０１ｄの間隔Ｌ１は、コイル２００の外径Ｒｏと同等でも良いし、コイル２００の外径Ｒｏより大きくても良い。
【００７２】
スリット１０１ｂは、一方の押し上げ片１０１ａの切り込み１０１ｃと、他方の押し上げ片１０１ａの切り込み１０１ｃとの間に、コイル保持シート１００Ａ２の表裏を貫通する直線状の切り込みが入れられて形成され、一対の切り込み１０１ｃが、スリット１０１ｂでつながる。
【００７３】
コイル保持シート１００Ａ２は、コイル２００の軸方向に沿って、スリット１０１ｂの両側にスリット１０１ｂ方向に突出する保持片１０１ｆを備える。保持片１０１ｆは、切り込み１０１ｃ及びスリット１０１ｂで構成され得る空間を開閉可能に閉塞し、コイル２００を着脱可能に保持する。
【００７４】
スリット１０１ｂの長さＬ２は、コイル２００の内周の直径である内径Ｒｉより小さく構成される。コイル２００がコイル保持シート１００Ａ２に取り付けられると、本例では、図２０及び図２１等に示すように、コイル２００の円周のうちの１／２よりも広い領域の一部が、コイル保持シート１００Ａ２の一方の側である表面側に突出し、コイル２００の円周のうちの１／２よりも狭い領域の一部が、コイル保持シート１００Ａ２の他方の側である裏面側に突出する。
【００７５】
すなわち、コイル２００の径方向の中心Ｏを、コイル保持シート１００Ａ２に対して一方の側である表面側にオフセットした形態で、コイル２００がコイル保持シート１００Ａ２に保持される。このため、スリット１０１ｂは、コイル保持シート１００Ａ２でコイル２００を保持する位置におけるコイル２００の内周側の間隔に合わせた長さを有する。
【００７６】
コイル保持シート１００Ａ２は、コイル２００の軸方向に沿って、コイル保持列１０３の複数個所に、保持部１０１が形成される保持部形成箇所１０３ａを備える。本例では、コイル２００の軸方向に沿って所定の間隔を開けた４か所に保持部形成箇所１０３ａを備える。
【００７７】
また、コイル保持シート１００Ａ２は、各保持部形成箇所１０３ａに少なくとも一対の押し上げ片１０１ａが設けられ、本例では、各保持部形成箇所１０３ａに、一対の押し上げ片１０１ａがコイル２００のピッチＰに合わせて２組設けられる。
【００７８】
逃げ穴１０２は、コイル２００の円周方向の一部が挿抜可能な形状で、コイル保持シート１００Ａ２の表裏を貫通する開口によって構成される。逃げ穴１０２は、コイル保持シート１００Ａ２に保持部１０１で保持されたコイル２００の軸方向に沿って、保持部形成箇所１０３ａに並列して設けられる。
【００７９】
逃げ穴１０２は、コイル２００の径方向に沿った長さＬ３が、コイル２００の外径Ｒｏより小さく構成される。これにより、コイル２００は、径方向の中心Ｏが、コイル保持シート１００Ａ２と同一面となる位置まで逃げ穴１０２に入ることができない。
【００８０】
従って、コイル２００は、コイル保持シート１００Ａ２に対し裏面側への突出高さより表面側への突出高さが大きくなるようにオフセットした状態で、コイル保持シート１００Ａ２に保持される。そして、オフセット量は、逃げ穴１０２のコイル２００の径方向に沿った長さＬ３で決められる。
【００８１】
逃げ穴１０２は、コイル２００の軸方向に沿った長さＬ４が、軸方向に沿った１巻分のコイル２００が入る長さで構成される。
【００８２】
コイル保持列１０３は、コイル２００の軸方向に並列する逃げ穴１０２の間に、逃げ穴１０２において、コイル２００の径方向の一方の辺と他方の辺との間をつなぐ連結部１０３ｂが形成される。
【００８３】
図２３は、第１の実施の形態のコイル保持シートの他の変形例を示す正面図である。また、図２４〜図２８は、コイルを保持した第１の実施の形態の他の変形例のコイル保持シートを示し、図２４は、コイルを保持した第１の実施の形態の他の変形例のコイル保持シートの正面図、図２５は、コイルを保持した第１の実施の形態の他の変形例のコイル保持シートの背面図である。また、図２６は、コイルを保持した第１の実施の形態の他の変形例のコイル保持シートの側面図、図２７は、コイルを保持した第１の実施の形態の他の変形例のコイル保持シートの上面図である。更に、図２８は、コイルを保持した第１の実施の形態の他の変形例のコイル保持シートの斜視図である。
【００８４】
第１の実施の形態の他の変形例のコイル保持シート１００Ａ３は、コイル２００を保持する保持部１０１を備える。コイル保持シート１００Ａ３は、図１等で説明した、コイル２００の円周方向の一部をコイル保持シート１００Ａの裏面に逃がす逃げ穴１０２を設けていない。
【００８５】
すなわち、コイル保持シート１００Ａ３は、保持部１０１により１本のコイル２００を保持するコイル保持列１０３が構成される。そして、コイル保持シート１００Ａ３は、１枚のコイル保持シート１００Ａ３で複数本のコイル２００を保持可能とするため、コイル２００の軸方向と直交する向きに、所定の間隔で複数のコイル保持列１０３が形成される。
【００８６】
保持部１０１は、コイル２００の円周方向に沿って対向する一対の押し上げ片１０１ａと、一対の押し上げ片１０１ａの間に設けられたスリット１０１ｂを備える。押し上げ片１０１ａは、スリット１０１ｂが設けられた側と反対側をコイル保持シート１００Ａ３とつながる形状として、コイル保持シート１００Ａ３の表裏を貫通した切り込み１０１ｃが入れられて形成される。押し上げ片１０１ａは、コイル保持シート１００Ａ３とつながる部位で折り曲げ部１０１ｄが形成される。押し上げ片１０１ａは、図２及び図２３に示すようなＵ状、図示しないＣ状、あるいは、四角状または三角状の１辺がコイル保持シート１００Ａ３とつながる形状に形成される。
【００８７】
一対の押し上げ片１０１ａは、図２に示すように、一方の押し上げ片１０１ａの折り曲げ部１０１ｄと、他方の押し上げ片１０１ａの折り曲げ部１０１ｄの間隔Ｌ１が、コイル２００の外径Ｒｏより短く構成される。但し、折り曲げ部１０１ｄの間隔Ｌ１は、コイル２００の外径Ｒｏと同等でも良いし、コイル２００の外径Ｒｏより大きくても良い。
【００８８】
スリット１０１ｂは、一方の押し上げ片１０１ａの切り込み１０１ｃと、他方の押し上げ片１０１ａの切り込み１０１ｃとの間に、コイル保持シート１００Ａ３の表裏を貫通する直線状の切り込みが入れられて形成され、一対の切り込み１０１ｃが、スリット１０１ｂでつながる。
【００８９】
コイル保持シート１００Ａ３は、コイル２００の軸方向に沿って、スリット１０１ｂの両側にスリット１０１ｂ方向に突出する保持片１０１ｆを備える。保持片１０１ｆは、切り込み１０１ｃ及びスリット１０１ｂで構成され得る空間を開閉可能に閉塞し、コイル２００を着脱可能に保持する。
【００９０】
スリット１０１ｂの長さＬ２は、コイル２００の内周の直径である内径Ｒｉより小さく構成される。コイル２００がコイル保持シート１００Ａ３に取り付けられると、保持部形成箇所１０３ａでは、図２６及び図２７等に示すように、コイル２００の円周のうちの１／２よりも広い領域の一部が、コイル保持シート１００Ａ３の一方の側である表面側に突出し、コイル２００の円周のうちの１／２よりも狭い領域の一部が、コイル保持シート１００Ａ３の他方の側である裏面側に突出する。保持部１０１が設けられていない位置では、コイル２００は、円周方向の全体が、コイル保持シート１００Ａ３の表面側に突出する。
【００９１】
すなわち、コイル２００の径方向の中心Ｏを、コイル保持シート１００Ａ３に対して一方の側である表面側にオフセットした形態で、コイル２００がコイル保持シート１００Ａ３に保持される。このため、スリット１０１ｂは、コイル保持シート１００Ａ３でコイル２００を保持する位置におけるコイル２００の内周側の間隔に合わせた長さを有する。
【００９２】
コイル保持シート１００Ａ３は、コイル２００の軸方向に沿って、コイル保持列１０３の複数個所に、保持部１０１が形成される保持部形成箇所１０３ａを備える。本例では、コイル２００の軸方向に沿って所定の間隔を開けた４か所に保持部形成箇所１０３ａを備える。
【００９３】
また、コイル保持シート１００Ａ３は、各保持部形成箇所１０３ａに少なくとも一対の押し上げ片１０１ａが設けられ、本例では、各保持部形成箇所１０３ａに、一対の押し上げ片１０１ａがコイル２００のピッチＰに合わせて２組設けられる。
【００９４】
コイル保持シート１００Ａ３は、保持部形成箇所１０３ａの間は、表裏を貫通する開口は設けられておらず、コイル２００の外周を面で支持するコイル支持部１０３ｃが形成される。
【００９５】
図２９は、第１の実施の形態のコイル保持シートの他の変形例を示す正面図である。また、図３０〜図３４は、コイルを保持した第１の実施の形態の他の変形例のコイル保持シートを示し、図３０は、コイルを保持した第１の実施の形態の他の変形例のコイル保持シートの正面図、図３１は、コイルを保持した第１の実施の形態の他の変形例のコイル保持シートの背面図である。また、図３２は、コイルを保持した第１の実施の形態の他の変形例のコイル保持シートの側面図、図３３は、コイルを保持した第１の実施の形態の他の変形例のコイル保持シートの上面図である。更に、図３４は、コイルを保持した第１の実施の形態の他の変形例のコイル保持シートの斜視図である。
【００９６】
第１の実施の形態の他の変形例のコイル保持シート１００Ａ４は、コイル２００を保持する保持部１０１を備える。コイル保持シート１００Ａ４は、図１等で説明した、コイル２００の円周方向の一部をコイル保持シート１００Ａ４の裏面に逃がす逃げ穴１０２を設けておらず、コイル２００のピッチＰに合わせて、コイル２００の巻数分以上の保持部１０１を備えている。
【００９７】
すなわち、コイル保持シート１００Ａ４は、保持部１０１により１本のコイル２００を保持するコイル保持列１０３が構成される。そして、コイル保持シート１００Ａ４は、１枚のコイル保持シート１００Ａ３で複数本のコイル２００を保持可能とするため、コイル２００の軸方向と直交する向きに、所定の間隔で複数のコイル保持列１０３が形成される。
【００９８】
保持部１０１は、コイル２００の円周方向に沿って対向する一対の押し上げ片１０１ａと、一対の押し上げ片１０１ａの間に設けられたスリット１０１ｂを備える。押し上げ片１０１ａは、スリット１０１ｂが設けられた側と反対側をコイル保持シート１００Ａ３とつながる形状として、コイル保持シート１００Ａ４の表裏を貫通した切り込み１０１ｃが入れられて形成される。押し上げ片１０１ａは、コイル保持シート１００Ａ４とつながる部位で折り曲げ部１０１ｄが形成される。押し上げ片１０１ａは、図２及び図２９に示すようなＵ状、図示しないＣ状、あるいは、四角状または三角状の１辺がコイル保持シート１００Ａ４とつながる形状に形成される。
【００９９】
一対の押し上げ片１０１ａは、図２に示すように、一方の押し上げ片１０１ａの折り曲げ部１０１ｄと、他方の押し上げ片１０１ａの折り曲げ部１０１ｄの間隔Ｌ１が、コイル２００の外径Ｒｏより短く構成される。但し、折り曲げ部１０１ｄの間隔Ｌ１は、コイル２００の外径Ｒｏと同等でも良いし、コイル２００の外径Ｒｏより大きくても良い。
【０１００】
スリット１０１ｂは、一方の押し上げ片１０１ａの切り込み１０１ｃと、他方の押し上げ片１０１ａの切り込み１０１ｃとの間に、コイル保持シート１００Ａ４の表裏を貫通する直線状の切り込みが入れられて形成され、一対の切り込み１０１ｃが、スリット１０１ｂでつながる。
【０１０１】
コイル保持シート１００Ａ４は、コイル２００の軸方向に沿って、スリット１０１ｂの両側にスリット１０１ｂ方向に突出する保持片１０１ｆを備える。保持片１０１ｆは、切り込み１０１ｃ及びスリット１０１ｂで構成され得る空間を開閉可能に閉塞し、コイル２００を着脱可能に保持する。
【０１０２】
スリット１０１ｂの長さＬ２は、コイル２００の内周の直径である内径Ｒｉより小さく構成される。コイル２００がコイル保持シート１００Ａ４に取り付けられると、本例では、図３２及び図３３等に示すように、コイル２００の円周のうちの１／２よりも広い領域の一部が、コイル保持シート１００Ａ３の一方の側である表面側に突出し、コイル２００の円周のうちの１／２よりも狭い領域の一部が、コイル保持シート１００Ａ３の他方の側である裏面側に突出する。
【０１０３】
すなわち、コイル２００の径方向の中心Ｏを、コイル保持シート１００Ａ４に対して一方の側である表面側にオフセットした形態で、コイル２００がコイル保持シート１００Ａ４に保持される。このため、スリット１０１ｂは、コイル保持シート１００Ａ４でコイル２００を保持する位置におけるコイル２００の内周側の間隔に合わせた長さを有する。
【０１０４】
コイル保持シート１００Ａ４は、各コイル保持列１０３に、コイル２００のピッチＰに合わせて、コイル２００の巻数分と同数、あるいは巻数分以上の保持部１０１を備える。このため、各コイル保持列１０３の全体が保持部形成箇所１０３ａとなる。
【０１０５】
＜第１の実施の形態のコイル保持シートの作用効果例＞
コイル保持シート１００Ａは、各コイル保持列１０３に１本ずつコイル２００が保持される。保持部形成箇所１０３ａでは、図８に示すように、押し上げ片１０１ａをコイル保持シート１００Ａの裏面側へ変形させた状態として、コイル２００の円周方向の一部が、スリット１０１ｂ及び保持片１０１ｆを超えてコイル保持シート１００Ａの裏面側へ入る。
【０１０６】
コイル保持シート１００Ａ１、１００Ａ２、１００Ａ３、１００Ａ４もコイル保持シート１００Ａと同様に、各コイル保持列１０３に１本ずつコイル２００が保持される。保持部形成箇所１０３ａでは、押し上げ片１０１ａをコイル保持シート１００Ａ１、１００Ａ２、１００Ａ３、１００Ａ４の裏面側へ変形させた状態として、コイル２００の円周方向の一部が、スリット１０１ｂ及び保持片１０１ｆを超えてコイル保持シート１００Ａ１、１００Ａ２、１００Ａ３、１００Ａ４の裏面側へ入る。
【０１０７】
これにより、保持部１０１では、コイル２００の内周側に、保持片１０１ｆが入る。そして、コイル保持シート１００Ａ、１００Ａ１、１００Ａ２、１００Ａ３、１００Ａ４の裏面側へ入った部位のコイル２００が、元の形状に戻ろうとする押し上げ片１０１ａにより保持片１０１ｆ方向に押し上げられた状態で、保持片１０１ｆにより押さえられる。
【０１０８】
一対の保持片１０１ｆの間のスリット１０１ｂは、コイル２００をコイル保持シート１００Ａ、１００Ａ１、１００Ａ２、１００Ａ３、１００Ａ４から外し得る外力が加わらなければ、コイル２００が通過し得る間隔とはならない。従って、不用意な外力がコイル２００に掛かった場合に、コイル２００が保持部１０１から抜けることを、保持片１０１ｆにより抑制することができる。
【０１０９】
また、各保持部形成箇所１０３ａに、保持部１０１がコイル２００のピッチＰに合わせて２組以上設けられることで、１箇所の保持部１０１でコイル２００が外れても、隣接する他の保持部１０１でコイル２００の保持が可能である。
【０１１０】
逃げ穴１０２が設けられたコイル保持シート１００Ａ，１００Ａ１、１００Ａ２は、コイル２００がコイル保持列１０３に保持されると、逃げ穴１０２が形成された部位では、図９に示すように、コイル２００の円周方向の一部が逃げ穴１０２に入る。逃げ穴１０２では、コイル２００の径方向の中心Ｏが、コイル保持シート１００Ａ、１００Ａ１、１００Ａ２と同一面となる位置までコイル２００が入ることができない。
【０１１１】
従って、コイル２００は、コイル保持シート１００Ａ、１００Ａ１、１００Ａ２に対し裏面側への突出高さより表面側への突出高さが大きくなるようにオフセットした状態で、コイル保持シート１００Ａ、１００Ａ１、１００Ａ２に保持される。
【０１１２】
また、逃げ穴１０２が設けられていないコイル保持シート１００Ａ３では、持部形成箇所１０３ａの間は、コイル２００の外周を面で保持するコイル支持部１０３ｃが形成される。
【０１１３】
これにより、コイル保持シート１００Ａ３に保持されたコイル２００は、保持部形成箇所１０３ａでは、押し上げ片１０１ａによる押し上げ力、スリット１０１ｂの長さ等、保持部１０１の形状により、コイル保持シート１００Ａ３に対し裏面側への突出高さより表面側への突出高さが大きくなるようにオフセットした状態となる。また、コイル保持シート１００Ａ３に保持されたコイル２００は、コイル支持部１０３ｃの形成箇所では、円周方向の全体が、コイル保持シート１００Ａ３の表面側に突出して、コイル保持シート１００Ａ３の表面側にオフセットされた状態となる。
【０１１４】
更に、逃げ穴１０２が設けられておらず、コイル２００の巻数に合わせて保持部１０１が形成されたコイル保持シート１００Ａ４では、押し上げ片１０１ａによる押し上げ力、スリット１０１ｂの長さ等、保持部１０１の形状により、コイル保持シート１００Ａ４に対し裏面側への突出高さより表面側への突出高さが大きくなるようにオフセットした状態で、コイル２００がコイル保持シート１００Ａ４に保持される。
【０１１５】
逃げ穴１０２が設けられたコイル保持シート１００Ａ、１００Ａ１、１００Ａ２にコイル２００が保持された状態では、コイル保持シート１００Ａ、１００Ａ１、１００Ａ２を裏面側から見た状態でも、逃げ穴１０２にコイル２００の一部が露出することで、コイル２００が保持されていることを容易に確認可能である。特に、図４及び図１３に示すように、逃げ穴１０２の長さＬ４が、軸方向に沿った複数巻分のコイル２００が入る長さで構成されることで、視認性が向上する。
【０１１６】
これに対し、コイル保持シート１００Ａ１、１００Ａ２のように、各逃げ穴１０２の開口面積を小さくすることで、連結部１０３ｂの本数を増やすことができ、コイル保持シート１００Ａ１、１００Ａ２の撓み等に対する強度を向上させることができる。
【０１１７】
但し、逃げ穴１０２の長さＬ４を、コイル２００の１巻分が入る長さにすると、逃げ穴１０２の開口面積が小さくなり、開口面積が大きい場合と比較して、コイル保持シート１００Ａ２を製造する工程での作業性が低下する。このため、逃げ穴１０２の長さＬ４が、軸方向に沿った複数巻分のコイル２００が入る長さで構成されることが好ましい。
【０１１８】
コイル２００をコイル保持シート１００Ａから取り外す場合は、コイル２００をコイル保持シート１００Ａに沿った方向にコイル２００とコイル保持シート１００Ａを相対移動させる等、コイル２００をコイル保持シート１００Ａから離す方向に移動させる力を、コイル保持シート１００Ａの表面側からコイル２００に加える。
【０１１９】
コイル２００をコイル保持シート１００Ａから離す方向等に力を加えることで、コイル２００によって保持片１０１ｆが押されて保持片１０１ｆが変形し、スリット１０１ｂの幅が広げられてコイル２００がスリット１０１ｂを抜ける。これにより、コイル２００がコイル保持シート１００Ａから取り外される。
【０１２０】
コイル２００をコイル保持シート１００Ａ１、１００Ａ２、１００Ａ３、１００Ａ４から取り外す場合も、コイル保持シート１００Ａと同様に、コイル２００をコイル保持シート１００Ａ１、１００Ａ２、１００Ａ３、１００Ａ４に沿った方向にコイル２００とコイル保持シート１００Ａ１、１００Ａ２、１００Ａ３、１００Ａ４を相対移動させる等、コイル２００をコイル保持シート１００Ａ１、１００Ａ２、１００Ａ３、１００Ａ４から離す方向に移動させる力を、コイル保持シート１００Ａ１、１００Ａ２、１００Ａ３、１００Ａ４の表面側からコイル２００に加える。
【０１２１】
コイル２００をコイル保持シート１００Ａ１、１００Ａ２、１００Ａ３、１００Ａ４から離す方向等に力を加えることで、コイル２００によって保持片１０１ｆが押されて保持片１０１ｆが変形し、スリット１０１ｂの幅が広げられてコイル２００がスリット１０１ｂを抜ける。これにより、コイル２００がコイル保持シート１００Ａ１、１００Ａ２、１００Ａ３、１００Ａ４から取り外される。
【０１２２】
上述したように、コイル２００は、コイル保持シート１００Ａ、１００Ａ１、１００Ａ２、１００Ａ３、１００Ａ４に対し裏面側への突出高さより表面側への突出高さが大きくなるようにオフセットした状態で、コイル保持シート１００Ａ、１００Ａ１、１００Ａ２、１００Ａ３、１００Ａ４に保持される。これにより、コイル２００をコイル保持シート１００Ａ、１００Ａ１、１００Ａ２、１００Ａ３、１００Ａ４から取り外す力を、コイル保持シート１００Ａの表面側から確実に掛けることが可能になる。
【０１２３】
また、コイル２００をコイル保持シート１００Ａ、１００Ａ１、１００Ａ２、１００Ａ３、１００Ａ４に取り付ける場合は、コイル２００の位置をコイル保持列１０３に合わせて、コイル２００をコイル保持シート１００Ａ、１００Ａ１、１００Ａ２、１００Ａ３、１００Ａ４に押し付ける方向に力を加える。
【０１２４】
これにより、コイル２００によって保持片１０１ｆが押されて保持片１０１ｆが変形し、スリット１０１ｂの幅が広げられてコイル２００がスリット１０１ｂを通る。よって、押し上げ片１０１ａをコイル保持シート１００Ａの裏面側へ変形させた状態として、コイル２００の円周方向の一部が、コイル保持シート１００Ａ、１００Ａ１、１００Ａ２、１００Ａ３、１００Ａ４の裏面側へ入る。
【０１２５】
従って、コイル保持シート１００Ａ、１００Ａ１、１００Ａ２、１００Ａ３、１００Ａ４の裏面側へ入った部位のコイル２００が、押し上げ片１０１ａで保持片１０１ｆ方向に押し上げられた状態で、保持片１０１ｆで押さえられ、コイル２００がコイル保持シート１００Ａ、１００Ａ１、１００Ａ２、１００Ａ３、１００Ａ４に取り付けられる。
【０１２６】
このように、コイル２００をコイル保持シート１００Ａ、１００Ａ１、１００Ａ２、１００Ａ３、１００Ａ４に取り付ける動作では、コイル保持シート１００Ａ、１００Ａ１、１００Ａ２、１００Ａ３、１００Ａ４の所定の部位を予め変形させておく等の操作を必要としない。従って、単体のコイル２００をコイル保持シート１００Ａ、１００Ａ１、１００Ａ２、１００Ａ３、１００Ａ４に取り付けて使用することが容易に行える。
【０１２７】
コイル保持シート１００Ａ、１００Ａ１、１００Ａ２、１００Ａ３、１００Ａ４では、保持部１０１はスリット１０１ｂと切り込み１０１ｃで構成されるので、保持部１０１の製造工程では抜きカスが出ない。また、コイル保持シート１００Ａ、１００Ａ１では、抜き穴１０２は、コイル２００の複数巻分の長さを有するので、抜きカスが大きくなり、抜き穴１０２の製造工程での抜きカスの発生数量を抑えることができる。また、コイル保持シート１００Ａ、コイル保持シート１００Ａ１、コイル保持シート１００Ａ２、コイル保持シート１００Ａ３では、保持部１０１の個数を増減させるとともに逃げ穴１０２の個数を増減させて組み合わせることにより、コイル保持シート１００Ａ、コイル保持シート１００Ａ１、コイル保持シート１００Ａ２、コイル保持シート１００Ａ３におけるコイル２００の保持力を調整することが容易に行える。
【０１２８】
また、コイル保持シート１００Ａ３、１００Ａ４では、コイル保持シート１００Ａ３、１００Ａ４を製造する工程で逃げ穴を開ける工程が不要であり、作業性が向上する。
【０１２９】
＜第２の実施の形態のコイル保持シートの構成例＞
図３５は、第２の実施の形態のコイル保持シートの一例を示す正面図、図３６は、第２の実施の形態のコイル保持シートの要部構成を示す正面図である。また、図３７〜図４１は、コイルを保持した第２の実施の形態のコイル保持シートを示し、図３７は、コイルを保持した第２の実施の形態のコイル保持シートの正面図、図３８は、コイルを保持した第２の実施の形態のコイル保持シートの背面図である。また、図３９は、コイルを保持した第２の実施の形態のコイル保持シートの側面図、図４０は、コイルを保持した第２の実施の形態のコイル保持シートの上面図である。更に、図４１は、コイルを保持した第２の実施の形態のコイル保持シートの斜視図である。
【０１３０】
第２の実施の形態のコイル保持シート１００Ｂは、コイル２００を保持する保持部１０４と、コイル２００の円周方向の一部を、コイル保持シート１００Ｂの一の面である表面から他の面である裏面に逃がす逃げ穴１０２を備える。ここで、逃げ穴１０２は、第１の実施の形態のコイル保持シート１００Ａ、あるいは、第１の実施の形態の変形例のコイル保持シート１００Ａ１と同じ構成である。
【０１３１】
コイル保持シート１００Ｂは、保持部１０４と逃げ穴１０２との組み合わせにより、１本のコイル２００を保持するコイル保持列１０３が構成される。そして、コイル保持シート１００Ｂは、１枚のコイル保持シート１００Ｂで複数本のコイル２００を保持可能とするため、コイル２００の軸方向と直交する向きに、所定の間隔で複数のコイル保持列１０３が形成される。
【０１３２】
保持部１０４は、１巻分のコイル２００が入る保持穴１０４ａと、保持穴１０４ａに入れられたコイル２００を保持する保持片１０４ｂを備える。保持穴１０４ａは、コイル２００の円周方向の一部が挿抜可能な形状で、コイル保持シート１００Ｂの表裏を貫通する開口によって構成される。
【０１３３】
保持穴１０４ａは、コイル２００の径方向に沿った長さＬ５が、コイル２００の外径Ｒｏより小さく構成される。これにより、コイル２００は、径方向の中心Ｏが、コイル保持シート１００Ｂと同一面となる位置まで保持穴１０４ａに入ることができない。但し、逃げ穴１０２でコイル２００の径方向の位置を決める構成であれば、保持穴１０４の長さＬ５は、コイル２００の外径Ｒｏと同等でも良いし、コイル２００の外径Ｒｏより大きくても良い。
【０１３４】
また、保持穴１０４ａは、コイル２００の軸方向に沿った長さＬ６が、軸方向に沿った１巻分のコイル２００が入る長さで構成される。
【０１３５】
保持片１０４ｂは、保持穴１０４ａにおいてコイル２００の軸方向に沿った一方の辺から、コイル２００の軸方向に沿って突出する。保持片１０４ｂは、保持穴１０４ａで構成される空間の一部を開閉可能に閉塞し、コイル２００を着脱可能に保持する。
【０１３６】
コイル２００の径方向に沿った保持片１０４ｂの長さＬ７は、コイル２００の内周の直径である内径Ｒｉより小さく構成される。コイル２００がコイル保持シート１００Ｂに取り付けられると、コイル２００の円周のうちの１／２よりも広い領域の一部が、コイル保持シート１００Ｂの一方の側である表面側に突出し、コイル２００の円周のうちの１／２よりも狭い領域の一部が、コイル保持シート１００Ｂの他方の側である裏面側に突出する。
【０１３７】
すなわち、コイル２００の径方向の中心Ｏを、コイル保持シート１００Ｂに対して一方の側である表面側にオフセットした形態で、コイル２００がコイル保持シート１００Ｂに保持される。このため、保持片１０４ｂは、コイル保持シート１００Ｂでコイル２００を保持する位置におけるコイル２００の内周側の間隔に合わせた長さを有する。
【０１３８】
コイル保持シート１００Ｂは、コイル２００の軸方向に沿って、コイル保持列１０３の複数個所に、保持部１０４が形成される保持部形成箇所１０３ａを備える。本例では、コイル２００の軸方向に沿って所定の間隔を開けた４か所に保持部形成箇所１０３ａを備える。
【０１３９】
また、コイル保持シート１００Ｂは、各保持部形成箇所１０３ａに少なくとも一つの保持部１０４が設けられ、本例では、各保持部形成箇所１０３ａに、２組の保持部１０４がコイル２００のピッチＰに合わせて設けられる。
【０１４０】
逃げ穴１０２は、コイル２００の円周方向の一部が挿抜可能な形状で、コイル保持シート１００Ｂの表裏を貫通する開口によって構成される。逃げ穴１０２は、コイル保持シート１００Ｂに保持部１０４で保持されたコイル２００の軸方向に沿って、保持部形成箇所１０３ａに並列して設けられる。
【０１４１】
逃げ穴１０２は、コイル２００の径方向に沿った長さＬ３が、コイル２００の外径Ｒｏより小さく構成される。これにより、コイル２００は、径方向の中心Ｏが、コイル保持シート１００Ｂと同一面となる位置まで逃げ穴１０２に入ることができない。
【０１４２】
従って、コイル２００は、コイル保持シート１００Ｂに対し裏面側への突出高さより表面側への突出高さが大きくなるようにオフセットした状態で、コイル保持シート１００Ｂに保持される。そして、オフセット量は、逃げ穴１０２のコイル２００の径方向に沿った長さＬ３で決められる。
【０１４３】
逃げ穴１０２は、コイル２００の軸方向に沿った長さＬ４が、軸方向に沿った２巻分以上のコイル２００が入る長さで構成される。本例では、コイル２００の巻数に応じて、２巻分のコイル２００が入る長さの逃げ穴１０２と、４巻分のコイル２００が入る長さの逃げ穴１０２と、６巻分のコイル２００が入る長さの逃げ穴１０２が設けられる。
【０１４４】
コイル保持列１０３は、コイル２００の軸方向に並列する逃げ穴１０２の間に、逃げ穴１０２において、コイル２００の径方向の一方の辺と他方の辺との間をつなぐ連結部１０３ｂが形成される。
【０１４５】
＜第２の実施の形態のコイル保持シートの変形例＞
図４２は、第２の実施の形態のコイル保持シートの変形例を示す正面図である。また、図４３〜図４７は、コイルを保持した第２の実施の形態の変形例のコイル保持シートを示し、図４３は、コイルを保持した第２の実施の形態の変形例のコイル保持シートの正面図、図４４は、コイルを保持した第２の実施の形態の変形例のコイル保持シートの背面図である。また、図４５は、コイルを保持した第２の実施の形態の変形例のコイル保持シートの側面図、図４６は、コイルを保持した第２の実施の形態の変形例のコイル保持シートの上面図である。更に、図４７は、コイルを保持した第２の実施の形態の変形例のコイル保持シートの斜視図である。
【０１４６】
第２の実施の形態の変形例のコイル保持シート１００Ｂ２は、コイル２００を保持する保持部１０４と、コイル２００の円周方向の一部を、コイル保持シート１００Ｂ２の一の面である表面から他の面である裏面に逃がす逃げ穴１０２を備える。コイル保持シート１００Ｂ２は、コイル２００の軸方向に沿った各逃げ穴１０２の長さＬ４が、１巻分のコイル２００が入る長さで構成される。他の構成は、第２の実施の形態のコイル保持シート１００Ｂと同様である。
【０１４７】
すなわち、コイル保持シート１００Ｂ２は、保持部１０４と逃げ穴１０２との組み合わせにより、１本のコイル２００を保持するコイル保持列１０３が構成される。そして、コイル保持シート１００Ｂ２は、１枚のコイル保持シート１００Ｂ２で複数本のコイル２００を保持可能とするため、コイル２００の軸方向と直交する向きに、所定の間隔で複数のコイル保持列１０３が形成される。
【０１４８】
保持部１０４は、１巻分のコイル２００が入る保持穴１０４ａと、保持穴１０４ａに入れられたコイル２００を保持する保持片１０４ｂを備える。保持穴１０４ａは、コイル２００の円周方向の一部が挿抜可能な形状で、コイル保持シート１００Ｂ２の表裏を貫通する開口によって構成される。
【０１４９】
保持穴１０４ａは、コイル２００の径方向に沿った長さＬ５が、コイル２００の外径Ｒｏより小さく構成される。これにより、コイル２００は、径方向の中心Ｏが、コイル保持シート１００Ｂ２と同一面となる位置まで保持穴１０４ａに入ることができない。但し、逃げ穴１０２でコイル２００の径方向の位置を決める構成であれば、保持穴１０４の長さＬ５は、コイル２００の外径Ｒｏと同等でも良いし、コイル２００の外径Ｒｏより大きくても良い。
【０１５０】
また、保持穴１０４ａは、コイル２００の軸方向に沿った長さＬ６が、軸方向に沿った１巻分のコイル２００が入る長さで構成される。
【０１５１】
保持片１０４ｂは、保持穴１０４ａにおいてコイル２００の軸方向に沿った一方の辺から、コイル２００の軸方向に沿って突出する。保持片１０４ｂは、保持穴１０４ａで構成される空間の一部を開閉可能に閉塞し、コイル２００を着脱可能に保持する。
【０１５２】
コイル２００の径方向に沿った保持片１０４ｂの長さＬ７は、コイル２００の内周の直径である内径Ｒｉより小さく構成される。コイル２００がコイル保持シート１００Ｂ２に取り付けられると、コイル２００の円周のうちの１／２よりも広い領域の一部が、コイル保持シート１００Ｂ２の一方の側である表面側に突出し、コイル２００の円周のうちの１／２よりも狭い領域の一部が、コイル保持シート１００Ｂ２の他方の側である裏面側に突出する。
【０１５３】
すなわち、コイル２００の径方向の中心Ｏを、コイル保持シート１００Ｂ２に対して一方の側である表面側にオフセットした形態で、コイル２００がコイル保持シート１００Ｂ２に保持される。このため、保持片１０４ｂは、コイル保持シート１００Ｂ２でコイル２００を保持する位置におけるコイル２００の内周側の間隔に合わせた長さを有する。
【０１５４】
コイル保持シート１００Ｂ２は、コイル２００の軸方向に沿って、コイル保持列１０３の複数個所に、保持部１０４が形成される保持部形成箇所１０３ａを備える。本例では、コイル２００の軸方向に沿って所定の間隔を開けた４か所に保持部形成箇所１０３ａを備える。
【０１５５】
また、コイル保持シート１００Ｂ２は、各保持部形成箇所１０３ａに少なくとも一つの保持部１０４が設けられ、本例では、各保持部形成箇所１０３ａに、２組の保持部１０４がコイル２００のピッチＰに合わせて設けられる。
【０１５６】
逃げ穴１０２は、コイル２００の円周方向の一部が挿抜可能な形状で、コイル保持シート１００Ｂ２の表裏を貫通する開口によって構成される。逃げ穴１０２は、コイル保持シート１００Ｂ２に保持部１０４で保持されたコイル２００の軸方向に沿って、保持部形成箇所１０３ａに並列して設けられる。
【０１５７】
逃げ穴１０２は、コイル２００の径方向に沿った長さＬ３が、コイル２００の外径Ｒｏより小さく構成される。これにより、コイル２００は、径方向の中心Ｏが、コイル保持シート１００Ｂ２と同一面となる位置まで逃げ穴１０２に入ることができない。
【０１５８】
従って、コイル２００は、コイル保持シート１００Ｂ２に対し裏面側への突出高さより表面側への突出高さが大きくなるようにオフセットした状態で、コイル保持シート１００Ｂ２に保持される。そして、オフセット量は、逃げ穴１０２のコイル２００の径方向に沿った長さＬ３で決められる。
【０１５９】
逃げ穴１０２は、コイル２００の軸方向に沿った長さＬ４が、軸方向に沿った１巻分のコイル２００が入る長さで構成される。
【０１６０】
コイル保持列１０３は、コイル２００の軸方向に並列する逃げ穴１０２の間に、逃げ穴１０２において、コイル２００の径方向の一方の辺と他方の辺との間をつなぐ連結部１０３ｂが形成される。
【０１６１】
図４８は、第２の実施の形態のコイル保持シートの他の変形例を示す正面図である。また、図４９〜図５３は、コイルを保持した第２の実施の形態の他の変形例のコイル保持シートを示し、図４９は、コイルを保持した第２の実施の形態の他の変形例のコイル保持シートの正面図、図５０は、コイルを保持した第２の実施の形態の他の変形例のコイル保持シートの背面図である。また、図５１は、コイルを保持した第２の実施の形態の他の変形例のコイル保持シートの側面図、図５２は、コイルを保持した第２の実施の形態の他の変形例のコイル保持シートの上面図である。更に、図５３は、コイルを保持した第２の実施の形態の他の変形例のコイル保持シートの斜視図である。
【０１６２】
第２の実施の形態の変形例のコイル保持シート１００Ｂ３は、コイル２００を保持する保持部１０４を備える。コイル保持シート１００Ｂ３は、図３５等で説明した、コイル２００の円周方向の一部をコイル保持シート１００Ｂ３の裏面に逃がす逃げ穴１０２を設けていない。
【０１６３】
すなわち、コイル保持シート１００Ｂ３は、保持部１０４により１本のコイル２００を保持するコイル保持列１０３が構成される。そして、コイル保持シート１００Ｂ３は、１枚のコイル保持シート１００Ｂ３で複数本のコイル２００を保持可能とするため、コイル２００の軸方向と直交する向きに、所定の間隔で複数のコイル保持列１０３が形成される。
【０１６４】
保持部１０４は、１巻分のコイル２００が入る保持穴１０４ａと、保持穴１０４ａに入れられたコイル２００を保持する保持片１０４ｂを備える。保持穴１０４ａは、コイル２００の円周方向の一部が挿抜可能な形状で、コイル保持シート１００Ｂ３の表裏を貫通する開口によって構成される。
【０１６５】
保持穴１０４ａは、コイル２００の径方向に沿った長さＬ５が、コイル２００の外径Ｒｏより小さく構成される。これにより、コイル２００は、径方向の中心Ｏが、コイル保持シート１００Ｂ３と同一面となる位置まで保持穴１０４ａに入ることができない。
【０１６６】
また、保持穴１０４ａは、コイル２００の軸方向に沿った長さＬ６が、軸方向に沿った１巻分のコイル２００が入る長さで構成される。
【０１６７】
保持片１０４ｂは、保持穴１０４ａにおいてコイル２００の軸方向に沿った一方の辺から、コイル２００の軸方向に沿って突出する。保持片１０４ｂは、保持穴１０４ａで構成される空間の一部を開閉可能に閉塞し、コイル２００を着脱可能に保持する。
【０１６８】
コイル２００の径方向に沿った保持片１０４ｂの長さＬ７は、コイル２００の内周の直径である内径Ｒｉより小さく構成される。コイル２００がコイル保持シート１００Ｂ３に取り付けられると、保持部形成箇所１０３ａでは、コイル２００の円周のうちの１／２よりも広い領域の一部が、コイル保持シート１００Ｂ３の一方の側である表面側に突出し、コイル２００の円周のうちの１／２よりも狭い領域の一部が、コイル保持シート１００Ｂ３の他方の側である裏面側に突出する。保持部１０４が設けられていない位置では、コイル２００は、円周方向の全体が、コイル保持シート１００Ｂ３の表面側に突出する。
【０１６９】
すなわち、コイル２００の径方向の中心Ｏを、コイル保持シート１００Ｂ３に対して一方の側である表面側にオフセットした形態で、コイル２００がコイル保持シート１００Ｂ３に保持される。このため、保持片１０４ｂは、コイル保持シート１００Ｂ３でコイル２００を保持する位置におけるコイル２００の内周側の間隔に合わせた長さを有する。
【０１７０】
コイル保持シート１００Ｂ３は、コイル２００の軸方向に沿って、コイル保持列１０３の複数個所に、保持部１０４が形成される保持部形成箇所１０３ａを備える。本例では、コイル２００の軸方向に沿って所定の間隔を開けた４か所に保持部形成箇所１０３ａを備える。
【０１７１】
また、コイル保持シート１００Ｂ３は、各保持部形成箇所１０３ａに少なくとも一つの保持部１０４が設けられ、本例では、各保持部形成箇所１０３ａに、２組の保持部１０４がコイル２００のピッチＰに合わせて設けられる。
【０１７２】
コイル保持シート１００Ｂ３は、保持部形成箇所１０３ａの間は、表裏を貫通する開口は設けられておらず、コイル２００の外周を面で支持するコイル支持部１０３ｃが形成される。
【０１７３】
図５４は、第２の実施の形態のコイル保持シートの他の変形例を示す正面図である。また、図５５〜図５９は、コイルを保持した第２の実施の形態の他の変形例のコイル保持シートを示し、図５５は、コイルを保持した第２の実施の形態の他の変形例のコイル保持シートの正面図、図５６は、コイルを保持した第２の実施の形態の他の変形例のコイル保持シートの背面図である。また、図５７は、コイルを保持した第２の実施の形態の他の変形例のコイル保持シートの側面図、図５８は、コイルを保持した第２の実施の形態の他の変形例のコイル保持シートの上面図である。更に、図５９は、コイルを保持した第２の実施の形態の他の変形例のコイル保持シートの斜視図である。
【０１７４】
第２の実施の形態の変形例のコイル保持シート１００Ｂ４は、コイル２００を保持する保持部１０４を備える。コイル保持シート１００Ｂ４は、図３５等で説明した、コイル２００の円周方向の一部をコイル保持シート１００Ｂ４の裏面に逃がす逃げ穴１０２を設けておらず、コイル２００のピッチＰに合わせて、コイル２００の巻数分以上の保持部１０４を備えている。
【０１７５】
すなわち、コイル保持シート１００Ｂ４は、保持部１０４により１本のコイル２００を保持するコイル保持列１０３が構成される。そして、コイル保持シート１００Ｂ４は、１枚のコイル保持シート１００Ｂ４で複数本のコイル２００を保持可能とするため、コイル２００の軸方向と直交する向きに、所定の間隔で複数のコイル保持列１０３が形成される。
【０１７６】
保持部１０４は、１巻分のコイル２００が入る保持穴１０４ａと、保持穴１０４ａに入れられたコイル２００を保持する保持片１０４ｂを備える。保持穴１０４ａは、コイル２００の円周方向の一部が挿抜可能な形状で、コイル保持シート１００Ｂ４の表裏を貫通する開口によって構成される。
【０１７７】
保持穴１０４ａは、コイル２００の径方向に沿った長さＬ５が、コイル２００の外径Ｒｏより小さく構成される。これにより、コイル２００は、径方向の中心Ｏが、コイル保持シート１００Ｂ４と同一面となる位置まで保持穴１０４ａに入ることができない。
【０１７８】
また、保持穴１０４ａは、コイル２００の軸方向に沿った長さＬ６が、軸方向に沿った１巻分のコイル２００が入る長さで構成される。
【０１７９】
保持片１０４ｂは、保持穴１０４ａにおいてコイル２００の軸方向に沿った一方の辺から、コイル２００の軸方向に沿って突出する。保持片１０４ｂは、保持穴１０４ａで構成される空間の一部を開閉可能に閉塞し、コイル２００を着脱可能に保持する。
【０１８０】
コイル２００の径方向に沿った保持片１０４ｂの長さＬ７は、コイル２００の内周の直径である内径Ｒｉより小さく構成される。コイル２００がコイル保持シート１００Ｂ４に取り付けられると、コイル２００の円周のうちの１／２よりも広い領域の一部が、コイル保持シート１００Ｂ４の一方の側である表面側に突出し、コイル２００の円周のうちの１／２よりも狭い領域の一部が、コイル保持シート１００Ｂ４の他方の側である裏面側に突出する。
【０１８１】
すなわち、コイル２００の径方向の中心Ｏを、コイル保持シート１００Ｂ４に対して一方の側である表面側にオフセットした形態で、コイル２００がコイル保持シート１００Ｂ４に保持される。このため、保持片１０４ｂは、コイル保持シート１００Ｂ４でコイル２００を保持する位置におけるコイル２００の内周側の間隔に合わせた長さを有する。
【０１８２】
コイル保持シート１００Ｂ４は、各コイル保持列１０３に、コイル２００のピッチＰに合わせて、コイル２００の巻数分と同数、あるいは巻数分以上の保持部１０４を備える。このため、各コイル保持列１０３の全体が保持部形成箇所１０３ａとなる。
【０１８３】
＜第２の実施の形態のコイル保持シートの作用効果例＞
コイル保持シート１００Ｂは、各コイル保持列１０３に１本ずつコイル２００が保持される。保持部形成箇所１０３ａでは、コイル２００の円周方向の一部が、保持片１０４ｂを超えてコイル保持シート１００Ｂの裏面側へ入る。
【０１８４】
コイル保持シート１００Ｂ２、１００Ｂ３、１００Ｂ４も同様に、各コイル保持列１０３に１本ずつコイル２００が保持される。保持部形成箇所１０３ａでは、コイル２００の円周方向の一部が、保持片１０４ｂを超えてコイル保持シート１００Ｂ２、１００Ｂ３、１００Ｂ４の裏面側へ入る。
【０１８５】
これにより、保持部１０４では、コイル２００の内周側に、保持片１０４ｂが入る。保持片１０４ｂと保持穴１０４ａの間隔は、コイル２００をコイル保持シート１００Ｂ、１００Ｂ２、１００Ｂ３、１００Ｂ４から外し得る外力が加わらなければ、コイル２００が通過し得る間隔とはならない。従って、不用意な外力がコイル２００に掛かった場合に、コイル２００が保持部１０４から抜けることを、保持片１０４ｂにより抑制することができる。
【０１８６】
また、各保持部形成箇所１０３ａに、保持部１０４がコイル２００のピッチＰに合わせて２組以上設けられることで、１箇所の保持部１０４でコイル２００が外れても、隣接する他の保持部１０４でコイル２００の保持が可能である。
【０１８７】
逃げ穴１０２が設けられたコイル保持シート１００Ｂ，１００Ｂ２は、コイル２００がコイル保持列１０３に保持されると、逃げ穴１０２が形成された部位では、コイル２００の円周方向の一部が逃げ穴１０２に入る。逃げ穴１０２では、コイル２００の径方向の中心Ｏが、コイル保持シート１００Ｂ、１００Ｂ２と同一面となる位置までコイル２００が入ることができない。
【０１８８】
従って、コイル２００は、コイル保持シート１００Ｂ、１００Ｂ２に対し裏面側への突出高さより表面側への突出高さが大きくなるようにオフセットした状態で、コイル保持シート１００Ｂ、１００Ｂ２に保持される。
【０１８９】
また、逃げ穴１０２が設けられていないコイル保持シート１００Ｂ３では、保持部形成箇所１０３ａの間は、コイル２００の外周を面で保持するコイル支持部１０３ｃが形成される。
【０１９０】
これにより、コイル保持シート１００Ｂ３に保持されたコイル２００は、保持部形成箇所１０３ａでは、保持片１０４ｂの長さ等、保持部１０４の形状により、コイル保持シート１００Ｂ３に対し裏面側への突出高さより表面側への突出高さが大きくなるようにオフセットした状態となる。また、コイル保持シート１００Ｂ３に保持されたコイル２００は、コイル支持部１０３ｃの形成箇所では、円周方向の全体が、コイル保持シート１００Ｂ３の表面側に突出して、コイル保持シート１００Ｂ３の表面側にオフセットされた状態となる。
【０１９１】
更に、逃げ穴１０２が設けられておらず、コイル２００の巻数に合わせて保持部１０４が形成されたコイル保持シート１００Ｂ４では、保持片１０４ｂの長さ等、保持部１０４の形状により、コイル保持シート１００Ｂ４に対し裏面側への突出高さより表面側への突出高さが大きくなるようにオフセットした状態で、コイル２００がコイル保持シート１００Ｂ４に保持される。
【０１９２】
逃げ穴１０２が設けられたコイル保持シート１００Ｂ、１００Ｂ２にコイル２００が保持された状態では、コイル保持シート１００Ｂ、１００Ｂ２を裏面側から見た状態でも、逃げ穴１０２にコイル２００の一部が露出することで、コイル２００が保持されていることを容易に確認可能である。特に、図３８に示すように、逃げ穴１０２の長さＬ４が、軸方向に沿った複数巻分のコイル２００が入る長さで構成されることで、視認性が向上する。
【０１９３】
これに対し、コイル保持シート１００Ｂ２のように、各逃げ穴１０２の開口面積を小さくすることで、連結部１０３ｂの本数を増やすことができ、コイル保持シート１００Ｂ２の撓み等に対する強度を向上させることができる。
【０１９４】
但し、逃げ穴１０２の長さＬ４を、コイル２００の１巻分が入る長さにすると、逃げ穴１０２の開口面積が小さくなり、開口面積が大きい場合と比較して、コイル保持シート１００Ｂ２を製造する工程での作業性が低下する。このため、逃げ穴１０２の長さＬ４が、軸方向に沿った複数巻分のコイル２００が入る長さで構成されることが好ましい。
【０１９５】
コイル２００をコイル保持シート１００Ｂから取り外す場合は、コイル２００をコイル保持シート１００Ｂに沿った方向にコイル２００とコイル保持シート１００Ｂを相対移動させる等、コイル２００をコイル保持シート１００Ｂから離す方向に移動させる力を、コイル保持シート１００Ｂの表面側からコイル２００に加える。
【０１９６】
コイル２００をコイル保持シート１００Ｂから離す方向等に力を加えることで、コイル２００によって保持片１０４ｂが押されて保持片１０４ｂが変形し、保持片１０４ｂと保持穴１０４ａとの間隔が広げられてコイル２００が保持穴１０４ａを抜ける。これにより、コイル２００がコイル保持シート１００Ｂから取り外される。
【０１９７】
コイル２００をコイル保持シート１００Ｂ２、１００Ｂ３、１００Ｂ４から取り外す場合も、コイル保持シート１００Ｂと同様に、コイル２００をコイル保持シート１００Ｂ２、１００Ｂ３、１００Ｂ４に沿った方向にコイル２００とコイル保持シート１００Ｂ２、１００Ｂ３、１００Ｂ４を相対移動させる等、コイル２００をコイル保持シート１００Ｂ２、１００Ｂ３、１００Ｂ４から離す方向に移動させる力を、コイル保持シート１００Ｂ２、１００Ｂ３、１００Ｂ４の表面側からコイル２００に加える。
【０１９８】
コイル２００をコイル保持シート１００Ｂ２、１００Ｂ３、１００Ｂ４から離す方向等に力を加えることで、コイル２００によって保持片１０４ｂが押されて保持片１０４ｂが変形し、保持片１０４ｂと保持穴１０４ａとの間隔が広げられてコイル２００が保持穴１０４ａを抜ける。これにより、コイル２００がコイル保持シート１００Ｂ２、１００Ｂ３、１００Ｂ４から取り外される。
【０１９９】
上述したように、コイル２００は、コイル保持シート１００Ｂ、１００Ｂ２、１００Ｂ３、１００Ｂ４に対し裏面側への突出高さより表面側への突出高さが大きくなるようにオフセットした状態で、コイル保持シート１００Ｂ、１００Ｂ２、１００Ｂ３、１００Ｂ４に保持される。これにより、コイル２００をコイル保持シート１００Ｂ、１００Ｂ２、１００Ｂ３、１００Ｂ４から取り外す力を、コイル保持シート１００Ｂ、１００Ｂ２、１００Ｂ３、１００Ｂ４の表面側から確実に掛けることが可能になる。
【０２００】
また、コイル２００をコイル保持シート１００Ｂ、１００Ｂ２、１００Ｂ３、１００Ｂ４に取り付ける場合は、コイル２００の位置をコイル保持列１０３に合わせて、コイル２００をコイル保持シート１００Ｂ、１００Ｂ２、１００Ｂ３、１００Ｂ４に押し付ける方向に力を加える。
【０２０１】
これにより、コイル２００によって保持片１０４ｂが押されて保持片１０４ｂが変形し、保持片１０４ｂと保持穴１０４ａとの間隔が広げられてコイル２００が保持穴１０４ａを通る。よって、コイル２００の円周方向の一部が、コイル保持シート１００Ｂ、１００Ｂ２、１００Ｂ３、１００Ｂ４の裏面側へ入る。
【０２０２】
従って、コイル保持シート１００Ｂ、１００Ｂ２、１００Ｂ３、１００Ｂ４の裏面側へ入った部位のコイル２００が保持片１０４ｂで押さえられ、コイル２００がコイル保持シート１００Ｂ、１００Ｂ２、１００Ｂ３、１００Ｂ４に取り付けられる。
【０２０３】
このように、コイル２００をコイル保持シート１００Ｂ、１００Ｂ２、１００Ｂ３、１００Ｂ４に取り付ける動作では、コイル保持シート１００Ｂ、１００Ｂ２、１００Ｂ３、１００Ｂ４の所定の部位を予め変形させておく等の操作を必要としない。従って、単体のコイル２００をコイル保持シート１００Ｂ、１００Ｂ２、１００Ｂ３、１００Ｂ４に取り付けて使用することが容易に行える。
【０２０４】
コイル保持シート１００Ｂでは、抜き穴１０２は、コイル２００の複数巻分の長さを有するので、抜きカスが大きくなり、抜き穴１０２の製造工程での抜きカスの発生数量を抑えることができる。
【０２０５】
また、コイル保持シート１００Ｂ３、１００Ｂ４では、コイル保持シート１００Ｂ３、１００Ｂ４を製造する工程で逃げ穴を開ける工程が不要であり、作業性が向上する。また、コイル保持シート１００Ｂ、コイル保持シート１００Ｂ２では、保持部１０４の個数を増減させるとともに逃げ穴１０２の個数を増減させて組み合わせることにより、コイル保持シート１００Ｂ、コイル保持シート１００Ｂ２におけるコイル２００の保持力を調整することが容易に行える。また、コイル保持シート１００Ｂ３では、保持部１０４の個数を増減させるとともにコイル支持部１０３ｃの領域を増減させて組み合わせることにより、コイル保持シート１００Ｂ３におけるコイル２００の保持力を調整することが容易に行える。
【０２０６】
＜第３の実施の形態のコイル保持シートの構成例＞
図６０は、第３の実施の形態のコイル保持シートの一例を示す正面図、図６１は、第３の実施の形態のコイル保持シートの要部構成を示す正面図である。また、図６２〜図６６は、コイルを保持した第３の実施の形態のコイル保持シートを示し、図６２は、コイルを保持した第３の実施の形態のコイル保持シートの正面図、図６３は、コイルを保持した第３の実施の形態のコイル保持シートの背面図である。また、図６４は、コイルを保持した第３の実施の形態のコイル保持シートの側面図、図６５は、コイルを保持した第３の実施の形態のコイル保持シートの上面図である。更に、図６６は、コイルを保持した第３の実施の形態のコイル保持シートの斜視図である。
【０２０７】
第３の実施の形態のコイル保持シート１００Ｃは、コイル２００を保持する保持部１０５と、コイル２００の円周方向の一部を、コイル保持シート１００Ｃの一の面である表面から他の面である裏面に逃がす逃げ穴１０２を備える。ここで、逃げ穴１０２は、第１の実施の形態のコイル保持シート１００Ａ、あるいは、第１の実施の形態の変形例のコイル保持シート１００Ａ１と同じ構成である。
【０２０８】
コイル保持シート１００Ｃは、保持部１０５と逃げ穴１０２との組み合わせにより、１本のコイル２００を保持するコイル保持列１０３が構成される。そして、コイル保持シート１００Ｃは、１枚のコイル保持シート１００Ｃで複数本のコイル２００を保持可能とするため、コイル２００の軸方向と直交する向きに、所定の間隔で複数のコイル保持列１０３が形成される。
【０２０９】
保持部１０５は、１巻分のコイル２００が入る一対の保持穴１０５ａと、一対の保持穴１０５ａの間に設けられたスリット１０５ｂを備える。保持穴１０５ａは、コイル２００の円周方向の一部が挿抜可能な形状で、コイル保持シート１００Ｃの表裏を貫通する開口によって構成される。
【０２１０】
一対の保持穴１０５ａのコイル２００の径方向に沿った外辺間の間隔Ｌ８は、コイル２００の外径Ｒｏより大きく構成される。また、保持穴１０５ａは、コイル２００の軸方向に沿った長さＬ９が、軸方向に沿った１巻分のコイル２００が入る長さで構成される。
【０２１１】
スリット１０５ｂは、一方の保持穴１０５ａの内辺側と他方の保持穴１０５ａの内辺側との間に、コイル保持シート１００Ｃの表裏を貫通する直線状の切り込みが入れられて形成され、一対の保持穴１０５ａが、スリット１０５ｂでつながる。
【０２１２】
コイル保持シート１００Ｃは、コイル２００の軸方向に沿って、スリット１０５ｂの両側にスリット１０５ｂ方向に突出する保持片１０５ｃを備える。保持片１０５ｃは、保持穴１０５ａ及びスリット１０５ｂで構成され得る空間を開閉可能に閉塞し、コイル２００を着脱可能に保持する。
【０２１３】
スリット１０５ｂの長さＬ１０は、コイル２００の内周の直径である内径Ｒｉより小さく構成される。コイル２００がコイル保持シート１００Ｃに取り付けられると、コイル２００の円周のうちの１／２よりも広い領域の一部が、コイル保持シート１００Ｃの一方の側である表面側に突出し、コイル２００の円周のうちの１／２よりも狭い領域の一部が、コイル保持シート１００Ｃの他方の側である裏面側に突出する。
【０２１４】
すなわち、コイル２００の径方向の中心Ｏを、コイル保持シート１００Ｃに対して一方の側である表面側にオフセットした形態で、コイル２００がコイル保持シート１００Ｃに保持される。このため、スリット１０５ｂは、コイル保持シート１００Ｃでコイル２００を保持する位置におけるコイル２００の内周側の間隔に合わせた長さを有する。
【０２１５】
コイル保持シート１００Ｃは、コイル２００の軸方向に沿って、コイル保持列１０３の複数個所に、保持部１０５が形成される保持部形成箇所１０３ａを備える。本例では、コイル２００の軸方向に沿って所定の間隔を開けた４か所に保持部形成箇所１０３ａを備える。
【０２１６】
また、コイル保持シート１００Ｃは、各保持部形成箇所１０３ａに少なくとも一つの保持部１０５が設けられ、本例では、各保持部形成箇所１０３ａに、２組の保持部１０５がコイル２００のピッチＰに合わせて設けられる。
【０２１７】
逃げ穴１０２は、コイル２００の円周方向の一部が挿抜可能な形状で、コイル保持シート１００Ｃの表裏を貫通する開口によって構成される。逃げ穴１０２は、コイル保持シート１００Ｃに保持部１０５で保持されたコイル２００の軸方向に沿って、保持部形成箇所１０３ａに並列して設けられる。
【０２１８】
逃げ穴１０２は、コイル２００の径方向に沿った長さＬ３が、コイル２００の外径Ｒｏより小さく構成される。これにより、コイル２００は、径方向の中心Ｏが、コイル保持シート１００Ｃと同一面となる位置まで逃げ穴１０２に入ることができない。
【０２１９】
従って、コイル２００は、コイル保持シート１００Ｃに対し裏面側への突出高さより表面側への突出高さが大きくなるようにオフセットした状態で、コイル保持シート１００Ｃに保持される。そして、オフセット量は、逃げ穴１０２のコイル２００の径方向に沿った長さＬ３で決められる。
【０２２０】
逃げ穴１０２は、コイル２００の軸方向に沿った長さＬ４が、軸方向に沿った２巻分以上のコイル２００が入る長さで構成される。本例では、コイル２００の巻数に応じて、２巻分のコイル２００が入る長さの逃げ穴１０２と、４巻分のコイル２００が入る長さの逃げ穴１０２と、６巻分のコイル２００が入る長さの逃げ穴１０２が設けられる。
【０２２１】
コイル保持列１０３は、コイル２００の軸方向に並列する逃げ穴１０２の間に、逃げ穴１０２において、コイル２００の径方向の一方の辺と他方の辺との間をつなぐ連結部１０３ｂが形成される。
【０２２２】
＜第３の実施の形態のコイル保持シートの変形例＞
図６７は、第３の実施の形態のコイル保持シートの変形例を示す正面図である。また、図６８〜図７２は、コイルを保持した第３の実施の形態の変形例のコイル保持シートを示し、図６８は、コイルを保持した第３の実施の形態の変形例のコイル保持シートの正面図、図６９は、コイルを保持した第３の実施の形態の変形例のコイル保持シートの背面図である。また、図７０は、コイルを保持した第３の実施の形態の変形例のコイル保持シートの側面図、図７１は、コイルを保持した第３の実施の形態の変形例のコイル保持シートの上面図である。更に、図７２は、コイルを保持した第３の実施の形態の変形例のコイル保持シートの斜視図である。
【０２２３】
第３の実施の形態の変形例のコイル保持シート１００Ｃ２は、コイル２００を保持する保持部１０５と、コイル２００の円周方向の一部を、コイル保持シート１００Ｃ２の一の面である表面から他の面である裏面に逃がす逃げ穴１０２を備える。コイル保持シート１００Ｃ２は、コイル２００の軸方向に沿った各逃げ穴１０２の長さＬ４が、１巻分のコイル２００が入る長さで構成される。他の構成は、第３の実施の形態のコイル保持シート１００Ｃと同様である。
【０２２４】
すなわち、コイル保持シート１００Ｃ２は、保持部１０５と逃げ穴１０２との組み合わせにより、１本のコイル２００を保持するコイル保持列１０３が構成される。そして、コイル保持シート１００Ｃ２は、１枚のコイル保持シート１００Ｃ２で複数本のコイル２００を保持可能とするため、コイル２００の軸方向と直交する向きに、所定の間隔で複数のコイル保持列１０３が形成される。
【０２２５】
保持部１０５は、１巻分のコイル２００が入る一対の保持穴１０５ａと、一対の保持穴１０５ａの間に設けられたスリット１０５ｂを備える。保持穴１０５ａは、コイル２００の円周方向の一部が挿抜可能な形状で、コイル保持シート１００Ｃ２の表裏を貫通する開口によって構成される。
【０２２６】
一対の保持穴１０５ａのコイル２００の径方向に沿った外辺間の間隔Ｌ８は、コイル２００の外径Ｒｏより大きく構成される。また、保持穴１０５ａは、コイル２００の軸方向に沿った長さＬ９が、軸方向に沿った１巻分のコイル２００が入る長さで構成される。
【０２２７】
スリット１０５ｂは、一方の保持穴１０５ａの内辺側と他方の保持穴１０５ａの内辺側との間に、コイル保持シート１００Ｃ２の表裏を貫通する直線状の切り込みが入れられて形成され、一対の保持穴１０５ａが、スリット１０５ｂでつながる。
【０２２８】
コイル保持シート１００Ｃ２は、コイル２００の軸方向に沿って、スリット１０５ｂの両側にスリット１０５ｂ方向に突出する保持片１０５ｃを備える。保持片１０５ｃは、保持穴１０５ａ及びスリット１０５ｂで構成され得る空間を開閉可能に閉塞し、コイル２００を着脱可能に保持する。
【０２２９】
スリット１０５ｂの長さＬ１０は、コイル２００の内周の直径である内径Ｒｉより小さく構成される。コイル２００がコイル保持シート１００Ｃ２に取り付けられると、コイル２００の円周のうちの１／２よりも広い領域の一部が、コイル保持シート１００Ｃ２の一方の側である表面側に突出し、コイル２００の円周のうちの１／２よりも狭い領域の一部が、コイル保持シート１００Ｃ２の他方の側である裏面側に突出する。
【０２３０】
すなわち、コイル２００の径方向の中心Ｏを、コイル保持シート１００Ｃ２に対して一方の側である表面側にオフセットした形態で、コイル２００がコイル保持シート１００Ｃ２に保持される。このため、スリット１０５ｂは、コイル保持シート１００Ｃ２でコイル２００を保持する位置におけるコイル２００の内周側の間隔に合わせた長さを有する。
【０２３１】
コイル保持シート１００Ｃ２は、コイル２００の軸方向に沿って、コイル保持列１０３の複数個所に、保持部１０５が形成される保持部形成箇所１０３ａを備える。本例では、コイル２００の軸方向に沿って所定の間隔を開けた４か所に保持部形成箇所１０３ａを備える。
【０２３２】
また、コイル保持シート１００Ｃ２は、各保持部形成箇所１０３ａに少なくとも一つの保持部１０５が設けられ、本例では、各保持部形成箇所１０３ａに、２組の保持部１０５がコイル２００のピッチＰに合わせて設けられる。
【０２３３】
逃げ穴１０２は、コイル２００の円周方向の一部が挿抜可能な形状で、コイル保持シート１００Ｃ２の表裏を貫通する開口によって構成される。逃げ穴１０２は、コイル保持シート１００Ｃ２に保持部１０５で保持されたコイル２００の軸方向に沿って、保持部形成箇所１０３ａに並列して設けられる。
【０２３４】
逃げ穴１０２は、コイル２００の径方向に沿った長さＬ３が、コイル２００の外径Ｒｏより小さく構成される。これにより、コイル２００は、径方向の中心Ｏが、コイル保持シート１００Ｃ２と同一面となる位置まで逃げ穴１０２に入ることができない。
【０２３５】
従って、コイル２００は、コイル保持シート１００Ｃ２に対し裏面側への突出高さより表面側への突出高さが大きくなるようにオフセットした状態で、コイル保持シート１００Ｃ２に保持される。そして、オフセット量は、逃げ穴１０２のコイル２００の径方向に沿った長さＬ３で決められる。
【０２３６】
逃げ穴１０２は、コイル２００の軸方向に沿った長さＬ４が、軸方向に沿った１巻分のコイル２００が入る長さで構成される。
【０２３７】
コイル保持列１０３は、コイル２００の軸方向に並列する逃げ穴１０２の間に、逃げ穴１０２において、コイル２００の径方向の一方の辺と他方の辺との間をつなぐ連結部１０３ｂが形成される。
【０２３８】
図７３は、第３の実施の形態のコイル保持シートの他の変形例を示す正面図である。また、図７４〜図７８は、コイルを保持した第３の実施の形態の他の変形例のコイル保持シートを示し、図７４は、コイルを保持した第３の実施の形態の他の変形例のコイル保持シートの正面図、図７５は、コイルを保持した第３の実施の形態の他の変形例のコイル保持シートの背面図である。また、図７６は、コイルを保持した第３の実施の形態の他の変形例のコイル保持シートの側面図、図７７は、コイルを保持した第３の実施の形態の他の変形例のコイル保持シートの上面図である。更に、図７８は、コイルを保持した第３の実施の形態の他の変形例のコイル保持シートの斜視図である。
【０２３９】
第３の実施の形態の変形例のコイル保持シート１００Ｃ３は、コイル２００を保持する保持部１０５を備える。コイル保持シート１００Ｃ３は、図６０等で説明した、コイル２００の円周方向の一部をコイル保持シート１００Ｃ３の裏面に逃がす逃げ穴１０２を設けていない。
【０２４０】
すなわち、コイル保持シート１００Ｃ３は、保持部１０５により１本のコイル２００を保持するコイル保持列１０３が構成される。そして、コイル保持シート１００Ｃ３は、１枚のコイル保持シート１００Ｃ３で複数本のコイル２００を保持可能とするため、コイル２００の軸方向と直交する向きに、所定の間隔で複数のコイル保持列１０３が形成される。
【０２４１】
保持部１０５は、１巻分のコイル２００が入る一対の保持穴１０５ａと、一対の保持穴１０５ａの間に設けられたスリット１０５ｂを備える。保持穴１０５ａは、コイル２００の円周方向の一部が挿抜可能な形状で、コイル保持シート１００Ｃ３の表裏を貫通する開口によって構成される。
【０２４２】
一対の保持穴１０５ａのコイル２００の径方向に沿った外辺間の間隔Ｌ８は、コイル２００の外径Ｒｏより大きく構成される。また、保持穴１０５ａは、コイル２００の軸方向に沿った長さＬ９が、軸方向に沿った１巻分のコイル２００が入る長さで構成される。
【０２４３】
スリット１０５ｂは、一方の保持穴１０５ａの内辺側と他方の保持穴１０５ａの内辺側との間に、コイル保持シート１００Ｃ３の表裏を貫通する直線状の切り込みが入れられて形成され、一対の保持穴１０５ａが、スリット１０５ｂでつながる。
【０２４４】
コイル保持シート１００Ｃ３は、コイル２００の軸方向に沿って、スリット１０５ｂの両側にスリット１０５ｂ方向に突出する保持片１０５ｃを備える。保持片１０５ｃは、保持穴１０５ａ及びスリット１０５ｂで構成され得る空間を開閉可能に閉塞し、コイル２００を着脱可能に保持する。
【０２４５】
スリット１０５ｂの長さＬ１０は、コイル２００の内周の直径である内径Ｒｉより小さく構成される。コイル２００がコイル保持シート１００Ｃ３に取り付けられると、保持部形成箇所１０３ａでは、コイル２００の円周のうちの１／２よりも広い領域の一部が、コイル保持シート１００Ｃ３の一方の側である表面側に突出し、コイル２００の円周のうちの１／２よりも狭い領域の一部が、コイル保持シート１００Ｃ３の他方の側である裏面側に突出する。保持部１０５が設けられていない位置では、コイル２００は、円周方向の全体が、コイル保持シート１００Ｃ３の表面側に突出する。
【０２４６】
すなわち、コイル２００の径方向の中心Ｏを、コイル保持シート１００Ｃ３に対して一方の側である表面側にオフセットした形態で、コイル２００がコイル保持シート１００Ｃ３に保持される。このため、スリット１０５ｂは、コイル保持シート１００Ｃ３でコイル２００を保持する位置におけるコイル２００の内周側の間隔に合わせた長さを有する。
【０２４７】
コイル保持シート１００Ｃ３は、コイル２００の軸方向に沿って、コイル保持列１０３の複数個所に、保持部１０５が形成される保持部形成箇所１０３ａを備える。本例では、コイル２００の軸方向に沿って所定の間隔を開けた４か所に保持部形成箇所１０３ａを備える。
【０２４８】
また、コイル保持シート１００Ｃ３は、各保持部形成箇所１０３ａに少なくとも一つの保持部１０５が設けられ、本例では、各保持部形成箇所１０３ａに、２組の保持部１０５がコイル２００のピッチＰに合わせて設けられる。
【０２４９】
コイル保持シート１００Ｃ３は、保持部形成箇所１０３ａの間は、表裏を貫通する開口は設けられておらず、コイル２００の外周を面で支持するコイル支持部１０３ｃが形成される。
【０２５０】
図７９は、第３の実施の形態のコイル保持シートの他の変形例を示す正面図である。また、図８０〜図８４は、コイルを保持した第３の実施の形態の他の変形例のコイル保持シートを示し、図８０は、コイルを保持した第３の実施の形態の他の変形例のコイル保持シートの正面図、図８１は、コイルを保持した第３の実施の形態の他の変形例のコイル保持シートの背面図である。また、図８２は、コイルを保持した第３の実施の形態の他の変形例のコイル保持シートの側面図、図８３は、コイルを保持した第３の実施の形態の他の変形例のコイル保持シートの上面図である。更に、図８４は、コイルを保持した第３の実施の形態の他の変形例のコイル保持シートの斜視図である。
【０２５１】
第３の実施の形態の変形例のコイル保持シート１００Ｃ４は、コイル２００を保持する保持部１０５を備える。コイル保持シート１００Ｃ４は、図６０等で説明した、コイル２００の円周方向の一部をコイル保持シート１００Ｃ４の裏面に逃がす逃げ穴１０２を設けておらず、コイル２００のピッチＰに合わせて、コイル２００の巻数分以上の保持部１０５を備えている。
【０２５２】
すなわち、コイル保持シート１００Ｃ４は、保持部１０５により１本のコイル２００を保持するコイル保持列１０３が構成される。そして、コイル保持シート１００Ｃ４は、１枚のコイル保持シート１００Ｃ４で複数本のコイル２００を保持可能とするため、コイル２００の軸方向と直交する向きに、所定の間隔で複数のコイル保持列１０３が形成される。
【０２５３】
保持部１０５は、１巻分のコイル２００が入る一対の保持穴１０５ａと、一対の保持穴１０５ａの間に設けられたスリット１０５ｂを備える。保持穴１０５ａは、コイル２００の円周方向の一部が挿抜可能な形状で、コイル保持シート１００Ｃ４の表裏を貫通する開口によって構成される。
【０２５４】
一対の保持穴１０５ａのコイル２００の径方向に沿った外辺間の間隔Ｌ８は、コイル２００の外径Ｒｏより大きく構成される。また、保持穴１０５ａは、コイル２００の軸方向に沿った長さＬ９が、軸方向に沿った１巻分のコイル２００が入る長さで構成される。
【０２５５】
スリット１０５ｂは、一方の保持穴１０５ａの内辺側と他方の保持穴１０５ａの内辺側との間に、コイル保持シート１００Ｃ４の表裏を貫通する直線状の切り込みが入れられて形成され、一対の保持穴１０５ａが、スリット１０５ｂでつながる。
【０２５６】
コイル保持シート１００Ｃ４は、コイル２００の軸方向に沿って、スリット１０５ｂの両側にスリット１０５ｂ方向に突出する保持片１０５ｃを備える。保持片１０５ｃは、保持穴１０５ａ及びスリット１０５ｂで構成され得る空間を開閉可能に閉塞し、コイル２００を着脱可能に保持する。
【０２５７】
スリット１０５ｂの長さＬ１０は、コイル２００の内周の直径である内径Ｒｉより小さく構成される。コイル２００がコイル保持シート１００Ｃ４に取り付けられると、コイル２００の円周のうちの１／２よりも広い領域の一部が、コイル保持シート１００Ｃ４の一方の側である表面側に突出し、コイル２００の円周のうちの１／２よりも狭い領域の一部が、コイル保持シート１００Ｃ４の他方の側である裏面側に突出する。
【０２５８】
すなわち、コイル２００の径方向の中心Ｏを、コイル保持シート１００Ｃ４に対して一方の側である表面側にオフセットした形態で、コイル２００がコイル保持シート１００Ｃ４に保持される。このため、スリット１０５ｂは、コイル保持シート１００Ｃ４でコイル２００を保持する位置におけるコイル２００の内周側の間隔に合わせた長さを有する。
【０２５９】
コイル保持シート１００Ｃ４は、各コイル保持列１０３に、コイル２００のピッチＰに合わせて、コイル２００の巻数分と同数、あるいは巻数分以上の保持部１０４を備える。このため、各コイル保持列１０３の全体が保持部形成箇所１０３ａとなる。
【０２６０】
＜第３の実施の形態のコイル保持シートの作用効果例＞
コイル保持シート１００Ｃは、各コイル保持列１０３に１本ずつコイル２００が保持される。保持部形成箇所１０３ａでは、コイル２００の円周方向の一部が、スリット１０５ｂ及び保持片１０５ｃを超えてコイル保持シート１００Ｃの裏面側へ入る。
【０２６１】
コイル保持シート１００Ｃ２、１００Ｃ３、１００Ｃ４も、コイル保持シート１００Ｃと同様に、各コイル保持列１０３に１本ずつコイル２００が保持される。保持部形成箇所１０３ａでは、コイル２００の円周方向の一部が、スリット１０５ｂ及び保持片１０５ｃを超えてコイル保持シート１００Ｃ２、１００Ｃ３、１００Ｃ４の裏面側へ入る。
【０２６２】
これにより、保持部１０５では、コイル２００の内周側に、保持片１０５ｃが入る。スリット１０５ｂは、コイル２００をコイル保持シート１００Ｃ、１００Ｃ２、１００Ｃ３、１００Ｃ４から外し得る外力が加わらなければ、コイル２００が通過し得る間隔とはならない。従って、不用意な外力がコイル２００に掛かった場合に、コイル２００が保持部１０４から抜けることを、保持片１０５ｃにより抑制することができる。
【０２６３】
また、各保持部形成箇所１０３ａに、保持部１０５がコイル２００のピッチＰに合わせて２組以上設けられることで、１箇所の保持部１０５でコイル２００が外れても、隣接する他の保持部１０５でコイル２００の保持が可能である。
【０２６４】
逃げ穴１０２が設けられたコイル保持シート１００Ｃ，１００Ｃ２は、コイル２００がコイル保持列１０３に保持されると、逃げ穴１０２が形成された部位では、コイル２００の円周方向の一部が逃げ穴１０２に入る。逃げ穴１０２では、コイル２００の径方向の中心Ｏが、コイル保持シート１００Ｃ、１００Ｃ２と同一面となる位置までコイル２００が入ることができない。
【０２６５】
従って、コイル２００は、コイル保持シート１００Ｃ、１００Ｃ２に対し裏面側への突出高さより表面側への突出高さが大きくなるようにオフセットした状態で、コイル保持シート１００Ｃ、１００Ｃ２に保持される。
【０２６６】
また、逃げ穴１０２が設けられていないコイル保持シート１００Ｃ３では、持部形成箇所１０３ａの間は、コイル２００の外周を面で保持するコイル支持部１０３ｃが形成される。
【０２６７】
これにより、コイル保持シート１００Ｃ３に保持されたコイル２００は、保持部形成箇所１０３ａでは、スリット１０５ｂ及び保持片１０５ｃの長さ等、保持部１０５の形状により、コイル保持シート１００Ｃ３に対し裏面側への突出高さより表面側への突出高さが大きくなるようにオフセットした状態となる。また、コイル保持シート１００Ｃ３に保持されたコイル２００は、コイル支持部１０３ｃの形成箇所では、円周方向の全体が、コイル保持シート１００Ｃ３の表面側に突出して、コイル保持シート１００Ｃ３の表面側にオフセットされた状態となる。
【０２６８】
更に、逃げ穴１０２が設けられておらず、コイル２００の巻数に合わせて保持部１０５が形成されたコイル保持シート１００Ｃ４では、スリット１０５ｂ及び保持片１０５ｃの長さ等、保持部１０５の形状により、コイル保持シート１００Ｃ４に対し裏面側への突出高さより表面側への突出高さが大きくなるようにオフセットした状態で、コイル２００がコイル保持シート１００Ｃ４に保持される。
【０２６９】
逃げ穴１０２が設けられたコイル保持シート１００Ｃ、１００Ｃ２にコイル２００が保持された状態では、コイル保持シート１００Ｃ、１００Ｃ２を裏面側から見た状態でも、逃げ穴１０２にコイル２００の一部が露出することで、コイル２００が保持されていることを容易に確認可能である。特に、図６３に示すように、逃げ穴１０２の長さＬ４が、軸方向に沿った複数巻分のコイル２００が入る長さで構成されることで、視認性が向上する。
【０２７０】
これに対し、コイル保持シート１００Ｃ２のように、各逃げ穴１０２の開口面積を小さくすることで、連結部１０３ｂの本数を増やすことができ、コイル保持シート１００Ｃ２の撓み等に対する強度を向上させることができる。
【０２７１】
但し、逃げ穴１０２の長さＬ４を、コイル２００の１巻分が入る長さにすると、逃げ穴１０２の開口面積が小さくなり、開口面積が大きい場合と比較して、コイル保持シート１００Ｃ２を製造する工程での作業性が低下する。このため、逃げ穴１０２の長さＬ４が、軸方向に沿った複数巻分のコイル２００が入る長さで構成されることが好ましい。
【０２７２】
コイル２００をコイル保持シート１００Ｃから取り外す場合は、コイル２００をコイル保持シート１００Ｃに沿った方向にコイル２００とコイル保持シート１００Ｃを相対移動させる等、コイル２００をコイル保持シート１００Ｃから離す方向に移動させる力を、コイル保持シート１００Ｃの表面側からコイル２００に加える。
【０２７３】
コイル２００をコイル保持シート１００Ｃから離す方向等に力を加えることで、コイル２００によって保持片１０５ｃが押されて保持片１０５ｃが変形し、スリット１０５ｂの幅が広げられてコイル２００がスリット１０５ｂを抜ける。これにより、コイル２００がコイル保持シート１００Ｃから取り外される。
【０２７４】
コイル２００をコイル保持シート１００Ｃ２、１００Ｃ３、１００Ｃ４から取り外す場合も、コイル保持シート１００Ｃと同様に、コイル２００をコイル保持シート１００Ｃ２、１００Ｃ３、１００Ｃ４に沿った方向にコイル２００とコイル保持シート１００Ｃ２、１００Ｃ３、１００Ｃ４を相対移動させる等、コイル２００をコイル保持シート１００Ｃ２、１００Ｃ３、１００Ｃ４から離す方向に移動させる力を、コイル保持シート１００Ｃ２、１００Ｃ３、１００Ｃ４の表面側からコイル２００に加える。
【０２７５】
コイル２００をコイル保持シート１００Ｃ２、１００Ｃ３、１００Ｃ４から離す方向等に力を加えることで、コイル２００によって保持片１０５ｃが押されて保持片１０５ｃが変形し、スリット１０５ｂの幅が広げられてコイル２００がスリット１０５ｂを抜ける。これにより、コイル２００がコイル保持シート１００Ｃ２、１００Ｃ３、１００Ｃ４から取り外される。
【０２７６】
上述したように、コイル２００は、コイル保持シート１００Ｃ、１００Ｃ２、１００Ｃ３、１００Ｃ４に対し裏面側への突出高さより表面側への突出高さが大きくなるようにオフセットした状態で、コイル保持シート１００Ｃ、１００Ｃ２、１００Ｃ３、１００Ｃ４に保持される。これにより、コイル２００をコイル保持シート１００Ｃ、１００Ｃ２、１００Ｃ３、１００Ｃ４から取り外す力を、コイル保持シート１００Ｃ、１００Ｃ２、１００Ｃ３、１００Ｃ４の表面側から確実に掛けることが可能になる。
【０２７７】
また、コイル２００をコイル保持シート１００Ｃ、１００Ｃ２、１００Ｃ３、１００Ｃ４に取り付ける場合は、コイル２００の位置をコイル保持列１０３に合わせて、コイル２００をコイル保持シート１００Ｃ、１００Ｃ２、１００Ｃ３、１００Ｃ４に押し付ける方向に力を加える。
【０２７８】
これにより、コイル２００によって保持片１０５ｃが押されて保持片１０５ｃが変形し、スリット１０５ｂの幅が広げられてコイル２００がスリット１０５ｂを通る。よって、コイル２００の円周方向の一部が、コイル保持シート１００Ｃ、１００Ｃ２、１００Ｃ３、１００Ｃ４の裏面側へ入る。
【０２７９】
従って、コイル保持シート１００Ｃ、１００Ｃ２、１００Ｃ３、１００Ｃ４の裏面側へ入った部位のコイル２００が保持片１０５ｃで押さえられ、コイル２００がコイル保持シート１００Ｃ、１００Ｃ２、１００Ｃ３、１００Ｃ４に取り付けられる。
【０２８０】
このように、コイル２００をコイル保持シート１００Ｃ、１００Ｃ２、１００Ｃ３、１００Ｃ４に取り付ける動作では、コイル保持シート１００Ｃ、１００Ｃ２、１００Ｃ３、１００Ｃ４の所定の部位を予め変形させておく等の操作を必要としない。従って、単体のコイル２００をコイル保持シート１００Ｃ、１００Ｃ２、１００Ｃ３、１００Ｃ４に取り付けて使用することが容易に行える。
【０２８１】
コイル保持シート１００Ｃでは、抜き穴１０２は、コイル２００の複数巻分の長さを有するので、抜きカスが大きくなり、抜き穴１０２の製造工程での抜きカスの発生数量を抑えることができる。
【０２８２】
また、コイル保持シート１００Ｃ３、１００Ｃ４では、コイル保持シート１００Ｃ３、１００Ｃ４を製造する工程で逃げ穴を開ける工程が不要であり、作業性が向上する。また、コイル保持シート１００Ｃ、コイル保持シート１００Ｃ２では、保持部１０５の個数を増減させるとともに逃げ穴１０２の個数を増減させて組み合わせることにより、コイル保持シート１００Ｃ、コイル保持シート１００Ｃ２におけるコイル２００の保持力を調整することが容易に行える。また、コイル保持シート１００Ｃ３では、保持部１０５の個数を増減させるとともにコイル支持部１０３ｃの領域を増減させて組み合わせることにより、コイル保持シート１００Ｃ３におけるコイル２００の保持力を調整することが容易に行える。
【０２８３】
＜第４の実施の形態のコイル保持シートの構成例＞
図８５は、第４の実施の形態のコイル保持シートの一例を示す正面図である。また、図８６〜図９０は、コイルを保持した第４の実施の形態のコイル保持シートを示し、図８６は、コイルを保持した第４の実施の形態のコイル保持シートの正面図、図８７は、コイルを保持した第４の実施の形態のコイル保持シートの背面図である。また、図８８は、コイルを保持した第４の実施の形態のコイル保持シートの側面図、図８９は、コイルを保持した第４の実施の形態のコイル保持シートの上面図である。更に、図８９は、コイルを保持した第４の実施の形態のコイル保持シートの斜視図である。
【０２８４】
第４の実施の形態のコイル保持シート１００Ｄは、コイル２００を保持する保持部１０６と、コイル２００の円周方向の一部を、コイル保持シート１００Ｄの一の面である表面から他の面である裏面に逃がす逃げ穴１０２を備える。ここで、逃げ穴１０２は、第１の実施の形態のコイル保持シート１００Ａ、あるいは、第１の実施の形態の変形例のコイル保持シート１００Ａ１と同じ構成である。
【０２８５】
コイル保持シート１００Ｄは、保持部１０６と逃げ穴１０２との組み合わせにより、１本のコイル２００を保持するコイル保持列１０３が構成される。そして、コイル保持シート１００Ｄは、１枚のコイル保持シート１００Ｄで複数本のコイル２００を保持可能とするため、コイル２００の軸方向と直交する向きに、所定の間隔で複数のコイル保持列１０３が形成される。
【０２８６】
保持部１０６は、複数巻分のコイル２００が入る保持穴１０６ａと、保持穴１０６ａに入れられたコイル２００を保持する保持片１０６ｂを備える。保持穴１０６ａは、コイル２００の円周方向の一部が挿抜可能な形状で、コイル保持シート１００Ｃの表裏を貫通する開口によって構成される。
【０２８７】
保持穴１０６ａは、コイル２００の径方向に沿った長さＬ１１が、コイル２００の外径Ｒｏより小さく構成される。これにより、コイル２００は、径方向の中心Ｏが、コイル保持シート１００Ｂと同一面となる位置まで保持穴１０６ａに入ることができない。また、保持穴１０６ａは、コイル２００の軸方向に沿った長さＬ１２が、軸方向に沿った複数巻分のコイル２００が入る長さで構成される。
【０２８８】
保持片１０６ｂは、保持穴１０６ａにおいてコイル２００の軸方向に沿った一方の辺と他方の辺から、コイル２００の軸方向に沿って突出する。保持片１０６ｂは、保持穴１０６ａで構成される空間の一部を開閉可能に閉塞し、コイル２００を着脱可能に保持する。
【０２８９】
コイル２００の径方向に沿った保持片１０６ｂの長さＬ１３は、コイル２００の内周の直径である内径Ｒｉより小さく構成される。コイル２００がコイル保持シート１００Ｄに取り付けられると、コイル２００の円周のうちの１／２よりも広い領域の一部が、コイル保持シート１００Ｄの一方の側である表面側に突出し、コイル２００の円周のうちの１／２よりも狭い領域の一部が、コイル保持シート１００Ｄの他方の側である裏面側に突出する。
【０２９０】
すなわち、コイル２００の径方向の中心Ｏを、コイル保持シート１００Ｄに対して一方の側である表面側にオフセットした形態で、コイル２００がコイル保持シート１００Ｄに保持される。このため、保持片１０６ｂは、コイル保持シート１００Ｄでコイル２００を保持する位置におけるコイル２００の内周側の間隔に合わせた長さを有する。
【０２９１】
逃げ穴１０２は、コイル２００の円周方向の一部が挿抜可能な形状で、コイル保持シート１００Ｄの表裏を貫通する開口によって構成される。逃げ穴１０２は、コイル保持シート１００Ｄに保持穴１０６ａで保持されたコイル２００の軸方向に沿って、保持穴１０６ａに並列して設けられる。
【０２９２】
逃げ穴１０２は、コイル２００の径方向に沿った長さＬ３が、コイル２００の外径Ｒｏより小さく構成される。これにより、コイル２００は、径方向の中心Ｏが、コイル保持シート１００Ｄと同一面となる位置まで逃げ穴１０２に入ることができない。
【０２９３】
従って、コイル２００は、コイル保持シート１００Ｄに対し裏面側への突出高さより表面側への突出高さが大きくなるようにオフセットした状態で、コイル保持シート１００Ｄに保持される。そして、オフセット量は、保持穴１０６ａのコイル２００の径方向に沿った長さＬ１１及び逃げ穴１０２のコイル２００の径方向に沿った長さＬ３で決められる。
【０２９４】
逃げ穴１０２は、コイル２００の軸方向に沿った長さＬ４が、軸方向に沿った２巻分以上のコイル２００が入る長さで構成される。本例では、２巻分のコイル２００が入る長さで構成される。
【０２９５】
コイル保持列１０３は、コイル２００の軸方向に並列する逃げ穴１０２と保持穴１０６ａとの間に連結部１０３ｂが形成される。
【０２９６】
＜第４の実施の形態のコイル保持シートの作用効果例＞
コイル保持シート１００Ｄは、各コイル保持列１０３に１本ずつコイル２００が保持される。保持部１０６では、コイル２００の円周方向の一部が、保持片１０６ｂを超えてコイル保持シート１００Ｄの裏面側へ入る。
【０２９７】
これにより、保持部１０６では、コイル２００の内周側に、保持片１０６ｂが入る。従って、不用意な外力がコイル２００に掛かった場合に、コイル２００が保持部１０６から抜けることを、保持片１０６ｂにより抑制することができる。
【０２９８】
また、コイル２００がコイル保持列１０３に保持されると、保持穴１０６ａ及び逃げ穴１０２では、コイル２００の径方向の中心Ｏが、コイル保持シート１００Ｄと同一面となる位置までコイル２００が入ることができない。
【０２９９】
従って、コイル２００は、コイル保持シート１００Ｄに対し裏面側への突出高さより表面側への突出高さが大きくなるようにオフセットした状態で、コイル保持シート１００Ｄに保持される。
【０３００】
また、コイル保持シート１００Ｄにコイル２００が保持された状態では、コイル保持シート１００Ｄを裏面側から見た状態でも、逃げ穴１０２にコイル２００の一部が露出することで、コイル２００が保持されていることを容易に確認可能である。逃げ穴１０２の長さＬ４が、軸方向に沿った複数巻分のコイル２００が入る長さで構成されることで、視認性が向上する。
【０３０１】
更に、保持部１０６は、保持穴１０６ａが逃げ穴としても機能し、コイル２００の円周方向の一部をコイル保持シート１００Ｄの裏面側に逃がすことができると共に、コイル２００が保持されたことを、コイル保持シート１００Ｄの裏面側から確認することができる。
【０３０２】
コイル２００をコイル保持シート１００Ｄから取り外す場合は、コイル２００をコイル保持シート１００Ｄに沿った方向にコイル２００とコイル保持シート１００Ｄを相対移動させる等、コイル２００をコイル保持シート１００Ｄから離す方向に移動させる力を、コイル保持シート１００Ｄの表面側からコイル２００に加える。
【０３０３】
コイル２００をコイル保持シート１００Ｄから離す方向等に力を加えることで、コイル２００によって保持片１０６ｂが押されて保持片１０６ｂが変形し、コイル２００が保持穴１０６ａを抜ける。これにより、コイル２００がコイル保持シート１００Ｄから取り外される。なお、保持穴１０６ａは、複数巻分の長さのコイル２００が入るので、コイル２００の弾性変形によっても、コイル２００が保持辺１０６ｂを超えて保持穴１０６ａを抜けることが可能である。
【０３０４】
上述したように、コイル２００は、コイル保持シート１００Ｄに対し裏面側への突出高さより表面側への突出高さが大きくなるようにオフセットした状態で、コイル保持シート１００Ｄに保持される。これにより、コイル２００をコイル保持シート１００Ｄから取り外す力を、コイル保持シート１００Ｄの表面側から確実に掛けることが可能になる。
【０３０５】
また、コイル２００をコイル保持シート１００Ｄに取り付ける場合は、コイル２００の位置をコイル保持列１０３に合わせて、コイル２００をコイル保持シート１００Ｄに押し付ける方向に力を加える。
【０３０６】
これにより、コイル２００によって保持片１０６ｂが押されて保持片１０６ｂが変形し、コイル２００が保持片１０６ｂを超えて保持穴１０６ａに通る。よって、コイル２００の円周方向の一部が、コイル保持シート１００Ｄの裏面側へ入る。
【０３０７】
従って、コイル保持シート１００Ｄの裏面側へ入った部位のコイル２００が保持片１０６ｂで押さえられ、コイル２００がコイル保持シート１００Ｄに取り付けられる。
【０３０８】
このように、コイル２００をコイル保持シート１００Ｄに取り付ける動作では、コイル保持シート１００Ｄの所定の部位を予め変形させておく等の操作を必要としない。従って、単体のコイル２００をコイル保持シート１００Ｄに取り付けて使用することが容易に行える。また、コイル保持シート１００Ｄでは、保持部１０６の個数を増減させるとともに逃げ穴１０２の個数を増減させて組み合わせることにより、コイル保持シート１００Ｄにおけるコイル２００の保持力を調整することが容易に行える。また、保持部１０６の保持穴１０６ａのコイル２００の軸方向に沿った長さＬ１２の長さを増減し、保持部１０６の個数を増減させることで、コイル保持シート１００Ｄにおけるコイル２００の保持力を調整することが容易に行える。
【０３０９】
＜第５の実施の形態のコイル保持シートの構成例＞
図９１は、第５の実施の形態のコイル保持シートの一例を示す正面図である。また、図９２〜図９６は、コイルを保持した第５の実施の形態のコイル保持シートを示し、図９２は、コイルを保持した第５の実施の形態のコイル保持シートの正面図、図９３は、コイルを保持した第５の実施の形態のコイル保持シートの背面図である。また、図９４は、コイルを保持した第５の実施の形態のコイル保持シートの側面図、図９５は、コイルを保持した第５の実施の形態のコイル保持シートの上面図である。更に、図９６は、コイルを保持した第５の実施の形態のコイル保持シートの斜視図である。
【０３１０】
第５の実施の形態のコイル保持シート１００Ｅは、コイル２００を保持する保持部１０７と、コイル２００の円周方向の一部を、コイル保持シート１００Ｅの一の面である表面から他の面である裏面に逃がす逃げ穴１０２を備える。
【０３１１】
コイル保持シート１００Ｅは、保持部１０７と逃げ穴１０２との組み合わせにより、１本のコイル２００を保持するコイル保持列１０３が構成される。そして、コイル保持シート１００Ｅは、１枚のコイル保持シート１００Ｅで複数本のコイル２００を保持可能とするため、コイル２００の軸方向と直交する向きに、所定の間隔で複数のコイル保持列１０３が形成される。
【０３１２】
保持部１０７は、コイル２００の外周面が接着剤や両面粘着テープ等で貼着される平面で構成される。コイル保持シート１００Ｅは、コイル２００の軸方向に沿って、コイル保持列１０３の複数個所に、保持部１０７が形成される。本例では、コイル２００の軸方向に沿って所定の間隔を開けた４か所に保持部１０７を備える。
【０３１３】
逃げ穴１０２は、コイル保持シート１００Ｅの表裏を貫通する開口によって構成される。逃げ穴１０２は、コイル保持シート１００Ｅに保持部１０７で保持されたコイル２００の軸方向に沿って、保持部１０７に並列して設けられる。
【０３１４】
逃げ穴１０２は、コイル２００の径方向に沿った長さＬ３が、コイル２００の外径Ｒｏより小さく構成される。あるいは、逃げ穴１０２の間隔Ｌ３は、コイル２００の外径Ｒｏと同等でも良いし、コイル２００の外径Ｒｏより大きくても良い。
【０３１５】
逃げ穴１０２は、コイル２００の軸方向に沿った長さＬ４が、軸方向に沿った２巻分以上のコイル２００が入る長さで構成される。本例では、コイル２００の巻数に応じて、２巻分のコイル２００が入る長さの逃げ穴１０２と、４巻分のコイル２００が入る長さの逃げ穴１０２と、６巻分のコイル２００が入る長さの逃げ穴１０２が設けられる。
【０３１６】
コイル保持列１０３は、コイル２００の軸方向に並列する逃げ穴１０２の間に、逃げ穴１０２において、コイル２００の径方向の一方の辺と他方の辺との間をつなぐ連結部１０３ｂが形成される。
【０３１７】
＜第５の実施の形態のコイル保持シートの作用効果例＞
コイル保持シート１００Ｅは、各コイル保持列１０３に１本ずつコイル２００が保持される。保持部１０７では、接着剤や両面粘着テープ等によりコイル２００の外周面が貼着される。
【０３１８】
従って、コイル２００は、円周方向の全体がコイル保持シート１００Ｅの表面側に突出して、コイル保持シート１００Ｅの表面側にオフセットされた状態でコイル保持シート１００Ｅに保持される。
【０３１９】
コイル保持シート１００Ｅにコイル２００が保持された状態では、コイル保持シート１００Ｅを裏面側から見た状態でも、逃げ穴１０２にコイル２００の一部が露出することで、コイル２００が保持されていることを容易に確認可能である。特に、逃げ穴１０２の長さＬ４が、軸方向に沿った複数巻分のコイル２００が入る長さで構成されることで、視認性が向上する。
【０３２０】
コイル２００をコイル保持シート１００Ａから取り外す場合は、コイル２００をコイル保持シート１００Ｅに沿った方向にコイル２００とコイル保持シート１００Ａを相対移動させる等、コイル２００をコイル保持シート１００Ｅから離す方向に移動させる力を、コイル保持シート１００Ｅの表面側からコイル２００に加える。
【０３２１】
コイル２００をコイル保持シート１００Ｅから離す方向等に力を加えることで、コイル２００のコイル保持シート１００Ｅに貼着されている部位が保持部１０７から剥離し、コイル２００がコイル保持シート１００Ｅから取り外される。
【０３２２】
上述したように、コイル２００は、円周方向の全体がコイル保持シート１００Ｅの表面側に突出して、コイル保持シート１００Ｅの表面側にオフセットされた状態でコイル保持シート１００Ｅに保持される。これにより、コイル２００をコイル保持シート１００Ｅから取り外す力を、コイル保持シート１００Ｅの表面側から確実に掛けることが可能になる。
【０３２３】
コイル保持シート１００Ｅでは、コイル保持シート１００Ｅを製造する工程で保持部に穴を開ける工程が不要であり、作業性が向上する。また、コイル保持シート１００Ｅでは、保持部１０７の領域や個数を増減させるとともに、逃げ穴１０２の個数や逃げ穴１０２のコイル２００の軸方向に沿った長さＬ４の長さを増減して組み合わせることにより、コイル保持シート１００Ｅにおけるコイル２００の保持力を調整することが容易に行える。
【０３２４】
＜第６の実施の形態のコイル保持シートの構成例＞
図９７は、第６の実施の形態のコイル保持シートの一例を示す正面図である。また、図９８〜図１０２は、コイルを保持した第６の実施の形態のコイル保持シートを示し、図９８は、コイルを保持した第６の実施の形態のコイル保持シートの正面図、図９９は、コイルを保持した第６の実施の形態のコイル保持シートの背面図である。また、図１００は、コイルを保持した第６の実施の形態のコイル保持シートの側面図、図１０１は、コイルを保持した第６の実施の形態のコイル保持シートの上面図である。更に、図１０２は、コイルを保持した第６の実施の形態のコイル保持シートの斜視図である。
【０３２５】
第６の実施の形態のコイル保持シート１００Ｆは、コイル２００を保持する保持部１０８と、コイル２００の円周方向の一部を、コイル保持シート１００Ｆの一の面である表面から他の面である裏面に逃がす逃げ穴１０９を備える。
【０３２６】
コイル保持シート１００Ｆは、保持部１０８と逃げ穴１０９との組み合わせにより、１本のコイル２００を保持するコイル保持列１０３が構成される。そして、コイル保持シート１００Ｆは、１枚のコイル保持シート１００Ｆで複数本のコイル２００を保持可能とするため、コイル２００の軸方向と直交する向きに、所定の間隔で複数のコイル保持列１０３が形成される。
【０３２７】
保持部１０８は、１巻分のコイル２００が入る保持穴１０８ａと、保持穴１０８ａに入れられたコイル２００を保持する保持片１０８ｂを備える。保持穴１０８ａは、コイル２００の円周方向の一部が挿抜可能な形状で、コイル保持シート１００Ｆの表裏を貫通する開口によって構成される。
【０３２８】
保持穴１０８ａは、コイル２００の径方向に沿った長さＬ１４が、コイル２００の外径Ｒｏと同等に構成される。これにより、コイル２００は、径方向の中心Ｏが、コイル保持シート１００Ｆと同一面となる位置まで保持穴１０８ａに入る。
【０３２９】
また、保持穴１０８ａは、コイル２００の軸方向に沿った長さＬ１５が、軸方向に沿った１巻分のコイル２００が入る長さで構成される。
【０３３０】
保持片１０８ｂは、保持穴１０８ａにおいてコイル２００の軸方向に沿った一方の辺から、コイル２００の軸方向に沿って突出する。保持片１０８ｂは、保持穴１０８ａで構成される空間の一部を開閉可能に閉塞し、コイル２００を着脱可能に保持する。
【０３３１】
コイル２００の径方向に沿った保持片１０８ｂの長さＬ１６は、コイル２００の内周の直径である内径Ｒｉと同等に構成される。
【０３３２】
コイル保持シート１００Ｆは、コイル２００の軸方向に沿って、コイル保持列１０３の複数個所に、保持部１０８が形成される保持部形成箇所１０３ａを備える。本例では、コイル２００の軸方向に沿って所定の間隔を開けた４か所に保持部形成箇所１０３ａを備える。
【０３３３】
また、コイル保持シート１００Ｆは、各保持部形成箇所１０３ａに少なくとも一つの保持部１０８が設けられ、本例では、各保持部形成箇所１０３ａに、２組の保持部１０８がコイル２００のピッチＰに合わせて設けられる。
【０３３４】
逃げ穴１０９は、コイル２００の円周方向の一部が挿抜可能な形状で、コイル保持シート１００Ｆの表裏を貫通する開口によって構成される。逃げ穴１０９は、コイル保持シート１００Ｆに保持部１０４で保持されたコイル２００の軸方向に沿って、保持部形成箇所１０３ａに並列して設けられる。
【０３３５】
逃げ穴１０９は、コイル２００の径方向に沿った長さＬ１４が、コイル２００の外径Ｒｏと同等に構成される。これにより、コイル２００は、径方向の中心Ｏが、コイル保持シート１００Ｆと同一面となる位置まで逃げ穴１０９に入る。
【０３３６】
逃げ穴１０９は、コイル２００の軸方向に沿った長さＬ１７が、軸方向に沿った２巻分以上のコイル２００が入る長さで構成される。本例では、コイル２００の巻数に応じて、２巻分のコイル２００が入る長さの逃げ穴１０９と、４巻分のコイル２００が入る長さの逃げ穴１０９と、６巻分のコイル２００が入る長さの逃げ穴１０９が設けられる。
【０３３７】
コイル保持列１０３は、コイル２００の軸方向に並列する逃げ穴１０９の間に、逃げ穴１０９において、コイル２００の径方向の一方の辺と他方の辺との間をつなぐ連結部１０３ｂが形成される。
【０３３８】
＜第６の実施の形態のコイル保持シートの作用効果例＞
コイル保持シート１００Ｆは、各コイル保持列１０３に１本ずつコイル２００が保持される。保持部１０８では、コイル２００の円周方向の一部が、保持片１０８ｂを超えてコイル保持シート１００Ｆの裏面側へ入る。
【０３３９】
これにより、保持部１０８では、コイル２００の内周側に、保持片１０８ｂが入る。保持片１０８ｂと保持穴１０８ａの間隔は、コイル２００をコイル保持シート１００Ｆから外し得る外力が加わらなければ、コイル２００が通過し得る間隔とはならない。従って、不用意な外力がコイル２００に掛かった場合に、コイル２００が保持部１０８から抜けることを、保持片１０８ｂにより抑制することができる。
【０３４０】
また、各保持部形成箇所１０３ａに、保持部１０８がコイル２００のピッチＰに合わせて２組以上設けられることで、１箇所の保持部１０８でコイル２００が外れても、隣接する他の保持部１０８でコイル２００の保持が可能である。
【０３４１】
コイル２００がコイル保持列１０３に保持されると、逃げ穴１０９が形成された部位では、コイル２００の円周方向の一部が逃げ穴１０９に入る。逃げ穴１０９では、コイル２００の径方向の中心Ｏが、コイル保持シート１００Ｆと同一面となる位置までコイル２００が入る。
【０３４２】
コイル保持シート１００Ｆにコイル２００が保持された状態では、コイル保持シート１００Ｆを裏面側から見た状態でも、逃げ穴１０９にコイル２００の一部が露出することで、コイル２００が保持されていることを容易に確認可能である。特に、逃げ穴１０９の長さＬ１７が、軸方向に沿った複数巻分のコイル２００が入る長さで構成されることで、視認性が向上する。
【０３４３】
コイル２００をコイル保持シート１００Ｆから取り外す場合は、コイル２００をコイル保持シート１００Ｆに沿った方向にコイル２００とコイル保持シート１００Ｆを相対移動させる等、コイル２００をコイル保持シート１００Ｆから離す方向に移動させる力を、コイル保持シート１００Ｆの表面側からコイル２００に加える。
【０３４４】
コイル２００をコイル保持シート１００Ｆから離す方向等に力を加えることで、コイル２００によって保持片１０８ｂが押されて保持片１０８ｂが変形し、保持片１０８ｂと保持穴１０８ａとの間隔が広げられてコイル２００が保持穴１０８ａを抜ける。これにより、コイル２００がコイル保持シート１００Ｆから取り外される。
【０３４５】
また、コイル２００をコイル保持シート１００Ｆに取り付ける場合は、コイル２００の位置をコイル保持列１０３に合わせて、コイル２００をコイル保持シート１００Ｆに押し付ける方向に力を加える。
【０３４６】
これにより、コイル２００によって保持片１０８ｂが押されて保持片１０８ｂが変形し、保持片１０８ｂと保持穴１０８ａとの間隔が広げられてコイル２００が保持穴１０８ａを通る。よって、コイル２００の円周方向の一部が、コイル保持シート１００Ｆの裏面側へ入る。
【０３４７】
従って、コイル保持シート１００Ｆの裏面側へ入った部位のコイル２００が保持片１０８ｂで押さえられ、コイル２００がコイル保持シート１００Ｆに取り付けられる。
【０３４８】
このように、コイル２００をコイル保持シート１００Ｆに取り付ける動作では、コイル保持シート１００Ｆの所定の部位を予め変形させておく等の操作を必要としない。従って、単体のコイル２００をコイル保持シート１００Ｆに取り付けて使用することが容易に行える。
【０３４９】
コイル保持シート１００Ｆでは、抜き穴１０９は、コイル２００の複数巻分の長さを有するので、抜きカスが大きくなり、抜き穴１０９の製造工程での抜きカスの発生数量を抑えることができる。また、コイル保持シート１００Ｆでは、保持部１０８の個数を増減させるとともに逃げ穴１０９の個数を増減させて組み合わせることにより、コイル保持シート１００Ｆにおけるコイル２００の保持力を調整することが容易に行える。
【０３５０】
＜各実施の形態のコイル保持シートの変形例＞
図１０で説明したように、コイル２００は、用紙の綴じ枚数、厚さ等に応じて変わる用紙束の厚さに応じて、外径Ｒｏが複数の異なる寸法で用意される。
【０３５１】
そこで、保持部１０１における一方の押し上げ片１０１ａの折り曲げ部１０１ｄと、他方の押し上げ片１０１ａの折り曲げ部１０１ｄの間隔Ｌ１、及び、逃げ穴１０２のコイル２００の径方向に沿った長さＬ３を、コイル２００の外径Ｒｏに合わせて異ならせた複数種類のコイル保持シート１００Ａを備える。
【０３５２】
図１０３及び図１０４は、コイル径の違いに応じたコイル保持シートの一例を示す平面図、図１０５及び図１０６は、径の違いに対応したコイル保持シートのコイル保持例を示す正面図である。
【０３５３】
例えば、コイル保持シート１００Ａを例にすると、図１０３及び図１０５は、外径Ｒｏが細いコイル２００ａ５を保持するコイル保持シート１００Ａａを示し、図１０４及び図１０６は、コイル２００ａ５より外径Ｒｏが太いコイル２００ａ１を保持するコイル保持シート１００Ａｂを示す。
【０３５４】
コイル保持シート１００Ａａとコイル保持シート１００Ａｂは、コイル保持シート１００Ａａ、１００Ａｂの外形寸法を同一とするため、コイル保持列１０３の数を異ならせて、保持可能なコイル２００の数を異ならせている。
【０３５５】
なお、以上の例ではコイル保持シート１００Ａを例に説明したが、上述した各実施の形態のコイル保持シートでも、コイル２００の外径の違いに対応することが可能である。
【０３５６】
＜第１の実施の形態の製本装置の構成例＞
図１０７〜図１０９は、第１の実施の形態の製本装置の一例を示す構成図であり、図１０７は、第１の実施の形態の製本装置の内部構成の概要を示す正面図、図１０８は、第１の実施の形態の製本装置の内部構成の概要を示す要部上面図、図１０９は、第１の実施の形態の製本装置の内部構成の概要を示す要部斜視図である。
【０３５７】
また、図１１０〜図１１２は、各実施の形態の製本装置による製本工程の概要を示す説明図である。まず、図１１０〜図１１２を参照して、製本工程の概要を説明すると、図１１０に示すように、１枚の用紙３００に、所定の数で複数の穴３０１が一列に開けられる。次に、図１１１に示すように、穴３０１が開けられた用紙３００が積載されて整列され、用紙束３０２が生成される。次に、図１１２に示すように、穴３０１の並列する方向に対し、用紙３００の一方の側端部３０３側からコイル２００が穴３０１に挿入されて、冊子３０４が生成される。
【０３５８】
次に、上述した製本工程を実行する第１の実施の形態の製本装置１Ａについて説明する。第１の実施の形態の製本装置１Ａは、用紙３００を搬送する用紙搬送路の一例として、第１の搬送路１０と、第１の搬送路１０から分岐した第２の搬送路１１を備える。第１の搬送路１０と第２の搬送路１１は、用紙３００の搬送方向を途中で反転させるスイッチバック型等と称される搬送経路を構成する。
【０３５９】
また、製本装置１Ａは、用紙３００に所定の配列で穴３０１を開ける穴開け部の一例としてのパンチ部２と、パンチ部２で穴３０１が開けられた用紙３００を集積し、集積された複数枚の用紙３００を整列させて用紙束３０２を生成する用紙整列部３を備える。更に、製本装置１Ａは、用紙整列部３で整列された用紙束３０２をコイル２００で綴じて冊子３０４を生成する綴じ部４と、コイル２００を供給するコイル供給部５Ａと、コイル供給部５Ａで供給されるコイル２００が綴じ部４へ搬送されるコイル搬送部６Ａを備える。また、製本装置１Ａは、綴じ部４で綴じられた冊子３０４を排出する排出部７を備える。
【０３６０】
第１の搬送路１０及び第２の搬送路１１は、用紙３００の搬送経路に沿って設けられる複数のローラ対、用紙３００の搬送経路に沿って延在するベルト対、用紙３００の搬送をガイドするガイド部材等で構成される。
【０３６１】
第１の搬送路１０は、本実施の形態では、回転駆動される複数のフィードローラ１０ａと、フィードローラ１０ａに対向する複数のガイドローラ１０ｂを備える。第２の搬送路１１は、回転駆動される複数のフィードローラ１１ａと、フィードローラ１１ａに対向する複数のガイドローラ１１ｂを備える。
【０３６２】
第１の搬送路１０は、製本装置１Ａ内の上部に配置され、給紙口１０ｃと排出口１０ｄとの間で用紙３００を搬送する略水平で直線状の搬送経路を構成する。
【０３６３】
第１の搬送路１０は、第１の搬送路１０と第２の搬送路１１との分岐部１０ｅに、搬送方向を切り換える切換ブレード１０ｆを備える。また、第１の搬送路１０は、分岐部１０ｅと排出口１０ｄとの間に反転保留部１０ｇを備える。
【０３６４】
第２の搬送路１１は、分岐部１０ｅで第１の搬送路１０から下方へ分岐し、切換ブレード１０ｆの動作で反転保留部１０ｇと連通する。
【０３６５】
切換ブレード１０ｆは、回転駆動されることで、第１の搬送路１０から退避する位置と、第１の搬送路１０内に突出する位置との間を移動する。切換ブレード１０ｆを第１の搬送路１０から退避する位置とすると、第１の搬送路１０を給紙口１０ｃから搬送方向Ａに搬送される用紙３００が、切換ブレード１０ｆを通過して、反転保留部１０ｇへ搬送される。
【０３６６】
これに対して、切換ブレード１０ｆを第１の搬送路１０内に突出する位置とすると、搬送方向を反転させて第１の搬送路１０を反転保留部１０ｇから搬送方向Ｂに搬送される用紙３００が、切換ブレード１０ｆのガイドによって、第１の搬送路１０から第２の搬送路１１に送られる。
【０３６７】
これにより、第２の搬送路１１は、第１の搬送路１０を給紙口１０ｃ側から排出口１０ｄ側へと搬送方向Ａに搬送される用紙３００を、反転保留部１０ｇで搬送方向を搬送方向Ｂへと反転させて、第１の搬送路１０から下方にスイッチバックさせる搬送経路を構成する。
【０３６８】
パンチ部２は穴明け部の一例で、第２の搬送路１１に設けられる。パンチ部２は、用紙３００に穴３０１を開けるパンチ刃２０と、パンチ刃２０を駆動する穴開け駆動機構２１を備える。
【０３６９】
パンチ部２は、所定の本数のパンチ刃２０が一列に配置される。穴開け駆動機構２１は、パンチ刃２０を用紙３００の面に対して直交する方向に往復移動させる。パンチ部２は、図示しない穴開け位置合わせ機構により、用紙３００の搬送方向の位置合わせが行われると共に、用紙３００の搬送方向に直交する幅方向の位置合わせが行われ、パンチ刃２０を往復移動させることで、用紙３００に所定の間隔で一列に穴３０１を開ける。
【０３７０】
なお、パンチ刃２０で用紙３００に穴３０１を開けることで発生するパンチかすを回収するため、パンチ部２の下部にパンチかすスタッカ２３を備える。
【０３７１】
用紙整列部３は、用紙３００の搬送方向に対しパンチ部２の下流側に配置される。用紙整列部３は、用紙３００の搬送方向の先端の位置合わせを行う突き当てシャッタ３０ａと、用紙３００の左右方向の位置合わせを行う幅寄せ機構部３０ｂと、用紙３００を突き当てシャッタ３０ａに突き当てるパドル機構部３０ｃを備える。
【０３７２】
突き当てシャッタ３０ａは、用紙整列部３に突出して、用紙整列部３に送り込まれた用紙３００が突き当てられる位置と、用紙整列部３から退避して冊子３０４が通過できる位置との間を移動して、用紙整列部３を開閉する構成を有する。
【０３７３】
幅寄せ機構部３０ｂは、用紙３００の搬送方向に対する左右の一方に幅寄せガイドを備えると共に、他方に基準ガイドを備え、幅寄せガイドが基準ガイドに対して接近及び離間する方向に移動して、用紙整列部３に送り込まれた用紙３００を基準ガイドに突き当てる構成を有する。
【０３７４】
パドル機構部３０ｃは、円周方向に複数枚の舌片が配置され、回転駆動されるパドルローラを備え、用紙整列部３に送り込まれた用紙３００を、用紙整列部３に突出させた突き当てシャッタ３０ａに突き当てる構成を有する。なお、パドルローラの回転軸は、幅寄せ機構部３０ｂの図示しない固定側のガイド方向に傾斜しており、パドルローラは、用紙整列部３に送り込まれた用紙３００に対し、幅寄せ機構部３０ｂの固定側のガイド方向に突き当てる力も与えている。
【０３７５】
綴じ部４は綴じ機構の一例で、用紙整列部３で整列された用紙束３０２をコイル２００で綴じるコイル回転挿入部４１を備える。コイル回転挿入部４１は綴じ機構の一例で、コイル２００を軸周りに回転させながら、軸方向に沿って搬送することで、用紙整列部３で整列されて位置が揃えられた用紙束３０２の穴３０１に、用紙３００の一方の側端部３０３側からコイル２００を挿入する。
【０３７６】
第１の実施の形態のコイル供給部５Ａは、コイル２００を保持した上述した第１の実施の形態のコイル保持シート１００Ａ、１００Ａ１、１００Ａ２、１００Ａ３、１００Ａ４の何れか、第２の実施の形態のコイル保持シート１００Ｂ、１００Ｂ２、１００Ｂ３、１００Ｂ４の何れか、第３の実施の形態のコイル保持シート１００Ｃ、１００Ｃ２、１００Ｃ３、１００Ｃ４の何れか、第４の実施の形態のコイル保持シート１００Ｄ、第５の実施の形態のコイル保持シート１００Ｅあるいは第６の実施の形態のコイル保持シート１００Ｆを収納するコイル収納部５０を備える。以下の説明では、コイル保持シート１００Ａを例示する。
【０３７７】
また、コイル供給部５Ａは、コイル保持シート１００Ａからコイル２００を分離するコイル分離部５１を備える。更に、コイル供給部５Ａは、コイル分離部５１で分離されたコイル２００を送出するコイル送出部５２と、コイル２００が分離されたコイル保持シート１００Ａを回収するシート回収部５３を備える。
【０３７８】
製本装置１Ａは、第１の搬送路１０の下側で、用紙整列部３の側方に、コイル供給部５Ａの装着位置が設けられる。コイル供給部５Ａは、コイル保持シート１００Ａに保持されたコイル２００の軸方向が、用紙整列部３で整列された用紙束３０２の面に沿った向きで、製本装置１Ａに装着される。
【０３７９】
コイル供給部５Ａは、製本装置１Ａに対して挿抜可能に設けられる。本例では、製本装置１Ａの正面側からコイル供給部５Ａの前方への挿抜が可能である。ここで、製本装置１Ａの正面側とは、第１の搬送路１０における用紙３００の搬送方向に対し直交する一方の側である。コイル供給部５Ａを製本装置１Ａの正面側から挿抜可能とするため、コイル供給部５Ａと製本装置１Ａの正面との間には、コイル供給部５Ａが通過できる空間が形成される。
【０３８０】
コイル供給部５Ａは、製本装置１Ａから引き出されることで、コイル２００が保持されたコイル保持シート１００Ａのコイル収納部５０への装填、コイル収納部５０に装填されているコイル保持シート１００Ａの交換、コイル２００が分離された使用済のコイル保持シート１００Ａのシート回収部５３からの取り出しが可能である。
【０３８１】
コイル収納部５０は綴じ部品収納部の一例で、複数本のコイル２００を支持可能な１枚のコイル保持シート１００Ａが、コイル２００の並列方向を上下とした向きで収納される。
【０３８２】
コイル分離部５１は綴じ部品分離部の一例で、コイル２００が保持されたコイル保持シート１００Ａを搬送することで、コイル保持シート１００Ａから１本ずつコイル２００を分離する。
【０３８３】
コイル送出部５２は、コイル保持シート１００Ａから分離されて径方向に転動するコイル２００が入る位置に設けられ、コイル分離部５２で分離された１本のコイル２００を、軸方向に沿って搬送する。シート回収部５３は、コイル収納部５０の裏面側に並列して設けられる。
【０３８４】
第１の実施の形態のコイル搬送部６Ａは綴じ部品搬送路の一例で、用紙整列部３で整列された用紙束３０２における、コイル回転挿入部４１でコイル２００の挿入が開始される側の端部である一方の側端部３０３に対し、側端部３０３からコイル２００の１本分の長さＬ３０より短い位置Ｐｐに、コイル２００を軸方向に対して湾曲させて搬送する曲線搬送路を構成する。
【０３８５】
本例では、コイル送出部５２で送出されたコイル２００の送出方向と、コイル回転挿入部４１におけるコイル２００の導入方向が反対向きであるため、コイル搬送部６Ａは、Ｕ字状に湾曲して折り返された搬送経路を構成する。
【０３８６】
排出部７は冊子排出部の一例で、少なくとも一対のローラと、ローラに掛けられた無端状のベルト等で構成され、用紙整列部３の下側に配置される。排出部７は、コイル２００で綴じられた冊子３０４を受け取り、排紙スタッカ８に搬送する略水平で直線状の搬送経路を構成する。排出部７は、用紙整列部３から受け取った冊子３０４を横転させた状態で搬送する。
【０３８７】
排紙スタッカ８は、排出部７の下流側に配置され、排出部７で搬送された冊子３０４が積載される。排紙スタッカ８は、所定の傾斜を有した積載面を備え、排出部５で横転した状態で搬送される冊子３０４を、積載面の傾斜に合わせて起立させて積載する。
【０３８８】
＜本実施の形態の製本装置の使用形態例＞
図１１３は、本実施の形態の製本装置の使用形態の一例を示す構成図である。製本装置１Ａは、画像形成装置５００と接続されて使用される。画像形成装置５００は、例えば複写機といった電子写真方式の画像形成装置である。
【０３８９】
電子写真方式の画像形成装置５００は、感光体に画像に合わせて静電潜像が形成され、現像と称すプロセスで、この感光体の静電潜像に現像装置でトナーを付着させて静電潜像を顕像化して、トナー像が形成される。
【０３９０】
感光体に形成されたトナー像は、中間転写体に一次転写され、中間転写体から用紙に二次転写される。トナー像が転写された用紙は定着装置に搬送され、加熱及び加圧によりトナー像が用紙に定着される。この一連の処理で画像が形成された用紙が排紙される。カラー画像を形成する画像形成装置としては、複数の感光体を一本の中間転写ベルトに対面させて縦方向に配列することによりフルカラーの画像を形成する、いわゆる、タンデム型カラー画像形成装置が知られている。
【０３９１】
製本装置１Ａは、画像形成装置５００の操作部５０１での設定、操作により、画像形成装置５００での画像形成処理と連動して、コイル２００を使用した製本処理が行われる。
【０３９２】
＜第１の実施の形態の製本装置の動作例＞
次に、製本装置１Ａで用紙を綴じる製本処理の動作例について、各図を参照して説明する。
【０３９３】
製本装置１Ａは、画像形成装置５００と接続され、印刷等の所定の処理が行われた用紙３００が、１枚ずつ給紙口１０ｃから給紙される。用紙３００をコイル２００で綴じる動作では、用紙３００をパンチ部２に搬送する搬送処理が行われ、パンチ部２で穴開け処理を行った後、用紙整列部３で整列処理が行われる。
【０３９４】
用紙３００をパンチ部２に搬送する搬送処理では、第１の搬送路１０のフィードローラ１０ａが回転駆動されることで、第１の搬送路１０に給紙された用紙３００が、フィードローラ１０ａとガイドローラ１０ｂとの間に挟持されて、第１の搬送路１０を給紙口１０ｃから排出口１０ｄへと向かう搬送方向Ａに搬送される。
【０３９５】
第１の搬送路１０を搬送方向Ａに搬送される用紙３００が切換ブレード１０ｆを通過して反転保留部１０ｇまで搬送されたと判断すると、用紙３００の搬送が停止される。用紙３００の搬送を停止した後、切換ブレード１０ｆが駆動され、用紙３００の搬送経路が、反転保留部１０ｇから第２の搬送路１１へ切り換えられる。
【０３９６】
切換ブレード１０ｆにより搬送経路が第２の搬送路１１へ切り換えられると、用紙３００が搬送方向Ｂに搬送される逆回転方向にフィードローラ１０ａを回転させる。また、第２の搬送路１１において用紙３００がパンチ部２へ搬送される方向にフィードローラ１１ａを回転させる。
【０３９７】
これにより、反転保留部１０ｇで一時保留された用紙３００は、搬送方向が反転して搬送方向Ｂに搬送され、切換ブレード１０ｆにガイドされて第１の搬送路１０から第２の搬送路１１に送られる。第２の搬送路１１に送られた用紙３００は、フィードローラ１１ａとガイドローラ１１ｂとの間に挟持され、第２の搬送路１１をパンチ部２へ搬送される。
【０３９８】
パンチ部２に搬送された用紙３００は、図示しない穴開け位置合わせ機構により、用紙３００の搬送方向の位置合わせが行われると共に、用紙３００の搬送方向に直交する幅方向の位置合わせが行われる。
【０３９９】
用紙３００の位置合わせが行われると、穴開け駆動機構２１によりパンチ刃２０を往復移動させることで、用紙３００に所定の間隔で一列に穴３０１が開けられる。パンチ部２で穴の開けられた用紙３００は、用紙整列部３に搬送される。
【０４００】
用紙整列部３に搬送される用紙３００は、搬送方向の先端が、用紙整列部３に突出させた突き当てシャッタ３０ａに、パドル機構部３０ｃによって突き当てられると共に、側端が幅寄せ機構部３０ｂの図示しない基準ガイドに突き当てられて、位置合わせが行われる。
【０４０１】
そして、所定の枚数の用紙３００が用紙整列部３に整列されて集積されるまで、上述した搬送処理、穴開け処理及び整列処理が繰り返される。所定枚数の用紙３００が整列されると、一連の搬送処理、穴開け処理及び整列処理を停止する。
【０４０２】
所定枚数の用紙３００が用紙整列部３で整列されると、突き当てシャッタ３０ａを開放するとともに、コイル供給部５Ａにおいて、コイル収納部５０に収納されたコイル保持シート１００Ａから１本のコイル２００が分離される。
【０４０３】
コイル保持シート１００Ａから分離されたコイル２００は、コイル送出部５２でコイル２００の軸方向に搬送され、コイル搬送路６Ａに送られる。図１０８に示すように、コイル供給部５Ａでのコイル２００の搬送方向と、綴じ部４でのコイル２００の搬送方向が、１８０°異なる。コイル搬送路６Ａでは、コイル２００の搬送経路が１８０°曲げられる。
【０４０４】
これにより、コイル供給部５Ａからコイル送出部５２で搬送されるコイル２００が、綴じ部４に送られる。綴じ部４に送られたコイル２００は、コイル回転挿入部４１により、円周方向に回転しながら軸方向に搬送されることで、用紙整列部３で整列されて位置が揃えられた用紙束３０２の穴３０１に、用紙２００の一方の側端部３０３側から挿入される。
【０４０５】
コイル２００で綴じられた冊子３０４は、排出部７に落下する。排出部７は、用紙整列部３から受け取った冊子３０４を横転させた状態で排紙スタッカ８に搬送する。排紙スタッカ８は、排出部７で横転した状態で搬送される冊子３０４を起立させて積載する。
【０４０６】
＜第１の実施の形態の製本装置の効果例＞
製本装置１Ａでは、用紙３００の搬送処理、用紙３００の穴開け処理、用紙３００の整列処理、コイル２００を使用した用紙束３０２の綴じ処理及びコイル２００で綴じられた冊子３０４の排出処理が自動化され、用紙３００の整列、用紙束３０２の載置、コイル２００の１本ずつの載置、冊子３０４の取り出しを人手によって行う必要が無い。これにより、製本装置１Ａを画像形成装置５００等と接続して、印刷処理及び製本処理を一括して行うことができる。
【０４０７】
コイル２００を使用した製本処理では、コイル２００を円周方向に回転させながら軸方向に搬送して、用紙３００の一方の側端部３０３から穴３０１に挿入していく。このため、用紙３００の側方にコイル２００を搬送するための空間が必要である。
【０４０８】
一方、複数本のコイル２００を収納する構成を備える場合、用紙整列部３で整列される用紙３００の一方の側方、すなわち、製本装置１Ａにおける前方に、コイル２００の軸方向を、用紙３００の穴３０１の並びに沿った向きとしてコイル２００を収納する収納部を備えると、装置が大型化する。そこで、コイル２００の搬送経路を綴じ部品の一例であるコイル２００の軸方向に対して、曲げるコイル搬送路６Ａで、コイル供給部５Ａと綴じ部４を接続することで、コイル供給部５Ａの配置の自由度を向上させることができる。
【０４０９】
また、コイル搬送部６Ａは、用紙整列部３で整列された用紙３００の一方の側端部３０３に対し、側端部３０３からコイル２００の１本分の長さＬ３０より短い位置Ｐｐで、コイル２００をコイル２００の軸方向に対して湾曲させて搬送する曲線搬送路を構成する。
【０４１０】
これにより、用紙整列部３で整列される用紙３００の一方の側方、すなわち、製本装置１Ａにおける前方に、コイル２００の軸方向の１本分の全長に相当する空間が不要となり、装置の大型化を抑制することができる。
【０４１１】
＜第２の実施の形態の製本装置の構成例＞
図１１４〜図１１５は、第２の実施の形態の製本装置の一例を示す構成図であり、図１１４は、第２の実施の形態の製本装置の内部構成の概要を示す正面図、図１１５は、第２の実施の形態の製本装置の内部構成の概要を示す要部側面図である。
【０４１２】
第２の実施の形態の製本装置１Ｂは、用紙３００を搬送する第１の搬送路１０と、第１の搬送路１０から分岐した第２の搬送路１１を備える。第１の搬送路１０と第２の搬送路１１は、用紙３００の搬送方向を途中で反転させるスイッチバック型等と称される搬送経路を構成する。
【０４１３】
また、製本装置１Ｂは、用紙３００に所定の配列で穴３０１を開けるパンチ部２と、パンチ部２で穴３０１が開けられた用紙３００を集積し、集積された複数枚の用紙３００を整列させて用紙束３０２を生成する用紙整列部３を備える。更に、製本装置１Ｂは、用紙整列部３で整列された用紙束３０２をコイル２００で綴じて冊子３０４を生成する綴じ部４と、コイル２００を供給するコイル供給部５Ｂと、コイル供給部５Ｂで供給されるコイル２００が綴じ部４へ搬送されるコイル搬送部６Ｂを備える。また、製本装置１Ａは、綴じ部４で綴じられた冊子３０４を排出する排出部７を備える。
【０４１４】
第１の搬送路１０及び第２の搬送路１１は、用紙３００の搬送経路に沿って設けられる複数のローラ対、用紙３００の搬送経路に沿って延在するベルト対、用紙３００の搬送をガイドするガイド部材等で構成される。
【０４１５】
第１の搬送路１０は、本実施の形態では、回転駆動される複数のフィードローラ１０ａと、フィードローラ１０ａに対向する複数のガイドローラ１０ｂを備える。第２の搬送路１１は、回転駆動される複数のフィードローラ１１ａと、フィードローラ１１ａに対向する複数のガイドローラ１１ｂを備える。
【０４１６】
第１の搬送路１０は、製本装置１Ｂ内の上部に配置され、給紙口１０ｃと排出口１０ｄとの間で用紙３００を搬送する略水平で直線状の搬送経路を構成する。
【０４１７】
第１の搬送路１０は、第１の搬送路１０と第２の搬送路１１との分岐部１０ｅに、搬送方向を切り換える切換ブレード１０ｆを備える。また、第１の搬送路１０は、分岐部１０ｅと排出口１０ｄとの間に反転保留部１０ｇを備える。
【０４１８】
第２の搬送路１１は、分岐部１０ｅで第１の搬送路１０から下方へ分岐し、切換ブレード１０ｆの動作で反転保留部１０ｇと連通する。
【０４１９】
切換ブレード１０ｆは、回転駆動されることで、第１の搬送路１０から退避する位置と、第１の搬送路１０内に突出する位置との間を移動する。切換ブレード１０ｆを第１の搬送路１０から退避する位置とすると、第１の搬送路１０を給紙口１１ｃから搬送方向Ａに搬送される用紙３００が、切換ブレード１０ｆを通過して、反転保留部１０ｇへ搬送される。
【０４２０】
これに対して、切換ブレード１０ｆを第１の搬送路１０内に突出する位置とすると、搬送方向を反転させて第１の搬送路１０を反転保留部１０ｇから搬送方向Ｂに搬送される用紙３００が、切換ブレード１０ｆのガイドによって、第１の搬送路１０から第２の搬送路１１に送られる。
【０４２１】
これにより、第２の搬送路１１は、第１の搬送路１０を給紙口１０ｃ側から排出口１０ｄ側へと搬送方向Ａに搬送される用紙３００を、反転保留部１０ｇで搬送方向を搬送方向Ｂへと反転させて、第１の搬送路１０から下方にスイッチバックさせる搬送経路を構成する。
【０４２２】
パンチ部２は、第２の搬送路１１に設けられる。パンチ部２は、用紙３００に穴３０１を開けるパンチ刃２０と、パンチ刃２０を駆動する穴開け駆動機構２１を備える。
【０４２３】
パンチ部２は、所定の本数のパンチ刃２０が一列に配置される。穴開け駆動機構２１は、パンチ刃２０を用紙３００の面に対して直交する方向に往復移動させる。パンチ部２は、図示しない穴開け位置合わせ機構により、用紙３００の搬送方向の位置合わせが行われると共に、用紙３００の搬送方向に直交する幅方向の位置合わせが行われ、パンチ刃２０を往復移動させることで、用紙３００に所定の間隔で一列に穴３０１を開ける。
【０４２４】
なお、パンチ刃２０で用紙３００に穴３０１を開けることで発生するパンチかすを回収するため、パンチ部２の下部にパンチかすスタッカ２３を備える。
【０４２５】
用紙整列部３は、用紙３００の搬送方向に対しパンチ部２の下流側に配置される。用紙整列部３は、用紙３００の搬送方向の先端の位置合わせを行う突き当てシャッタ３０ａと、用紙３００の左右方向の位置合わせを行う幅寄せ機構部３０ｂと、用紙３００を突き当てシャッタ３０ａに突き当てるパドル機構部３０ｃを備える。
【０４２６】
突き当てシャッタ３０ａは、用紙整列部３に突出して、用紙整列部３に送り込まれた用紙３００が突き当てられる位置と、用紙整列部３から退避して冊子３０４が通過できる位置との間を移動して、用紙整列部３を開閉する構成を有する。
【０４２７】
幅寄せ機構部３０ｂは、用紙３００の搬送方向に対する左右の一方に幅寄せガイドを備えると共に、他方に基準ガイドを備え、幅寄せガイドが基準ガイドに対して接近及び離間する方向に移動して、用紙整列部３に送り込まれた用紙３００を基準ガイドに突き当てる構成を有する。
【０４２８】
パドル機構部３０ｃは、円周方向に複数枚の舌片が配置され、回転駆動されるパドルローラを備え、用紙整列部３に送り込まれた用紙３００を、用紙整列部３に突出させた突き当てシャッタ３０ａに突き当てる構成を有する。なお、パドルローラの回転軸は、幅寄せ機構部３０ｂの図示しない固定側のガイド方向に傾斜しており、パドルローラは、用紙整列部３に送り込まれた用紙３００に対し、幅寄せ機構部３０ｂの固定側のガイド方向に突き当てる力も与えている。
【０４２９】
綴じ部４は、用紙整列部３で整列された用紙束３０２をコイル２００で綴じるコイル回転挿入部４１を備える。コイル回転挿入部４１は綴じ機構の一例で、コイル２００を軸周りに回転させながら、軸方向に沿って搬送することで、用紙整列部３で整列されて位置が揃えられた用紙束３０２の穴３０１に、用紙３００の一方の側端部３０３側からコイル２００を挿入する。
【０４３０】
第２の実施の形態のコイル供給部５Ｂは、コイル２００を保持した上述した第１の実施の形態のコイル保持シート１００Ａ、１００Ａ１、１００Ａ２、１００Ａ３、１００Ａ４の何れか、第２の実施の形態のコイル保持シート１００Ｂ、１００Ｂ２、１００Ｂ３、１００Ｂ４の何れか、第３の実施の形態のコイル保持シート１００Ｃ、１００Ｃ２、１００Ｃ３、１００Ｃ４の何れか、第４の実施の形態のコイル保持シート１００Ｄ、第５の実施の形態のコイル保持シート１００Ｅあるいは第６の実施の形態のコイル保持シート１００Ｆを収納するコイル収納部５０を備える。以下の説明では、コイル保持シート１００Ａを例示する。
【０４３１】
また、コイル供給部５Ｂは、コイル保持シート１００Ａからコイル２００を分離するコイル分離部５１を備える。更に、コイル供給部５Ｂは、コイル分離部５１で分離されたコイル２００を送出するコイル送出部５２と、コイル２００が分離されたコイル保持シート１００Ａを回収するシート回収部５３を備える。
【０４３２】
製本装置１Ｂは、装置本体の上部にコイル供給部５Ｂの装着位置が設けられる。コイル供給部５Ｂは、コイル保持シート１００Ａに保持されたコイル２００の軸方向が、用紙整列部３で整列された用紙束３０２の面に沿った向きで、製本装置１Ｂに装着される。
【０４３３】
コイル供給部５Ｂは、製本装置１Ｂに対して挿抜可能に設けられる。本例では、製本装置１Ｂの正面側からコイル供給部５Ｂの前方への挿抜が可能である。ここで、製本装置１Ｂの正面側とは、第１の搬送路１０における用紙３００の搬送方向に対し直交する一方の側である。
【０４３４】
コイル供給部５Ｂは、製本装置１Ａから引き出されることで、コイル２００が保持されたコイル保持シート１００Ａのコイル収納部５０への装填、コイル収納部５０に装填されているコイル保持シート１００Ａの交換、コイル２００が分離された使用済のコイル保持シート１００Ａのシート回収部５３からの取り出しが可能である。
【０４３５】
コイル収納部５０は、複数本のコイル２００を支持可能な１枚のコイル保持シート１００Ａが、コイル２００の並列方向を上下とした向きで収納される。コイル供給部５Ｂは、複数のコイル収納部５０が並列して設けられ、複数枚のコイル保持シート１００Ａの収納が可能である。
【０４３６】
コイル分離部５１は、各コイル収納部５０でコイル２００が保持されたコイル保持シート１００Ａを搬送することで、コイル保持シート１００Ａから１本ずつコイル２００を分離する。
【０４３７】
コイル送出部５２は、コイル保持シート１００Ａから分離されて径方向に転動するコイル２００が入る位置に設けられ、コイル分離部５２で分離された１本のコイル２００を、軸方向に沿って搬送する。シート回収部５３は、各コイル収納部５０の裏面側に並列して設けられる。
【０４３８】
第２の実施の形態のコイル搬送部６Ｂは、用紙整列部３で整列された用紙束３０２において、コイル回転挿入部４１でコイル２００の挿入が開始される側である一方の側端部３０３に対し、側端部３０３からコイル２００の１本分の長さＬ３０より短い位置Ｐｐに、コイル２００をコイル２００の軸方向に対して湾曲させて搬送する曲線搬送路を構成する。
【０４３９】
本例では、コイル送出部５２で送出されたコイル２００の送出方向と、コイル回転挿入部４１におけるコイル２００の導入方向が反対向きであるため、コイル搬送部６Ａは、Ｕ字状に折り返された搬送経路を構成する。
【０４４０】
排出部７は、少なくとも一対のローラと、ローラに掛けられた無端状のベルト等で構成され、用紙整列部３の下側に配置される。排出部７は、コイル２００で綴じられた冊子３０４を受け取り、排紙スタッカ８に搬送する略水平で直線状の搬送経路を構成する。排出部７は、用紙整列部３から受け取った冊子３０４を横転させた状態で搬送する。
【０４４１】
排紙スタッカ８は、排出部７の下流側に配置され、排出部７で搬送された冊子３０４が積載される。排紙スタッカ８は、所定の傾斜を有した積載面を備え、排出部５で横転した状態で搬送される冊子３０４を、積載面の傾斜に合わせて起立させて積載する。
【０４４２】
＜第２の実施の形態の製本装置の動作例＞
次に、製本装置１Ｂで用紙を綴じる製本処理の動作例について、各図を参照して説明する。
【０４４３】
製本装置１Ｂは、画像形成装置５００と接続され、印刷等の所定の処理が行われた用紙３００が、１枚ずつ給紙口１０ｃから給紙される。用紙３００をコイル２００で綴じる動作では、用紙３００をパンチ部２に搬送する搬送処理が行われ、パンチ部２で穴開け処理を行った後、用紙整列部３で整列処理が行われる。
【０４４４】
用紙３００をパンチ部２に搬送する搬送処理では、第１の搬送路１０のフィードローラ１０ａが回転駆動されることで、第１の搬送路１０に給紙された用紙３００が、フィードローラ１０ａとガイドローラ１０ｂとの間に挟持されて、第１の搬送路１０を給紙口１０ｃから排出口１０ｄへと向かう搬送方向Ａに搬送される。
【０４４５】
第１の搬送路１０を搬送方向Ａに搬送される用紙３００が切換ブレード１０ｆを通過して反転保留部１０ｇまで搬送されたと判断すると、用紙３００の搬送が停止される。用紙３００の搬送を停止した後、切換ブレード１０ｆが駆動され、用紙３００の搬送経路が、反転保留部１０ｇから第２の搬送路１１へ切り換えられる。
【０４４６】
切換ブレード１０ｆにより搬送経路が第２の搬送路１１へ切り換えられると、用紙３００が搬送方向Ｂに搬送される逆回転方向にフィードローラ１０ａを回転させる。また、第２の搬送路１１において用紙３００がパンチ部２へ搬送される方向にフィードローラ１１ａを回転させる。
【０４４７】
これにより、反転保留部１０ｇで一時保留された用紙３００は、搬送方向が反転して搬送方向Ｂに搬送され、切換ブレード１０ｆにガイドされて第１の搬送路１０から第２の搬送路１１に送られる。第２の搬送路１１に送られた用紙３００は、フィードローラ１１ａとガイドローラ１１ｂとの間に挟持され、第２の搬送路１１をパンチ部２へ搬送される。
【０４４８】
パンチ部２に搬送された用紙３００は、図示しない穴開け位置合わせ機構により、用紙３００の搬送方向の位置合わせが行われると共に、用紙３００の搬送方向に直交する幅方向の位置合わせが行われる。
【０４４９】
用紙３００の位置合わせが行われると、穴開け駆動機構２１によりパンチ刃２０を往復移動させることで、用紙３００に所定の間隔で一列に穴３０１が開けられる。パンチ部２で穴の開けられた用紙３００は、用紙整列部３に搬送される。
【０４５０】
用紙整列部３に搬送される用紙３００は、搬送方向の先端が、用紙整列部３に突出させた突き当てシャッタ３０ａに、パドル機構部３０ｃによって突き当てられると共に、側端が幅寄せ機構部３０ｂの図示しない基準ガイドに突き当てられて、位置合わせが行われる。
【０４５１】
そして、所定の枚数の用紙３００が用紙整列部３に整列されて集積されるまで、上述した搬送処理、穴開け処理及び整列処理が繰り返される。所定枚数の用紙３００が整列されると、一連の搬送処理、穴開け処理及び整列処理を停止する。
【０４５２】
所定枚数の用紙３００が用紙整列部３で整列されると、突き当てシャッタ３０ａを開放するとともに、コイル供給部５Ｂにおいて、複数のコイル収納部５０の中から選択された所定のコイル収納部５０に収納されたコイル保持シート１００Ａから１本のコイル２００が分離される。
【０４５３】
コイル保持シート１００Ａから分離されたコイル２００は、コイル送出部５２で軸方向に搬送され、コイル搬送路６Ｂに送られる。図１１５に示すように、コイル供給部５Ｂでのコイル２００の搬送方向と、綴じ部４でのコイル２００の搬送方向が、１８０°異なる。コイル搬送路６Ｂでは、コイル２００の搬送経路が１８０°曲げられる。
【０４５４】
これにより、コイル供給部５Ｂからコイル送出部５２で搬送されるコイル２００が、綴じ部４に送られる。綴じ部４に送られたコイル２００は、コイル回転挿入部４１により、円周方向に回転しながら軸方向に搬送されることで、用紙整列部３で整列されて位置が揃えられた用紙束３０２の穴３０１に、用紙２００の一方の側端部３０３側から挿入される。
【０４５５】
コイル２００で綴じられた冊子３０４は、排出部７に落下する。排出部７は、用紙整列部３から受け取った冊子３０４を横転させた状態で排紙スタッカ８に搬送する。排紙スタッカ８は、排出部７で横転した状態で搬送される冊子３０４を起立させて積載する。
【０４５６】
＜第２の実施の形態の製本装置の効果例＞
製本装置１Ｂでは、用紙３００の搬送処理、用紙３００の穴開け処理、用紙３００の整列処理、コイル２００を使用した用紙束３０２の綴じ処理及びコイル２００で綴じられた冊子３０４の排出処理が自動化され、用紙３００の整列、用紙束３０２の載置、コイル２００の１本ずつの載置、冊子３０４の取り出しを人手によって行う必要が無い。これにより、製本装置１Ａを画像形成装置５００等と接続して、印刷処理及び製本処理を一括して行うことができる。
【０４５７】
コイル２００を使用した製本処理では、コイル２００を円周方向に回転させながら軸方向に搬送して、用紙３００の一方の側端部３０３から穴３０１に挿入していく。このため、用紙３００の側方にコイル２００を搬送するための空間が必要である。
【０４５８】
一方、複数本のコイル２００を収納する構成を備える場合、用紙整列部３で整列される用紙３００の一方の側方、すなわち、製本装置１Ｂにおける前方に、コイル２００の軸方向を、用紙３００の穴３０１の並びに沿った向きとしてコイル２００を収納する収納部を備えると、装置が大型化する。そこで、コイル２００の搬送経路をコイル２００の軸方向に対して曲げるコイル搬送路６Ｂで、コイル供給部５Ｂと綴じ部４を接続することで、コイル供給部５Ｂの配置の自由度を向上させることができる。
【０４５９】
本例では、コイル供給部５Ｂを、製本装置１Ｂの上部に備えることで、複数のコイル収納部５０を並列させることができ、コイル２００の収納可能本数を増加させることができる。
【０４６０】
また、コイル搬送部６Ｂは、用紙整列部３で整列された用紙３００の一方の側端部３０３に対し、側端部３０３からコイル２００の１本分の長さＬ３０より短い位置Ｐｐで、コイル２００をコイル２００の軸方向に対して湾曲させて搬送する曲線搬送路を構成する。
【０４６１】
これにより、用紙整列部３で整列される用紙３００の一方の側方、すなわち、製本装置１Ｂにおける前方に、コイル２００の軸方向の１本分の全長に相当する空間が不要となり、装置の大型化を抑制することができる。
【０４６２】
＜第３の実施の形態の製本装置の構成例＞
図１１６〜図１１７は、第３の実施の形態の製本装置の一例を示す構成図であり、図１１６は、第３の実施の形態の製本装置の内部構成の概要を示す正面図、図１１７は、第３の実施の形態の製本装置の内部構成の概要を示す要部上面図である。
【０４６３】
第３の実施の形態の製本装置１Ｃは、用紙３００を搬送する第１の搬送路１０と、第１の搬送路１０から分岐した第２の搬送路１１を備える。第１の搬送路１０と第２の搬送路１１は、用紙３００の搬送方向を途中で反転させるスイッチバック型等と称される搬送経路を構成する。
【０４６４】
また、製本装置１Ｃは、用紙３００に所定の配列で穴３０１を開けるパンチ部２と、パンチ部２で穴３０１が開けられた用紙３００を集積し、集積された複数枚の用紙３００を整列させて用紙束３０２を生成する用紙整列部３を備える。更に、製本装置１Ｃは、用紙整列部３で整列された用紙束３０２をコイル２００で綴じて冊子３０４を生成する綴じ部４と、コイル２００を供給するコイル供給部５Ｃと、コイル供給部５Ｃで供給されるコイル２００が綴じ部４へ搬送されるコイル搬送部６Ｃを備える。また、製本装置１Ｃは、綴じ部４で綴じられた冊子３０４を排出する排出部７を備える。
【０４６５】
第１の搬送路１０及び第２の搬送路１１は、用紙３００の搬送経路に沿って設けられる複数のローラ対、用紙３００の搬送経路に沿って延在するベルト対、用紙３００の搬送をガイドするガイド部材等で構成される。
【０４６６】
第１の搬送路１０は、本実施の形態では、回転駆動される複数のフィードローラ１０ａと、フィードローラ１０ａに対向する複数のガイドローラ１０ｂを備える。第２の搬送路１１は、回転駆動される複数のフィードローラ１１ａと、フィードローラ１１ａに対向する複数のガイドローラ１１ｂを備える。
【０４６７】
第１の搬送路１０は、製本装置１Ｃ内の上部に配置され、給紙口１０ｃと排出口１０ｄとの間で用紙３００を搬送する略水平で直線状の搬送経路を構成する。
【０４６８】
第１の搬送路１０は、第１の搬送路１０と第２の搬送路１１との分岐部１０ｅに、搬送方向を切り換える切換ブレード１０ｆを備える。また、第１の搬送路１０は、分岐部１０ｅと排出口１０ｄとの間に反転保留部１０ｇを備える。
【０４６９】
第２の搬送路１１は、分岐部１０ｅで第１の搬送路１０から下方へ分岐し、切換ブレード１０ｆの動作で反転保留部１０ｇと連通する。
【０４７０】
切換ブレード１０ｆは、回転駆動されることで、第１の搬送路１０から退避する位置と、第１の搬送路１０内に突出する位置との間を移動する。切換ブレード１０ｅを第１の搬送路１０から退避する位置とすると、第１の搬送路１０を給紙口１１ｃから搬送方向Ａに搬送される用紙３００が、切換ブレード１０ｆを通過して、反転保留部１０ｇへ搬送される。
【０４７１】
これに対して、切換ブレード１０ｆを第１の搬送路１０内に突出する位置とすると、搬送方向を反転させて第１の搬送路１０を反転保留部１０ｇから搬送方向Ｂに搬送される用紙３００が、切換ブレード１０ｆのガイドによって、第１の搬送路１０から第２の搬送路１１に送られる。
【０４７２】
これにより、第２の搬送路１１は、第１の搬送路１０を給紙口１０ｃ側から排出口１０ｄ側へと搬送方向Ａに搬送される用紙３００を、反転保留部１０ｇで搬送方向を搬送方向Ｂへと反転させて、第１の搬送路１０から下方にスイッチバックさせる搬送経路を構成する。
【０４７３】
パンチ部２は、第２の搬送路１１に設けられる。パンチ部２は、用紙３００に穴３０１を開けるパンチ刃２０と、パンチ刃２０を駆動する穴開け駆動機構２１を備える。
【０４７４】
パンチ部２は、所定の本数のパンチ刃２０が一列に配置される。穴開け駆動機構２１は、パンチ刃２０を用紙３００の面に対して直交する方向に往復移動させる。パンチ部２は、図示しない穴開け位置合わせ機構により、用紙３００の搬送方向の位置合わせが行われると共に、用紙３００の搬送方向に直交する幅方向の位置合わせが行われ、パンチ刃２０を往復移動させることで、用紙３００に所定の間隔で一列に穴３０１を開ける。
【０４７５】
なお、パンチ刃２０で用紙３００に穴３０１を開けることで発生するパンチかすを回収するため、パンチ部２の下部にパンチかすスタッカ２３を備える。
【０４７６】
用紙整列部３は、用紙３００の搬送方向に対しパンチ部２の下流側に配置される。用紙整列部３は、用紙３００の搬送方向の先端の位置合わせを行う突き当てシャッタ３０ａと、用紙３００の左右方向の位置合わせを行う幅寄せ機構部３０ｂと、用紙３００を突き当てシャッタ３０ａに突き当てるパドル機構部３０ｃを備える。
【０４７７】
突き当てシャッタ３０ａは、用紙整列部３に突出して、用紙整列部３に送り込まれた用紙３００が突き当てられる位置と、用紙整列部３から退避して冊子３０４が通過できる位置との間を移動して、用紙整列部３を開閉する構成を有する。
【０４７８】
幅寄せ機構部３０ｂは、用紙３００の搬送方向に対する左右の一方に幅寄せガイドを備えると共に、他方に基準ガイドを備え、幅寄せガイドが基準ガイドに対して接近及び離間する方向に移動して、用紙整列部３に送り込まれた用紙３００を基準ガイドに突き当てる構成を有する。
【０４７９】
パドル機構部３０ｃは、円周方向に複数枚の舌片が配置され、回転駆動されるパドルローラを備え、用紙整列部３に送り込まれた用紙３００を、用紙整列部３に突出させた突き当てシャッタ３０ａに突き当てる構成を有する。なお、パドルローラの回転軸は、幅寄せ機構部３０ｂの図示しない固定側のガイド方向に傾斜しており、パドルローラは、用紙整列部３に送り込まれた用紙３００に対し、幅寄せ機構部３０ｂの固定側のガイド方向に突き当てる力も与えている。
【０４８０】
綴じ部４は、用紙整列部３で整列された用紙束３０２をコイル２００で綴じるコイル回転挿入部４１を備える。コイル回転挿入部４１は綴じ機構の一例で、コイル２００を軸周りに回転させながら、軸方向に沿って搬送することで、用紙整列部３で整列されて位置が揃えられた用紙束３０２の穴３０１に、用紙３００の一方の側端部３０３側からコイル２００を挿入する。
【０４８１】
第３の実施の形態のコイル供給部５Ｃは、コイル２００を保持した上述した第１の実施の形態のコイル保持シート１００Ａ、１００Ａ１、１００Ａ２、１００Ａ３、１００Ａ４の何れか、第２の実施の形態のコイル保持シート１００Ｂ、１００Ｂ２、１００Ｂ３、１００Ｂ４の何れか、第３の実施の形態のコイル保持シート１００Ｃ、１００Ｃ２、１００Ｃ３、１００Ｃ４の何れか、第４の実施の形態のコイル保持シート１００Ｄ、第５の実施の形態のコイル保持シート１００Ｅあるいは第６の実施の形態のコイル保持シート１００Ｆを収納するコイル収納部５０を備える。以下の説明では、コイル保持シート１００Ａを例示する。
【０４８２】
また、コイル供給部５Ｃは、コイル保持シート１００Ａからコイル２００を分離するコイル分離部５１を備える。更に、コイル供給部５Ｃは、コイル分離部５１で分離されたコイル２００を送出するコイル送出部５２と、コイル２００が分離されたコイル保持シート１００Ａを回収する図示しないシート回収部を備える。
【０４８３】
製本装置１Ｃは、第１の搬送路１０の下側で、用紙整列部３の前方に、コイル供給部５Ｃの装着位置が設けられる。コイル供給部５Ｃは、コイル保持シート１００Ａに保持されたコイル２００の軸方向が、用紙整列部３で整列された用紙束３０２の一方の側端部３０３に沿った向きで、製本装置１Ｃに装着される。
【０４８４】
コイル供給部５Ｃは、製本装置１Ａに対して挿抜可能に設けられる。本例では、製本装置１Ｃの正面側からコイル供給部５Ｃの前方への挿抜が可能である。ここで、製本装置１Ｃの正面側とは、第１の搬送路１０における用紙３００の搬送方向に対し直交する一方の側である。コイル供給部５Ｃを製本装置１Ｃの正面側から挿抜可能とするため、コイル供給部５Ｃと製本装置１Ｃの正面との間には、コイル供給部５Ｃが通過できる空間が形成される。
【０４８５】
コイル供給部５Ｃは、製本装置１Ｃから引き出されることで、コイル２００が保持されたコイル保持シート１００Ａのコイル収納部５０への装填、コイル収納部５０に装填されているコイル保持シート１００Ａの交換、コイル２００が分離された使用済のコイル保持シート１００Ａの取り出しが可能である。
【０４８６】
コイル収納部５０は、複数本のコイル２００を支持可能な１枚のコイル保持シート１００Ａが、コイル２００の並列方向を上下とした向きで収納される。
【０４８７】
コイル分離部５１は、コイル２００が保持されたコイル保持シート１００Ａを搬送することで、コイル保持シート１００Ａから１本ずつコイル２００を分離する。
【０４８８】
コイル送出部５２は、コイル保持シート１００Ａから分離されて径方向に転動するコイル２００が入る位置に設けられ、コイル分離部５２で分離された１本のコイル２００を、軸方向に沿って搬送する。
【０４８９】
第３の実施の形態のコイル搬送部６Ｃは、用紙整列部３で整列された用紙束３０２において、コイル回転挿入部４１でコイル２００の挿入が開始される側である一方の側端部３０３に対し、側端部３０３からコイル２００の１本分の長さＬ３０より短い位置Ｐｐに、コイル２００をコイル２００の軸方向に対して湾曲させて搬送する曲線搬送路を構成する。
【０４９０】
本例では、コイル送出部５２で送出されたコイル２００の送出方向と、コイル回転挿入部４１におけるコイル２００の導入方向が直交する向きであるため、コイル搬送部６Ｃは、Ｌ字状に湾曲して折り返された搬送経路を構成する。
【０４９１】
排出部７は、少なくとも一対のローラと、ローラに掛けられた無端状のベルト等で構成され、用紙整列部３の下側に配置される。排出部７は、コイル２００で綴じられた冊子３０４を受け取り、排紙スタッカ８に搬送する略水平で直線状の搬送経路を構成する。排出部７は、用紙整列部３から受け取った冊子３０４を横転させた状態で搬送する。
【０４９２】
排紙スタッカ８は、排出部７の下流側に配置され、排出部７で搬送された冊子３０４が積載される。排紙スタッカ８は、所定の傾斜を有した積載面を備え、排出部５で横転した状態で搬送される冊子３０４を、積載面の傾斜に合わせて起立させて積載する。
【０４９３】
＜第３の実施の形態の製本装置の動作例＞
次に、製本装置１Ｃで用紙を綴じる製本処理の動作例について、各図を参照して説明する。
【０４９４】
製本装置１Ｃは、画像形成装置５００と接続され、印刷等の所定の処理が行われた用紙３００が、１枚ずつ給紙口１０ｃから給紙される。用紙３００をコイル２００で綴じる動作では、用紙３００をパンチ部２に搬送する搬送処理が行われ、パンチ部２で穴開け処理を行った後、用紙整列部３で整列処理が行われる。
【０４９５】
用紙３００をパンチ部２に搬送する搬送処理では、第１の搬送路１０のフィードローラ１０ａが回転駆動されることで、第１の搬送路１０に給紙された用紙３００が、フィードローラ１０ａとガイドローラ１０ｂとの間に挟持されて、第１の搬送路１０を給紙口１０ｃから排出口１０ｄへと向かう搬送方向Ａに搬送される。
【０４９６】
第１の搬送路１０を搬送方向Ａに搬送される用紙３００が切換ブレード１０ｆを通過して反転保留部１０ｇまで搬送されたと判断すると、用紙３００の搬送が停止される。用紙３００の搬送を停止した後、切換ブレード１０ｆが駆動され、用紙３００の搬送経路が、反転保留部１０ｇから第２の搬送路１１へ切り換えられる。
【０４９７】
切換ブレード１０ｆにより搬送経路が第２の搬送路１１へ切り換えられると、用紙３００が搬送方向Ｂに搬送される逆回転方向にフィードローラ１０ａを回転させる。また、第２の搬送路１１において用紙３００がパンチ部２へ搬送される方向にフィードローラ１１ａを回転させる。
【０４９８】
これにより、反転保留部１０ｇで一時保留された用紙３００は、搬送方向が反転して搬送方向Ｂに搬送され、切換ブレード１０ｆにガイドされて第１の搬送路１０から第２の搬送路１１に送られる。第２の搬送路１１に送られた用紙３００は、フィードローラ１１ａとガイドローラ１１ｂとの間に挟持され、第２の搬送路１１をパンチ部２へ搬送される。
【０４９９】
パンチ部２に搬送された用紙３００は、図示しない穴開け位置合わせ機構により、用紙３００の搬送方向の位置合わせが行われると共に、用紙３００の搬送方向に直交する幅方向の位置合わせが行われる。
【０５００】
用紙３００の位置合わせが行われると、穴開け駆動機構２１によりパンチ刃２０を往復移動させることで、用紙３００に所定の間隔で一列に穴３０１が開けられる。パンチ部２で穴の開けられた用紙３００は、用紙整列部３に搬送される。
【０５０１】
用紙整列部３に搬送される用紙３００は、搬送方向の先端が、用紙整列部３に突出させた突き当てシャッタ３０ａに、パドル機構部３０ｃによって突き当てられると共に、側端が幅寄せ機構部３０ｂの図示しない基準ガイドに突き当てられて、位置合わせが行われる。
【０５０２】
そして、所定の枚数の用紙３００が用紙整列部３に整列されて集積されるまで、上述した搬送処理、穴開け処理及び整列処理が繰り返される。所定枚数の用紙３００が整列されると、一連の搬送処理、穴開け処理及び整列処理を停止する。
【０５０３】
所定枚数の用紙３００が用紙整列部３で整列されると、コイル供給部５Ｃにおいて、コイル収納部５０に収納されたコイル保持シート１００Ａから１本のコイル２００が分離される。
【０５０４】
コイル保持シート１００Ａから分離されたコイル２００は、コイル送出部５２でコイル２００の軸方向に搬送され、コイル搬送路６Ｃに送られる。図１１７に示すように、コイル供給部５Ｃでのコイル２００の搬送方向と、綴じ部４でのコイル２００の搬送方向が、９０°異なる。コイル搬送路６Ｃでは、コイル２００の搬送経路が９０°曲げられる。
【０５０５】
これにより、コイル供給部５Ｃからコイル送出部５２で搬送されるコイル２００が、綴じ部４に送られる。綴じ部４に送られたコイル２００は、コイル回転挿入部４１により、円周方向に回転しながら軸方向に搬送されることで、用紙整列部３で整列されて位置が揃えられた用紙束３０２の穴３０１に、用紙２００の一方の側端部３０３側から挿入される。
【０５０６】
コイル２００で綴じられた冊子３０４は、突き当てシャッタ３０ａを開くことで、排出部７に落下する。排出部７は、用紙整列部３から受け取った冊子３０４を横転させた状態で排紙スタッカ８に搬送する。排紙スタッカ８は、排出部７で横転した状態で搬送される冊子３０４を起立させて積載する。
【０５０７】
＜第３の実施の形態の製本装置の効果例＞
製本装置１Ｃでは、用紙３００の搬送処理、用紙３００の穴開け処理、用紙３００の整列処理、コイル２００を使用した用紙束３０２の綴じ処理及びコイル２００で綴じられた冊子３０４の排出処理が自動化され、用紙３００の整列、用紙束３０２の載置、コイル２００の１本ずつの載置、冊子３０４の取り出しを人手によって行う必要が無い。これにより、製本装置１Ｃを画像形成装置５００等と接続して、印刷処理及び製本処理を一括して行うことができる。
【０５０８】
コイル２００を使用した製本処理では、コイル２００を円周方向に回転させながら軸方向に搬送して、用紙３００の一方の側端部３０３から穴３０１に挿入していく。このため、用紙３００の側方にコイル２００を搬送するための空間が必要である。
【０５０９】
一方、複数本のコイル２００を収納する構成を備える場合、用紙整列部３で整列される用紙３００の一方の側方、すなわち、製本装置１Ｃにおける前方に、コイル２００の軸方向を、用紙３００の穴３０１の並びに沿った向きとしてコイル２００を収納する収納部を備えると、装置が大型化する。そこで、コイル２００の搬送経路をコイル２００の軸方向に対して曲げるコイル搬送路６Ｃで、コイル供給部５Ｃと綴じ部４を接続することで、コイル供給部５Ｃの配置の自由度を向上させることができる。
【０５１０】
また、コイル搬送部６Ｃは、用紙整列部３で整列された用紙３００の一方の側端部３０３に対し、側端部３０３からコイル２００の１本分の長さＬ３０より短い位置Ｐｐで、コイル２００をコイル２００の軸方向に対して湾曲させて搬送する曲線搬送路を構成する。
【０５１１】
これにより、用紙整列部３で整列される用紙３００の一方の側方、すなわち、用紙整列部３の前方にコイル供給部５Ｃを備える構成であっても、製本装置１Ａにおける前方に、コイル２００の軸方向の１本分の全長に相当する空間が不要となり、装置の大型化を抑制することができる。
【０５１２】
＜第４の実施の形態の製本装置の構成例＞
図１１８〜図１１９は、第４の実施の形態の製本装置の一例を示す構成図であり、図１１８は、第４の実施の形態の製本装置の内部構成の概要を示す正面図、図１１９は、第４の実施の形態の製本装置の内部構成の概要を示す要部上面図である。
【０５１３】
第４の実施の形態の製本装置１Ｄは、用紙３００を搬送する第１の搬送路１０と、第１の搬送路１０から分岐した第２の搬送路１１を備える。第１の搬送路１０と第２の搬送路１１は、用紙３００の搬送方向を途中で反転させるスイッチバック型等と称される搬送経路を構成する。
【０５１４】
また、製本装置１Ｄは、用紙３００に所定の配列で穴３０１を開けるパンチ部２と、パンチ部２で穴３０１が開けられた用紙３００を集積し、集積された複数枚の用紙３００を整列させて用紙束３０２を生成する用紙整列部３を備える。更に、製本装置１Ｄは、用紙整列部３で整列された用紙束３０２をコイル２００で綴じて冊子３０４を生成する綴じ部４と、コイル２００を供給するコイル供給部５Ｄと、コイル供給部５Ｄで供給されるコイル２００が綴じ部４へ搬送されるコイル搬送部６Ｄを備える。また、製本装置１Ｄは、綴じ部４で綴じられた冊子３０４を排出する排出部７を備える。
【０５１５】
第１の搬送路１０及び第２の搬送路１１は、用紙３００の搬送経路に沿って設けられる複数のローラ対、用紙３００の搬送経路に沿って延在するベルト対、用紙３００の搬送をガイドするガイド部材等で構成される。
【０５１６】
第１の搬送路１０は、本実施の形態では、回転駆動される複数のフィードローラ１０ａと、フィードローラ１０ａに対向する複数のガイドローラ１０ｂを備える。第２の搬送路１１は、回転駆動される複数のフィードローラ１１ａと、フィードローラ１１ａに対向する複数のガイドローラ１１ｂを備える。
【０５１７】
第１の搬送路１０は、製本装置１Ｄ内の上部に配置され、給紙口１０ｃと排出口１０ｄとの間で用紙３００を搬送する略水平で直線状の搬送経路を構成する。
【０５１８】
第１の搬送路１０は、第１の搬送路１０と第２の搬送路１１との分岐部１０ｅに、搬送方向を切り換える切換ブレード１０ｆを備える。また、第１の搬送路１０は、分岐部１０ｅと排出口１０ｄとの間に反転保留部１０ｇを備える。
【０５１９】
第２の搬送路１１は、分岐部１０ｅで第１の搬送路１０から下方へ分岐し、切換ブレード１０ｆの動作で反転保留部１０ｇと連通する。
【０５２０】
切換ブレード１０ｆは、回転駆動されることで、第１の搬送路１０から退避する位置と、第１の搬送路１０内に突出する位置との間を移動する。切換ブレード１０ｆを第１の搬送路１０から退避する位置とすると、第１の搬送路１０を給紙口１１ｃから搬送方向Ａに搬送される用紙３００が、切換ブレード１０ｆを通過して、反転保留部１０ｇへ搬送される。
【０５２１】
これに対して、切換ブレード１０ｆを第１の搬送路１０内に突出する位置とすると、搬送方向を反転させて第１の搬送路１０を反転保留部１０ｇから搬送方向Ｂに搬送される用紙３００が、切換ブレード１０ｆのガイドによって、第１の搬送路１０から第２の搬送路１１に送られる。
【０５２２】
これにより、第２の搬送路１１は、第１の搬送路１０を給紙口１０ｃ側から排出口１０ｄ側へと搬送方向Ａに搬送される用紙３００を、反転保留部１０ｇで搬送方向を搬送方向Ｂへと反転させて、第１の搬送路１０から下方にスイッチバックさせる搬送経路を構成する。
【０５２３】
パンチ部２は、第２の搬送路１１に設けられる。パンチ部２は、用紙３００に穴３０１を開けるパンチ刃２０と、パンチ刃２０を駆動する穴開け駆動機構２１を備える。
【０５２４】
パンチ部２は、所定の本数のパンチ刃２０が一列に配置される。穴開け駆動機構２１は、パンチ刃２０を用紙３００の面に対して直交する方向に往復移動させる。パンチ部２は、図示しない穴開け位置合わせ機構により、用紙３００の搬送方向の位置合わせが行われると共に、用紙３００の搬送方向に直交する幅方向の位置合わせが行われ、パンチ刃２０を往復移動させることで、用紙３００に所定の間隔で一列に穴３０１を開ける。
【０５２５】
なお、パンチ刃２０で用紙３００に穴３０１を開けることで発生するパンチかすを回収するため、パンチ部２の下部にパンチかすスタッカ２３を備える。
【０５２６】
用紙整列部３は、用紙３００の搬送方向に対しパンチ部２の下流側に配置される。用紙整列部３は、用紙３００の搬送方向の先端の位置合わせを行う突き当てシャッタ３０ａと、用紙３００の左右方向の位置合わせを行う幅寄せ機構部３０ｂと、用紙３００を突き当てシャッタ３０ａに突き当てるパドル機構部３０ｃを備える。
【０５２７】
突き当てシャッタ３０ａは、用紙整列部３に突出して、用紙整列部３に送り込まれた用紙３００が突き当てられる位置と、用紙整列部３から退避して冊子３０４が通過できる位置との間を移動して、用紙整列部３を開閉する構成を有する。
【０５２８】
幅寄せ機構部３０ｂは、用紙３００の搬送方向に対する左右の一方に幅寄せガイドを備えると共に、他方に基準ガイドを備え、幅寄せガイドが基準ガイドに対して接近及び離間する方向に移動して、用紙整列部３に送り込まれた用紙３００を基準ガイドに突き当てる構成を有する。
【０５２９】
パドル機構部３０ｃは、円周方向に複数枚の舌片が配置され、回転駆動されるパドルローラを備え、用紙整列部３に送り込まれた用紙３００を、用紙整列部３に突出させた突き当てシャッタ３０ａに突き当てる構成を有する。なお、パドルローラの回転軸は、幅寄せ機構部３０ｂの図示しない固定側のガイド方向に傾斜しており、パドルローラは、用紙整列部３に送り込まれた用紙３００に対し、幅寄せ機構部３０ｂの固定側のガイド方向に突き当てる力も与えている。
【０５３０】
綴じ部４は、用紙整列部３で整列された用紙束３０２をコイル２００で綴じるコイル回転挿入部４１を備える。コイル回転挿入部４１は綴じ機構の一例で、コイル２００を軸周りに回転させながら、軸方向に沿って搬送することで、用紙整列部３で整列されて位置が揃えられた用紙束３０２の穴３０１に、用紙３００の一方の側端部３０３側からコイル２００を挿入する。
【０５３１】
第４の実施の形態のコイル供給部５Ｄは、コイル２００を保持した上述した第１の実施の形態のコイル保持シート１００Ａ、１００Ａ１、１００Ａ２、１００Ａ３、１００Ａ４の何れか、第２の実施の形態のコイル保持シート１００Ｂ、１００Ｂ２、１００Ｂ３、１００Ｂ４の何れか、第３の実施の形態のコイル保持シート１００Ｃ、１００Ｃ２、１００Ｃ３、１００Ｃ４の何れか、第４の実施の形態のコイル保持シート１００Ｄ、第５の実施の形態のコイル保持シート１００Ｅあるいは第６の実施の形態のコイル保持シート１００Ｆを収納するコイル収納部５０を備える。以下の説明では、コイル保持シート１００Ａを例示する。
【０５３２】
また、コイル供給部５Ｄは、コイル保持シート１００Ａからコイル２００を分離するコイル分離部５１を備える。更に、コイル供給部５Ｄは、コイル分離部５１で分離されたコイル２００を送出するコイル送出部５２と、コイル２００が分離されたコイル保持シート１００Ａを回収するシート回収部５３を備える。
【０５３３】
製本装置１Ｄは、第１の搬送路１０の下側で、用紙整列部３の側方に、コイル供給部５Ｄの装着位置が設けられる。コイル供給部５Ｄは、コイル保持シート１００Ａに保持されたコイル２００の軸方向が、用紙整列部３で整列された用紙束３０２の面に沿った向きで、製本装置１Ｄに装着される。
【０５３４】
コイル供給部５Ｄは、複数のコイル収納部５０、本例では第１のコイル収納部５０１と第２のコイル収納部５０２が並列して設けられ、２枚のコイル保持シート１００Ａの収納が可能である。
【０５３５】
コイル供給部５Ｄは、第１のコイル収納部５０１と第２のコイル収納部５０２が製本装置１Ｄに対して挿抜可能に設けられる。本例では、製本装置１Ｄの正面側から第１のコイル収納部５０１と第２のコイル収納部５０２の前方への挿抜が可能である。ここで、製本装置１Ｄの正面側とは、第１の搬送路１０における用紙３００の搬送方向に対し直交する一方の側である。第１のコイル収納部５０１と第２のコイル収納部５０２を製本装置１Ｄの正面側から挿抜可能とするため、コイル供給部５Ｄと製本装置１Ｄの正面との間には、第１のコイル収納部５０１と第２のコイル収納部５０２が通過できる空間が形成される。
【０５３６】
コイル供給部５Ｄは、第１のコイル収納部５０１と第２のコイル収納部５０２が製本装置１Ｄから引き出されることで、コイル２００が保持されたコイル保持シート１００Ａの第１のコイル収納部５０１あるいは第２のコイル収納部５０２への装填、第１のコイル収納部５０１あるいは第２のコイル収納部５０２に装填されているコイル保持シート１００Ａの交換、コイル２００が分離された使用済のコイル保持シート１００Ａのシート回収部５３からの取り出しが可能である。
【０５３７】
コイル供給部５Ｄは、第１のコイル収納部５０１と第２のコイル収納部５０２が、独立して製本装置１Ｄに挿抜可能に構成される。これにより、例えば、第１のコイル収納部５０１からコイル２００を供給する間は、第２のコイル収納部５０２を引き出して、コイル保持シート１００Ａの交換が可能である。また、第２のコイル収納部５０２からコイル２００を供給する間は、第１のコイル収納部５０１を引き出して、コイル保持シート１００Ａの交換が可能である。
【０５３８】
第１のコイル収納部５０１と第２のコイル収納部５０２は、複数本のコイル２００を支持可能な１枚のコイル保持シート１００Ａが、コイル２００の並列方向を上下とした向きで収納される。
【０５３９】
コイル分離部５１は、コイル２００が保持されたコイル保持シート１００Ａを搬送することで、コイル保持シート１００Ａから１本ずつコイル２００を分離する。
【０５４０】
コイル送出部５２は、コイル保持シート１００Ａから分離されて径方向に転動するコイル２００が入る位置に設けられ、コイル分離部５２で分離された１本のコイル２００を、軸方向に沿って搬送する。シート回収部５３は、第１のコイル収納部５０１と第２のコイル収納部５０２の裏面側に並列して設けられる。
【０５４１】
第４の実施の形態のコイル搬送部６Ｄは、用紙整列部３で整列された用紙束３０２において、コイル回転挿入部４１でコイル２００の挿入が開始される側である一方の側端部３０３に対し、側端部３０３からコイル２００の１本分の長さＬ３０より短い位置Ｐｐに、コイル２００をコイル２００の軸方向に対して湾曲させて搬送する曲線搬送路を構成する。
【０５４２】
本例では、コイル送出部５２で送出されたコイル２００の送出方向と、コイル回転挿入部４１におけるコイル２００の導入方向が反対向きであるため、コイル搬送部６Ｄは、Ｕ字状に湾曲して折り返された搬送経路を構成する。
【０５４３】
排出部７は、少なくとも一対のローラと、ローラに掛けられた無端状のベルト等で構成され、用紙整列部３の下側に配置される。排出部７は、コイル２００で綴じられた冊子３０４を受け取り、排紙スタッカ８に搬送する略水平で直線状の搬送経路を構成する。排出部７は、用紙整列部３から受け取った冊子３０４を横転させた状態で搬送する。
【０５４４】
排紙スタッカ８は、排出部７の下流側に配置され、排出部７で搬送された冊子３０４が積載される。排紙スタッカ８は、所定の傾斜を有した積載面を備え、排出部５で横転した状態で搬送される冊子３０４を、積載面の傾斜に合わせて起立させて積載する。
【０５４５】
＜第４の実施の形態の製本装置の動作例＞
次に、製本装置１Ｄで用紙を綴じる製本処理の動作例について、各図を参照して説明する。
【０５４６】
製本装置１Ｄは、画像形成装置５００と接続され、印刷等の所定の処理が行われた用紙３００が、１枚ずつ給紙口１０ｃから給紙される。用紙３００をコイル２００で綴じる動作では、用紙３００をパンチ部２に搬送する搬送処理が行われ、パンチ部２で穴開け処理を行った後、用紙整列部３で整列処理が行われる。
【０５４７】
用紙３００をパンチ部２に搬送する搬送処理では、第１の搬送路１０のフィードローラ１０ａが回転駆動されることで、第１の搬送路１０に給紙された用紙３００が、フィードローラ１０ａとガイドローラ１０ｂとの間に挟持されて、第１の搬送路１０を給紙口１０ｃから排出口１０ｄへと向かう搬送方向Ａに搬送される。
【０５４８】
第１の搬送路１０を搬送方向Ａに搬送される用紙３００が切換ブレード１０ｆを通過して反転保留部１０ｇまで搬送されたと判断すると、用紙３００の搬送が停止される。用紙３００の搬送を停止した後、切換ブレード１０ｆが駆動され、用紙３００の搬送経路が、反転保留部１０ｇから第２の搬送路１１へ切り換えられる。
【０５４９】
切換ブレード１０ｆにより搬送経路が第２の搬送路１１へ切り換えられると、用紙３００が搬送方向Ｂに搬送される逆回転方向にフィードローラ１０ａを回転させる。また、第２の搬送路１１において用紙３００がパンチ部２へ搬送される方向にフィードローラ１１ａを回転させる。
【０５５０】
これにより、反転保留部１０ｇで一時保留された用紙３００は、搬送方向が反転して搬送方向Ｂに搬送され、切換ブレード１０ｆにガイドされて第１の搬送路１０から第２の搬送路１１に送られる。第２の搬送路１１に送られた用紙３００は、フィードローラ１１ａとガイドローラ１１ｂとの間に挟持され、第２の搬送路１１をパンチ部２へ搬送される。
【０５５１】
パンチ部２に搬送された用紙３００は、図示しない穴開け位置合わせ機構により、用紙３００の搬送方向の位置合わせが行われると共に、用紙３００の搬送方向に直交する幅方向の位置合わせが行われる。
【０５５２】
用紙３００の位置合わせが行われると、穴開け駆動機構２１によりパンチ刃２０を往復移動させることで、用紙３００に所定の間隔で一列に穴３０１が開けられる。パンチ部２で穴の開けられた用紙３００は、用紙整列部３に搬送される。
【０５５３】
用紙整列部３に搬送される用紙３００は、搬送方向の先端が、用紙整列部３に突出させた突き当てシャッタ３０ａに、パドル機構部３０ｃによって突き当てられると共に、側端が幅寄せ機構部３０ｂの図示しない基準ガイドに突き当てられて、位置合わせが行われる。
【０５５４】
そして、所定の枚数の用紙３００が用紙整列部３に整列されて集積されるまで、上述した搬送処理、穴開け処理及び整列処理が繰り返される。所定枚数の用紙３００が整列されると、一連の搬送処理、穴開け処理及び整列処理を停止する。
【０５５５】
所定枚数の用紙３００が用紙整列部３で整列されると、突き当てシャッタ３０ａを開放するとともに、コイル供給部５Ｄにおいて、第１のコイル収納部５０１あるいは第２のコイル収納部５０２の何れかから選択されたコイル収納部に収納されたコイル保持シート１００Ａから１本のコイル２００が分離される。
【０５５６】
第１のコイル収納部５０１と第２のコイル収納部５０２は、同じコイル２００が収納されていても良い。この場合、コイル２００の収納数が増加する。また、第１のコイル収納部５０１と第２のコイル収納部５０２は、異なる種類のコイル２００が収納されていても良い。
【０５５７】
例えば、図１０に示すように、第１のコイル収納部５０１と第２のコイル収納部５０２で外径の異なるコイル２００が保持されたコイル保持シート１００Ａが収納されてもよい。これにより、綴じる用紙３００の枚数、綴じる用紙３００の紙厚、坪量等によって異なる用紙束３０２の厚さに合わせたコイル２００の選択が可能になる。また、第１のコイル収納部５０１と第２のコイル収納部５０２で色の異なるコイル２００が保持されたコイル保持シート１００Ａが収納されてもよい。
【０５５８】
コイル保持シート１００Ａから分離されたコイル２００は、コイル送出部５２でコイル２００の軸方向に搬送され、コイル搬送路６Ｄに送られる。図１１９に示すように、コイル供給部５Ｄでのコイル２００の搬送方向と、綴じ部４でのコイル２００の搬送方向が、１８０°異なる。コイル搬送路６Ｄでは、コイル２００の搬送経路が１８０°曲げられる。
【０５５９】
これにより、コイル供給部５Ｄからコイル送出部５２で搬送されるコイル２００が、綴じ部４に送られる。綴じ部４に送られたコイル２００は、コイル回転挿入部４１により、円周方向に回転しながら軸方向に搬送されることで、用紙整列部３で整列されて位置が揃えられた用紙束３０２の穴３０１に、用紙２００の一方の側端部３０３側から挿入される。
【０５６０】
コイル２００で綴じられた冊子３０４は、排出部７に落下する。排出部７は、用紙整列部３から受け取った冊子３０４を横転させた状態で排紙スタッカ８に搬送する。排紙スタッカ８は、排出部７で横転した状態で搬送される冊子３０４を起立させて積載する。
【０５６１】
＜第４の実施の形態の製本装置の効果例＞
製本装置１Ｄでは、用紙３００の搬送処理、用紙３００の穴開け処理、用紙３００の整列処理、コイル２００を使用した用紙束３０２の綴じ処理及びコイル２００で綴じられた冊子３０４の排出処理が自動化され、用紙３００の整列、用紙束３０２の載置、コイル２００の１本ずつの載置、冊子３０４の取り出しを人手によって行う必要が無い。これにより、製本装置１Ｄを画像形成装置５００等と接続して、印刷処理及び製本処理を一括して行うことができる。
【０５６２】
コイル２００を使用した製本処理では、コイル２００を円周方向に回転させながら軸方向に搬送して、用紙３００の一方の側端部３０３から穴３０１に挿入していく。このため、用紙３００の側方にコイル２００を搬送するための空間が必要である。
【０５６３】
一方、複数本のコイル２００を収納する構成を備える場合、用紙整列部３で整列される用紙３００の一方の側方、すなわち、製本装置１Ｄにおける前方に、コイル２００の軸方向を、用紙３００の穴３０１の並びに沿った向きとしてコイル２００を収納する収納部を備えると、装置が大型化する。そこで、コイル２００の搬送経路をコイル２００の軸方向に対して曲げるコイル搬送路６Ｄで、コイル供給部５Ｄと綴じ部４を接続することで、コイル供給部５Ｄの配置の自由度を向上させることができる。
【０５６４】
また、コイル搬送部６Ｄは、用紙整列部３で整列された用紙３００の一方の側端部３０３に対し、側端部３０３からコイル２００の１本分の長さＬ３０より短い位置Ｐｐで、コイル２００をコイル２００の軸方向に対して湾曲させて搬送する曲線搬送路を構成する。
【０５６５】
これにより、用紙整列部３で整列される用紙３００の一方の側方、すなわち、製本装置１Ｄにおける前方に、コイル２００の軸方向の１本分の全長に相当する空間が不要となり、装置の大型化を抑制することができる。
【０５６６】
更に、コイル供給部５Ｄは、第１のコイル収納部５０１と第２のコイル収納部５０２が、独立して製本装置１Ｄに挿抜可能としたことで、第１のコイル収納部５０１からコイル２００を供給する間は、第２のコイル収納部５０２を引き出して、コイル保持シート１００Ａの交換が可能である。また、第２のコイル収納部５０２からコイル２００を供給する間は、第１のコイル収納部５０１を引き出して、コイル保持シート１００Ａの交換が可能である。
【０５６７】
これにより、第１のコイル収納部５０１と第２のコイル収納部５０２で、同じコイル２００を収納することで、コイル保持シート１００Ａの交換の交換を行いながら、コイル２００の収納可能数を超える製本処理を連続して行うことができる。
【０５６８】
また、第１のコイル収納部５０１と第２のコイル収納部５０２で外径の異なるコイル２００が保持されたコイル保持シート１００Ａを収納することで、コイル保持シート１００Ａを交換することなく、綴じる用紙３００の枚数、綴じる用紙３００の紙厚、坪量等によって異なる用紙束３０２に厚さに合わせたコイル２００の選択が可能になる。
【０５６９】
また、第１のコイル収納部５０１と第２のコイル収納部５０２で色の異なるコイル２００が保持されたコイル保持シート１００Ａを収納することで、コイル保持シート１００Ａを交換することなく、所望の色のコイル２００で綴じた冊子３０４を作成できる。
【０５７０】
＜第５の実施の形態の製本装置の構成例＞
図１２０〜図１２１は、第５の実施の形態の製本装置の一例を示す構成図であり、図１２０は、第５の実施の形態の製本装置の内部構成の概要を示す正面図、図１２１は、第５の実施の形態の製本装置の内部構成の概要を示す要部上面図である。
【０５７１】
第５の実施の形態の製本装置１Ｅは、用紙３００を搬送する第１の搬送路１０と、第１の搬送路１０から分岐した第２の搬送路１１を備える。第１の搬送路１０と第２の搬送路１１は、用紙３００の搬送方向を途中で反転させるスイッチバック型等と称される搬送経路を構成する。
【０５７２】
また、製本装置１Ｅは、用紙３００に所定の配列で穴３０１を開けるパンチ部２と、パンチ部２で穴３０１が開けられた用紙３００を集積し、集積された複数枚の用紙３００を整列させて用紙束３０２を生成する用紙整列部３を備える。更に、製本装置１Ｅは、用紙整列部３で整列された用紙束３０２をコイル２００で綴じて冊子３０４を生成する綴じ部４と、コイル２００を供給するコイル供給部５Ｅと、コイル供給部５Ｅで供給されるコイル２００が綴じ部４へ搬送されるコイル搬送部６Ｅを備える。また、製本装置１Ｅは、綴じ部４で綴じられた冊子３０４を排出する排出部７を備える。
【０５７３】
第１の搬送路１０及び第２の搬送路１１は、用紙３００の搬送経路に沿って設けられる複数のローラ対、用紙３００の搬送経路に沿って延在するベルト対、用紙３００の搬送をガイドするガイド部材等で構成される。
【０５７４】
第１の搬送路１０は、本実施の形態では、回転駆動される複数のフィードローラ１０ａと、フィードローラ１０ａに対向する複数のガイドローラ１０ｂを備える。第２の搬送路１１は、回転駆動される複数のフィードローラ１１ａと、フィードローラ１１ａに対向する複数のガイドローラ１１ｂを備える。
【０５７５】
第１の搬送路１０は、製本装置１Ｅ内の上部に配置され、給紙口１０ｃと排出口１０ｄとの間で用紙３００を搬送する略水平で直線状の搬送経路を構成する。
【０５７６】
第１の搬送路１０は、第１の搬送路１０と第２の搬送路１１との分岐部１０ｅに、搬送方向を切り換える切換ブレード１０ｆを備える。また、第１の搬送路１０は、分岐部１０ｅと排出口１０ｄとの間に反転保留部１０ｇを備える。
【０５７７】
第２の搬送路１１は、分岐部１０ｅで第１の搬送路１０から下方へ分岐し、切換ブレード１０ｆの動作で反転保留部１０ｇと連通する。
【０５７８】
切換ブレード１０ｆは、回転駆動されることで、第１の搬送路１０から退避する位置と、第１の搬送路１０内に突出する位置との間を移動する。切換ブレード１０ｅを第１の搬送路１０から退避する位置とすると、第１の搬送路１０を給紙口１１ｃから搬送方向Ａに搬送される用紙３００が、切換ブレード１０ｆを通過して、反転保留部１０ｇへ搬送される。
【０５７９】
これに対して、切換ブレード１０ｆを第１の搬送路１０内に突出する位置とすると、搬送方向を反転させて第１の搬送路１０を反転保留部１０ｇから搬送方向Ｂに搬送される用紙３００が、切換ブレード１０ｆのガイドによって、第１の搬送路１０から第２の搬送路１１に送られる。
【０５８０】
これにより、第２の搬送路１１は、第１の搬送路１０を給紙口１０ｃ側から排出口１０ｄ側へと搬送方向Ａに搬送される用紙３００を、反転保留部１０ｇで搬送方向を搬送方向Ｂへと反転させて、第１の搬送路１０から下方にスイッチバックさせる搬送経路を構成する。
【０５８１】
パンチ部２は、第２の搬送路１１に設けられる。パンチ部２は、用紙３００に穴３０１を開けるパンチ刃２０と、パンチ刃２０を駆動する穴開け駆動機構２１を備える。
【０５８２】
パンチ部２は、所定の本数のパンチ刃２０が一列に配置される。穴開け駆動機構２１は、パンチ刃２０を用紙３００の面に対して直交する方向に往復移動させる。パンチ部２は、図示しない穴開け位置合わせ機構により、用紙３００の搬送方向の位置合わせが行われると共に、用紙３００の搬送方向に直交する幅方向の位置合わせが行われ、パンチ刃２０を往復移動させることで、用紙３００に所定の間隔で一列に穴３０１を開ける。
【０５８３】
なお、パンチ刃２０で用紙３００に穴３０１を開けることで発生するパンチかすを回収するため、パンチ部２の下部にパンチかすスタッカ２３を備える。
【０５８４】
用紙整列部３は、用紙３００の搬送方向に対しパンチ部２の下流側に配置される。用紙整列部３は、用紙３００の搬送方向の先端の位置合わせを行う突き当てシャッタ３０ａと、用紙３００の左右方向の位置合わせを行う幅寄せ機構部３０ｂと、用紙３００を突き当てシャッタ３０ａに突き当てるパドル機構部３０ｃを備える。
【０５８５】
突き当てシャッタ３０ａは、用紙整列部３に突出して、用紙整列部３に送り込まれた用紙３００が突き当てられる位置と、用紙整列部３から退避して冊子３０４が通過できる位置との間を移動して、用紙整列部３を開閉する構成を有する。
【０５８６】
幅寄せ機構部３０ｂは、用紙３００の搬送方向に対する左右の一方に幅寄せガイドを備えると共に、他方に基準ガイドを備え、幅寄せガイドが基準ガイドに対して接近及び離間する方向に移動して、用紙整列部３に送り込まれた用紙３００を基準ガイドに突き当てる構成を有する。
【０５８７】
パドル機構部３０ｃは、円周方向に複数枚の舌片が配置され、回転駆動されるパドルローラを備え、用紙整列部３に送り込まれた用紙３００を、用紙整列部３に突出させた突き当てシャッタ３０ａに突き当てる構成を有する。なお、パドルローラの回転軸は、幅寄せ機構部３０ｂの図示しない固定側のガイド方向に傾斜しており、パドルローラは、用紙整列部３に送り込まれた用紙３００に対し、幅寄せ機構部３０ｂの固定側のガイド方向に突き当てる力も与えている。
【０５８８】
綴じ部４は、用紙整列部３で整列された用紙束３０２をコイル２００で綴じるコイル回転挿入部４１を備える。コイル回転挿入部４１は綴じ機構の一例で、コイル２００を軸周りに回転させながら、軸方向に沿って搬送することで、用紙整列部３で整列されて位置が揃えられた用紙束３０２の穴３０１に、用紙３００の一方の側端部３０３側からコイル２００を挿入する。
【０５８９】
第５の実施の形態のコイル供給部５Ｅは、コイル線供給部５４と、コイル生成部５５と、コイル生成部５５で生成されたコイル２００を送出するコイル送出部５６を備える。コイル線供給部５４は、コイル２００を生成する線材２０１が巻かれたリール５４ａを備える。コイル生成部５５は、リール５４ａから引き出された線材２０１を所定のピッチ、所定の外径で巻き、コイル２００を生成する。コイル送出部５６は、コイル生成部５５で生成された１本のコイル２００を、軸方向に沿って搬送する。
【０５９０】
製本装置１Ｅは、第１の搬送路１０の下側で、用紙整列部３の側方に、コイル供給部５Ｅの装着位置が設けられる。コイル供給部５Ｅは、コイル生成部５５で生成されるコイル２００の軸方向が、用紙整列部３で整列された用紙束３０２の面に沿った向きとなる。コイル供給部５Ｅは、リール５４ａの着脱が可能に構成される。
【０５９１】
第５の実施の形態のコイル搬送部６Ｅは、用紙整列部３で整列された用紙束３０２において、コイル回転挿入部４１でコイル２００の挿入が開始される側である一方の側端部３０３に対し、側端部３０３からコイル２００の１本分の長さＬ３０より短い位置Ｐｐに、コイル２００をコイル２００の軸方向に対して湾曲させて搬送する曲線搬送路を構成する。
【０５９２】
本例では、コイル送出部５６で送出されたコイル２００の送出方向と、コイル回転挿入部４１におけるコイル２００の導入方向が反対向きであるため、コイル搬送部６Ｅは、Ｕ字状に湾曲して折り返された搬送経路を構成する。
【０５９３】
排出部７は、少なくとも一対のローラと、ローラに掛けられた無端状のベルト等で構成され、用紙整列部３の下側に配置される。排出部７は、コイル２００で綴じられた冊子３０４を受け取り、排紙スタッカ８に搬送する略水平で直線状の搬送経路を構成する。排出部７は、用紙整列部３から受け取った冊子３０４を横転させた状態で搬送する。
【０５９４】
排紙スタッカ８は、排出部７の下流側に配置され、排出部７で搬送された冊子３０４が積載される。排紙スタッカ８は、所定の傾斜を有した積載面を備え、排出部５で横転した状態で搬送される冊子３０４を、積載面の傾斜に合わせて起立させて積載する。
【０５９５】
＜第５の実施の形態の製本装置の動作例＞
次に、製本装置１Ｅで用紙を綴じる製本処理の動作例について、各図を参照して説明する。
【０５９６】
製本装置１Ｅは、画像形成装置５００と接続され、印刷等の所定の処理が行われた用紙３００が、１枚ずつ給紙口１０ｃから給紙される。用紙３００をコイル２００で綴じる動作では、用紙３００をパンチ部２に搬送する搬送処理が行われ、パンチ部２で穴開け処理を行った後、用紙整列部３で整列処理が行われる。
【０５９７】
用紙３００をパンチ部２に搬送する搬送処理では、第１の搬送路１０のフィードローラ１０ａが回転駆動されることで、第１の搬送路１０に給紙された用紙３００が、フィードローラ１０ａとガイドローラ１０ｂとの間に挟持されて、第１の搬送路１０を給紙口１０ｃから排出口１０ｄへと向かう搬送方向Ａに搬送される。
【０５９８】
第１の搬送路１０を搬送方向Ａに搬送される用紙３００が切換ブレード１０ｆを通過して反転保留部１０ｇまで搬送されたと判断すると、用紙３００の搬送が停止される。用紙３００の搬送を停止した後、切換ブレード１０ｆが駆動され、用紙３００の搬送経路が、反転保留部１０ｇから第２の搬送路１１へ切り換えられる。
【０５９９】
切換ブレード１０ｆにより搬送経路が第２の搬送路１１へ切り換えられると、用紙３００が搬送方向Ｂに搬送される逆回転方向にフィードローラ１０ａを回転させる。また、第２の搬送路１１において用紙３００がパンチ部２へ搬送される方向にフィードローラ１１ａを回転させる。
【０６００】
これにより、反転保留部１０ｇで一時保留された用紙３００は、搬送方向が反転して搬送方向Ｂに搬送され、切換ブレード１０ｆにガイドされて第１の搬送路１０から第２の搬送路１１に送られる。第２の搬送路１１に送られた用紙３００は、フィードローラ１１ａとガイドローラ１１ｂとの間に挟持され、第２の搬送路１１をパンチ部２へ搬送される。
【０６０１】
パンチ部２に搬送された用紙３００は、図示しない穴開け位置合わせ機構により、用紙３００の搬送方向の位置合わせが行われると共に、用紙３００の搬送方向に直交する幅方向の位置合わせが行われる。
【０６０２】
用紙３００の位置合わせが行われると、穴開け駆動機構２１によりパンチ刃２０を往復移動させることで、用紙３００に所定の間隔で一列に穴３０１が開けられる。パンチ部２で穴の開けられた用紙３００は、用紙整列部３に搬送される。
【０６０３】
用紙整列部３に搬送される用紙３００は、搬送方向の先端が、用紙整列部３に突出させた突き当てシャッタ３０ａに、パドル機構部３０ｃによって突き当てられると共に、側端が幅寄せ機構部３０ｂの図示しない基準ガイドに突き当てられて、位置合わせが行われる。
【０６０４】
そして、所定の枚数の用紙３００が用紙整列部３に整列されて集積されるまで、上述した搬送処理、穴開け処理及び整列処理が繰り返される。所定枚数の用紙３００が整列されると、一連の搬送処理、穴開け処理及び整列処理を停止する。
【０６０５】
所定枚数の用紙３００が用紙整列部３で整列されると、コイル供給部５Ｅにおいて、コイル供給部５４のリール５４ａから線材２０１を引き出して、コイル生成部５５で線材を巻いてコイル２００が生成される。
【０６０６】
コイル生成部５５で生成されたコイル２００は、コイル送出部５６でコイル２００の軸方向に搬送され、コイル搬送路６Ｅに送られる。図１２１に示すように、コイル供給部５Ｅでのコイル２００の搬送方向と、綴じ部４でのコイル２００の搬送方向が、１８０°異なる。コイル搬送路６Ｅでは、コイル２００の搬送経路が１８０°曲げられる。
【０６０７】
これにより、コイル供給部５Ｅからコイル送出部５６で搬送されるコイル２００が、綴じ部４に送られる。綴じ部４に送られたコイル２００は、コイル回転挿入部４１により、円周方向に回転しながら軸方向に搬送されることで、用紙整列部３で整列されて位置が揃えられた用紙束３０２の穴３０１に、用紙２００の一方の側端部３０３側から挿入される。
【０６０８】
コイル２００で綴じられた冊子３０４は、突き当てシャッタ３０ａを開くことで、排出部７に落下する。排出部７は、用紙整列部３から受け取った冊子３０４を横転させた状態で排紙スタッカ８に搬送する。排紙スタッカ８は、排出部７で横転した状態で搬送される冊子３０４を起立させて積載する。
【０６０９】
＜第５の実施の形態の製本装置の効果例＞
製本装置１Ｅでは、用紙３００の搬送処理、用紙３００の穴開け処理、用紙３００の整列処理、コイル２００を使用した用紙束３０２の綴じ処理及びコイル２００で綴じられた冊子３０４の排出処理が自動化され、用紙３００の整列、用紙束３０２の載置、コイル２００の１本ずつの載置、冊子３０４の取り出しを人手によって行う必要が無い。これにより、製本装置１Ｄを画像形成装置５００等と接続して、印刷処理及び製本処理を一括して行うことができる。
【０６１０】
コイル２００を使用した製本処理では、コイル２００を円周方向に回転させながら軸方向に搬送して、用紙３００の一方の側端部３０３から穴３０１に挿入していく。このため、用紙３００の側方にコイル２００を搬送するための空間が必要である。
【０６１１】
一方、複数本のコイル２００を収納する構成を備える場合、用紙整列部３で整列される用紙３００の一方の側方、すなわち、製本装置１Ｅにおける前方に、コイル２００の軸方向を、用紙３００の穴３０１の並びに沿った向きとしてコイル２００を収納する収納部を備えると、装置が大型化する。そこで、コイル２００の搬送経路をコイル２００の軸方向に対して曲げるコイル搬送路６Ｅで、コイル供給部５Ｅと綴じ部４を接続することで、コイル供給部５Ｅの配置の自由度を向上させることができる。
【０６１２】
また、コイル搬送部６Ｅは、用紙整列部３で整列された用紙３００の一方の側端部３０３に対し、側端部３０３からコイル２００の１本分の長さＬ３０より短い位置Ｐｐで、コイル２００をコイル２００の軸方向に対して湾曲させて搬送する曲線搬送路を構成する。
【０６１３】
これにより、用紙整列部３で整列される用紙３００の一方の側方、すなわち、製本装置１Ｅにおける前方に、コイル２００の軸方向の１本分の全長に相当する空間が不要となり、装置の大型化を抑制することができる。
【０６１４】
更に、コイル供給部５Ｅは、線材２０１からコイル２００を生成するので、コイル２００の成形品を収納する空間が不要である。更に、任意の径、任意のピッチでコイル２００の作成が可能である。
【０６１５】
＜第６の実施の形態の製本装置の構成例＞
図１２２は、第６の実施の形態の製本装置の内部構成の概要を示す正面図である。第６の実施の形態の製本装置１Ｆは、用紙３００を搬送する第１の搬送路１０と、第１の搬送路１０から分岐した第２の搬送路１１を備える。第１の搬送路１０と第２の搬送路１１は、用紙３００の搬送方向を途中で反転させるスイッチバック型等と称される搬送経路を構成する。
【０６１６】
また、製本装置１Ｆは、用紙３００に所定の配列で穴３０１を開けるパンチ部２を備える。製本装置１Ｆは、用紙綴じユニット９Ａと用紙綴じユニット９Ｂが交換可能な構成である。用紙綴じユニット９Ａは、例えば、上述した第４の実施の形態のコイル供給部５Ｄを備えた構成である。
【０６１７】
すなわち、用紙綴じユニット９Ａは、パンチ部２で穴３０１が開けられた用紙３００を集積し、集積された複数枚の用紙３００を整列させて用紙束３０２を生成する用紙整列部３を備える。また、用紙綴じユニット９Ａは、用紙整列部３で整列された用紙束３０２をコイル２００で綴じて冊子３０４を生成する綴じ部４と、コイル２００を供給するコイル供給部５Ｄと、コイル供給部５Ｄで供給されるコイル２００が綴じ部４へ搬送されるコイル搬送部６Ｄを備える。
【０６１８】
用紙綴じユニット９Ｂは、パンチ部２で穴３０１が開けられた用紙３００を集積し、集積された複数枚の用紙３００を整列させて用紙束３０２を生成する用紙整列部３を備える。また、用紙綴じユニット９Ｂは、用紙整列部３で整列された用紙束３０２を綴じ部品２１０で綴じて冊子３０４を生成する綴じ部４Ｆと、綴じ部品２１０を供給する綴じ部品供給部５Ｆを備える。
【０６１９】
製本装置１Ｆは、綴じ部４または綴じ部４Ｆで綴じられた冊子３０４を排出する排出部７を備える。
【０６２０】
第１の搬送路１０及び第２の搬送路１１は、用紙３００の搬送経路に沿って設けられる複数のローラ対、用紙３００の搬送経路に沿って延在するベルト対、用紙３００の搬送をガイドするガイド部材等で構成される。
【０６２１】
第１の搬送路１０は、本実施の形態では、回転駆動される複数のフィードローラ１０ａと、フィードローラ１０ａに対向する複数のガイドローラ１０ｂを備える。第２の搬送路１１は、回転駆動される複数のフィードローラ１１ａと、フィードローラ１１ａに対向する複数のガイドローラ１１ｂを備える。
【０６２２】
第１の搬送路１０は、製本装置１Ｆ内の上部に配置され、給紙口１０ｃと排出口１０ｄとの間で用紙３００を搬送する略水平で直線状の搬送経路を構成する。
【０６２３】
第１の搬送路１０は、第１の搬送路１０と第２の搬送路１１との分岐部１０ｅに、搬送方向を切り換える切換ブレード１０ｆを備える。また、第１の搬送路１０は、分岐部１０ｅと排出口１０ｄとの間に反転保留部１０ｇを備える。
【０６２４】
第２の搬送路１１は、分岐部１０ｅで第１の搬送路１０から下方へ分岐し、切換ブレード１０ｆの動作で反転保留部１０ｇと連通する。
【０６２５】
切換ブレード１０ｆは、回転駆動されることで、第１の搬送路１０から退避する位置と、第１の搬送路１０内に突出する位置との間を移動する。切換ブレード１０ｆを第１の搬送路１０から退避する位置とすると、第１の搬送路１０を給紙口１１ｃから搬送方向Ａに搬送される用紙３００が、切換ブレード１０ｆを通過して、反転保留部１０ｇへ搬送される。
【０６２６】
これに対して、切換ブレード１０ｆを第１の搬送路１０内に突出する位置とすると、搬送方向を反転させて第１の搬送路１０を反転保留部１０ｇから搬送方向Ｂに搬送される用紙３００が、切換ブレード１０ｆのガイドによって、第１の搬送路１０から第２の搬送路１１に送られる。
【０６２７】
これにより、第２の搬送路１１は、第１の搬送路１０を給紙口１０ｃ側から排出口１０ｄ側へと搬送方向Ａに搬送される用紙３００を、反転保留部１０ｇで搬送方向を搬送方向Ｂへと反転させて、第１の搬送路１０から下方にスイッチバックさせる搬送経路を構成する。
【０６２８】
パンチ部２は、第２の搬送路１１に設けられる。パンチ部２は、用紙３００に穴３０１を開けるパンチ刃２０と、パンチ刃２０を駆動する穴開け駆動機構２１を備える。
【０６２９】
パンチ部２は、所定の本数のパンチ刃２０が一列に配置される。穴開け駆動機構２１は、パンチ刃２０を用紙３００の面に対して直交する方向に往復移動させる。パンチ部２は、図示しない穴開け位置合わせ機構により、用紙３００の搬送方向の位置合わせが行われると共に、用紙３００の搬送方向に直交する幅方向の位置合わせが行われ、パンチ刃２０を往復移動させることで、用紙３００に所定の間隔で一列に穴３０１を開ける。
【０６３０】
なお、パンチ刃２０で用紙３００に穴３０１を開けることで発生するパンチかすを回収するため、パンチ部２の下部にパンチかすスタッカ２３を備える。
【０６３１】
用紙整列部３は、用紙３００の搬送方向に対しパンチ部２の下流側に配置される。用紙整列部３は、用紙３００の搬送方向の先端の位置合わせを行う突き当てシャッタ３０ａと、用紙３００の左右方向の位置合わせを行う幅寄せ機構部３０ｂと、用紙３００を突き当てシャッタ３０ａに突き当てるパドル機構部３０ｃを備える。
【０６３２】
突き当てシャッタ３０ａは、用紙整列部３に突出して、用紙整列部３に送り込まれた用紙３００が突き当てられる位置と、用紙整列部３から退避して冊子３０４が通過できる位置との間を移動して、用紙整列部３を開閉する構成を有する。
【０６３３】
幅寄せ機構部３０ｂは、用紙３００の搬送方向に対する左右の一方に幅寄せガイドを備えると共に、他方に基準ガイドを備え、幅寄せガイドが基準ガイドに対して接近及び離間する方向に移動して、用紙整列部３に送り込まれた用紙３００を基準ガイドに突き当てる構成を有する。
【０６３４】
パドル機構部３０ｃは、円周方向に複数枚の舌片が配置され、回転駆動されるパドルローラを備え、用紙整列部３に送り込まれた用紙３００を、用紙整列部３に突出させた突き当てシャッタ３０ａに突き当てる構成を有する。なお、パドルローラの回転軸は、幅寄せ機構部３０ｂの図示しない固定側のガイド方向に傾斜しており、パドルローラは、用紙整列部３に送り込まれた用紙３００に対し、幅寄せ機構部３０ｂの固定側のガイド方向に突き当てる力も与えている。
【０６３５】
綴じ部４は、用紙整列部３で整列された用紙束３０２をコイル２００で綴じるコイル回転挿入部４１を備える。コイル回転挿入部４１は綴じ機構の一例で、コイル２００を軸周りに回転させながら、軸方向に沿って搬送することで、用紙整列部３で整列されて位置が揃えられた用紙束３０２の穴３０１に、用紙３００の一方の側端部３０３側からコイル２００を挿入する。
【０６３６】
コイル供給部５Ｄは、コイル２００を保持した上述した第１の実施の形態のコイル保持シート１００Ａ、１００Ａ１、１００Ａ２、１００Ａ３、１００Ａ４の何れか、第２の実施の形態のコイル保持シート１００Ｂ、１００Ｂ２、１００Ｂ３、１００Ｂ４の何れか、第３の実施の形態のコイル保持シート１００Ｃ、１００Ｃ２、１００Ｃ３、１００Ｃ４の何れか、第４の実施の形態のコイル保持シート１００Ｄ、第５の実施の形態のコイル保持シート１００Ｅあるいは第６の実施の形態のコイル保持シート１００Ｆを収納するコイル収納部５０を備える。以下の説明では、コイル保持シート１００Ａを例示する。
【０６３７】
また、コイル供給部５Ｄは、コイル保持シート１００Ａからコイル２００を分離するコイル分離部５１を備える。更に、コイル供給部５Ｄは、コイル分離部５１で分離されたコイル２００を送出するコイル送出部５２と、コイル２００が分離されたコイル保持シート１００Ａを回収するシート回収部５３を備える。
【０６３８】
製本装置１Ｆは、第１の搬送路１０の下側に、用紙綴じユニット９Ａ及び用紙綴じユニット９Ｂの装着位置が設けられる。また、製本装置１Ｆは、用紙綴じユニット９Ａを装着した状態においては、図１１８で説明した第４の実施の形態の製本装置１Ｄと同様に、第１の搬送路１０の下側で、用紙整列部３の側方に、コイル供給部５Ｄの装着位置が設けられる。コイル供給部５Ｄは、コイル保持シート１００Ａに保持されたコイル２００の軸方向が、用紙整列部３で整列された用紙束３０２の面に沿った向きで、製本装置１Ｆに装着される。
【０６３９】
コイル供給部５Ｄは、複数のコイル収納部５０、本例では第１のコイル収納部５０１と第２のコイル収納部５０２が並列して設けられ、２枚のコイル保持シート１００Ａの収納が可能である。
【０６４０】
コイル供給部５Ｄは、第１のコイル収納部５０１と第２のコイル収納部５０２が製本装置１Ｆに対して挿抜可能に設けられる。本例では、製本装置１Ｆの正面側から第１のコイル収納部５０１と第２のコイル収納部５０２の前方への挿抜が可能である。ここで、製本装置１Ｆの正面側とは、第１の搬送路１０における用紙３００の搬送方向に対し直交する一方の側である。第１のコイル収納部５０１と第２のコイル収納部５０２を製本装置１Ｆの正面側から挿抜可能とするため、コイル供給部５Ｄと製本装置１Ｆの正面との間には、第１のコイル収納部５０１と第２のコイル収納部５０２が通過できる空間が形成される。
【０６４１】
コイル供給部５Ｄは、第１のコイル収納部５０１と第２のコイル収納部５０２が製本装置１Ｆから引き出されることで、用紙綴じユニット９Ａを引きださずとも、コイル２００が保持されたコイル保持シート１００Ａの第１のコイル収納部５０１あるいは第２のコイル収納部５０２への装填、第１のコイル収納部５０１あるいは第２のコイル収納部５０２に装填されているコイル保持シート１００Ａの交換、コイル２００が分離された使用済のコイル保持シート１００Ａのシート回収部５３からの取り出しが可能である。
【０６４２】
コイル供給部５Ｄは、第１のコイル収納部５０１と第２のコイル収納部５０２が、独立して製本装置１Ｆに挿抜可能に構成される。これにより、例えば、第１のコイル収納部５０１からコイル２００を供給する間は、第２のコイル収納部５０２を引き出して、コイル保持シート１００Ａの交換が可能である。また、第２のコイル収納部５０２からコイル２００を供給する間は、第１のコイル収納部５０１を引き出して、コイル保持シート１００Ａの交換が可能である。
【０６４３】
第１のコイル収納部５０１と第２のコイル収納部５０２は、複数本のコイル２００を支持可能な１枚のコイル保持シート１００Ａが、コイル２００の並列方向を上下とした向きで収納される。
【０６４４】
コイル分離部５１は、コイル２００が保持されたコイル保持シート１００Ａを搬送することで、コイル保持シート１００Ａから１本ずつコイル２００を分離する。
【０６４５】
コイル送出部５２は、コイル保持シート１００Ａから分離されて径方向に転動するコイル２００が入る位置に設けられ、コイル分離部５２で分離された１本のコイル２００を、軸方向に沿って搬送する。シート回収部５３は、第１のコイル収納部５０１と第２のコイル収納部５０２の裏面側に並列して設けられる。
【０６４６】
コイル搬送部６Ｄは、用紙整列部３で整列された用紙束３０２において、コイル回転挿入部４１でコイル２００の挿入が開始される側である一方の側端部３０３に対し、コイル２００の１本分の長さＬ３０より短い位置Ｐｐに、コイル２００を軸方向に曲げて搬送する曲線搬送路を構成する。
【０６４７】
本例では、コイル送出部５２で送出されたコイル２００の送出方向と、コイル回転挿入部４１におけるコイル２００の導入方向が反対向きであるため、コイル搬送部６Ｄは、Ｕ字状に湾曲して折り返された搬送経路を構成する。
【０６４８】
用紙綴じユニット９Ｂは、環状となる複数のリング部が背部で連結され、リング部が開閉可能となるように、複数に分割されたリング部が可撓性を有したヒンジ部で連結された綴じ部品２１０が、開いた状態で積載されて綴じ部品供給部５Ｆに収納される。
【０６４９】
綴じ部４Ｆは、図１２２に示す位置で綴じ部品供給部５Ｆから綴じ部品２１０を取り出し、用紙整列部３に移動して、綴じ部品２１０で用紙束を綴じる。
【０６５０】
排出部７は、少なくとも一対のローラと、ローラに掛けられた無端状のベルト等で構成され、用紙整列部３の下側に配置される。排出部７は、コイル２００で綴じられた冊子３０４を受け取り、排紙スタッカ８に搬送する略水平で直線状の搬送経路を構成する。排出部７は、用紙整列部３から受け取った冊子３０４を横転させた状態で搬送する。
【０６５１】
排紙スタッカ８は、排出部７の下流側に配置され、排出部７で搬送された冊子３０４が積載される。排紙スタッカ８は、所定の傾斜を有した積載面を備え、排出部５で横転した状態で搬送される冊子３０４を、積載面の傾斜に合わせて起立させて積載する。
【０６５２】
＜第６の実施の形態の製本装置の動作例＞
次に、製本装置１Ｆで用紙を綴じる製本処理の動作例について、各図を参照して説明する。
【０６５３】
製本装置１Ｆは、画像形成装置５００と接続され、印刷等の所定の処理が行われた用紙３００が、１枚ずつ給紙口１０ｃから給紙される。用紙３００をコイル２００で綴じる動作では、用紙３００をパンチ部２に搬送する搬送処理が行われ、パンチ部２で穴開け処理を行った後、用紙整列部３で整列処理が行われる。
【０６５４】
用紙３００をパンチ部２に搬送する搬送処理では、第１の搬送路１０のフィードローラ１０ａが回転駆動されることで、第１の搬送路１０に給紙された用紙３００が、フィードローラ１０ａとガイドローラ１０ｂとの間に挟持されて、第１の搬送路１０を給紙口１０ｃから排出口１０ｄへと向かう搬送方向Ａに搬送される。
【０６５５】
第１の搬送路１０を搬送方向Ａに搬送される用紙３００が切換ブレード１０ｆを通過して反転保留部１０ｇまで搬送されたと判断すると、用紙３００の搬送が停止される。用紙３００の搬送を停止した後、切換ブレード１０ｆが駆動され、用紙３００の搬送経路が、反転保留部１０ｇから第２の搬送路１１へ切り換えられる。
【０６５６】
切換ブレード１０ｆにより搬送経路が第２の搬送路１１へ切り換えられると、用紙３００が搬送方向Ｂに搬送される逆回転方向にフィードローラ１０ａを回転させる。また、第２の搬送路１１において用紙３００がパンチ部２へ搬送される方向にフィードローラ１１ａを回転させる。
【０６５７】
これにより、反転保留部１０ｇで一時保留された用紙３００は、搬送方向が反転して搬送方向Ｂに搬送され、切換ブレード１０ｆにガイドされて第１の搬送路１０から第２の搬送路１１に送られる。第２の搬送路１１に送られた用紙３００は、フィードローラ１１ａとガイドローラ１１ｂとの間に挟持され、第２の搬送路１１をパンチ部２へ搬送される。
【０６５８】
パンチ部２に搬送された用紙３００は、図示しない穴開け位置合わせ機構により、用紙３００の搬送方向の位置合わせが行われると共に、用紙３００の搬送方向に直交する幅方向の位置合わせが行われる。
【０６５９】
用紙３００の位置合わせが行われると、穴開け駆動機構２１によりパンチ刃２０を往復移動させることで、用紙３００に所定の間隔で一列に穴３０１が開けられる。パンチ部２で穴の開けられた用紙３００は、用紙整列部３に搬送される。
【０６６０】
用紙整列部３に搬送される用紙３００は、搬送方向の先端が、用紙整列部３に突出させた突き当てシャッタ３０ａに、パドル機構部３０ｃによって突き当てられると共に、側端が幅寄せ機構部３０ｂの図示しない基準ガイドに突き当てられて、位置合わせが行われる。
【０６６１】
そして、所定の枚数の用紙３００が用紙整列部３に整列されて集積されるまで、上述した搬送処理、穴開け処理及び整列処理が繰り返される。所定枚数の用紙３００が整列されると、一連の搬送処理、穴開け処理及び整列処理を停止する。
【０６６２】
用紙綴じユニット９Ａが装着された製本装置１Ｅは、図１１８及び図１１９で説明した第４の実施の形態の製本装置１Ｄと同じ形態である。所定枚数の用紙３００が用紙整列部３で整列されると、コイル供給部５Ｄにおいて、第１のコイル収納部５０１あるいは第２のコイル収納部５０２の何れかから選択されたコイル収納部に収納されたコイル保持シート１００Ａから１本のコイル２００が分離される。
【０６６３】
第１のコイル収納部５０１と第２のコイル収納部５０２は、同じコイル２００が収納されていても良い。この場合、コイル２００の収納数が増加する。また、第１のコイル収納部５０１と第２のコイル収納部５０２は、異なる種類のコイル２００が収納されていても良い。
【０６６４】
例えば、図１０に示すように、第１のコイル収納部５０１と第２のコイル収納部５０２で外径の異なるコイル２００が保持されたコイル保持シート１００Ａが収納されてもよい。これにより、綴じる用紙３００の枚数、綴じる用紙３００の紙厚、坪量等によって異なる用紙束３０２に厚さに合わせたコイル２００の選択が可能になる。また、第１のコイル収納部５０１と第２のコイル収納部５０２で色の異なるコイル２００が保持されたコイル保持シート１００Ａが収納されてもよい。
【０６６５】
コイル保持シート１００Ａから分離されたコイル２００は、コイル送出部５２で軸方向に搬送され、コイル搬送路６Ｄに送られる。図１１９に示すように、コイル供給部５Ｄでのコイル２００の搬送方向と、綴じ部４でのコイル２００の搬送方向が、１８０°異なる。コイル搬送路６Ｄでは、コイル２００の搬送経路が１８０°曲げられる。
【０６６６】
これにより、コイル供給部５Ｄからコイル送出部５２で搬送されるコイル２００が、綴じ部４に送られる。綴じ部４に送られたコイル２００は、コイル回転挿入部４１により、円周方向に回転しながら軸方向に搬送されることで、用紙整列部３で整列されて位置が揃えられた用紙束３０２の穴３０１に、用紙２００の一方の側端部３０３側から挿入される。
【０６６７】
コイル２００で綴じられた冊子３０４は、突き当てシャッタ３０ａを開くことで、排出部７に落下する。排出部７は、用紙整列部３から受け取った冊子３０４を横転させた状態で排紙スタッカ８に搬送する。排紙スタッカ８は、排出部７で横転した状態で搬送される冊子３０４を起立させて積載する。
【０６６８】
用紙綴じユニット９Ｂが装着された製本装置１Ｆでは、綴じ部４Ｆは、図１２２に示す位置で綴じ部品供給部５Ｆから綴じ部品２１０を取り出し、用紙整列部３に移動して、綴じ部品２１０で用紙束を綴じる。
【０６６９】
綴じ部品２１０で綴じられた冊子３０４は、突き当てシャッタ３０ａを開くことで、排出部７に落下する。排出部７は、用紙整列部３から受け取った冊子３０４を横転させた状態で排紙スタッカ８に搬送する。排紙スタッカ８は、排出部７で横転した状態で搬送される冊子３０４を起立させて積載する。
【０６７０】
＜第６の実施の形態の製本装置の効果例＞
製本装置１Ｆでは、用紙綴じユニット９Ａを装着することで、用紙３００の搬送処理、用紙３００の穴開け処理、用紙３００の整列処理、コイル２００を使用した用紙束３０２の綴じ処理及び綴じられた冊子３０４の排出処理が自動化され、用紙３００の整列、用紙束３０２の載置、コイル２００の１本ずつの載置、冊子３０４の取り出しを人手によって行う必要が無い。これにより、製本装置１Ｆを画像形成装置５００等と接続して、印刷処理及び製本処理を一括して行うことができる。
【０６７１】
コイル２００を使用した製本処理では、コイル２００を円周方向に回転させながら軸方向に搬送して、用紙３００の一方の側端部３０３から穴３０１に挿入していく。このため、用紙３００の側方にコイル２００を搬送するための空間が必要である。
【０６７２】
一方、複数本のコイル２００を収納する構成を備える場合、用紙整列部３で整列される用紙３００の一方の側方、すなわち、製本装置１Ｆにおける前方に、コイル２００の軸方向を、用紙３００の穴３０１の並びに沿った向きとしてコイル２００を収納する収納部を備えると、装置が大型化する。そこで、コイル２００の搬送経路をコイル２００の軸方向に対して曲げるコイル搬送路６Ｄで、コイル供給部５Ｄと綴じ部４を接続することで、コイル供給部５Ｄの配置の自由度を向上させることができる。
【０６７３】
また、コイル搬送部６Ｄは、用紙整列部３で整列された用紙３００の一方の側端部３０３に対し、側端部３０３からコイル２００の１本分の長さＬ３０より短い位置Ｐｐで、コイル２００をコイル２００の軸方向に対して湾曲させて搬送する曲線搬送路を構成する。
【０６７４】
これにより、用紙整列部３で整列される用紙３００の一方の側方、すなわち、製本装置１Ｄにおける前方に、コイル２００の軸方向の１本分の全長に相当する空間が不要となり、装置の大型化を抑制することができる。
【０６７５】
更に、コイル供給部５Ｄは、第１のコイル収納部５０１と第２のコイル収納部５０２が、独立して製本装置１Ｄに挿抜可能としたことで、第１のコイル収納部５０１からコイル２００を供給する間は、第２のコイル収納部５０２を引き出して、コイル保持シート１００Ａの交換が可能である。また、第２のコイル収納部５０２からコイル２００を供給する間は、第１のコイル収納部５０１を引き出して、コイル保持シート１００Ａの交換が可能である。
【０６７６】
これにより、第１のコイル収納部５０１と第２のコイル収納部５０２で、同じコイル２００を収納することで、コイル保持シート１００Ａの交換を行いながら、コイル２００の収納可能数を超える製本処理を連続して行うことができる。
【０６７７】
また、第１のコイル収納部５０１と第２のコイル収納部５０２で外径の異なるコイル２００が保持されたコイル保持シート１００Ａを収納することで、コイル保持シート１００Ａを交換することなく、綴じる用紙３００の枚数、綴じる用紙３００の紙厚、坪量等によって異なる用紙束３０２に厚さに合わせたコイル２００の選択が可能になる。
【０６７８】
また、第１のコイル収納部５０１と第２のコイル収納部５０２で色の異なるコイル２００が保持されたコイル保持シート１００Ａを収納することで、コイル保持シート１００Ａを交換することなく、所望の色のコイル２００で綴じた冊子３０４を作成できる。
【０６７９】
更に、用紙綴じユニット９Ａと用紙綴じユニット９Ｂを交換することで、コイル２００と異なる形態の綴じ部品２１０を使用した製本処理が、コイル２００と同様に行える。
【０６８０】
＜冊子厚の違いによる製本例＞
図１２３は、冊子厚の違いによる製本例を示す説明図である。図１０に示すように、コイル２００は、用紙の綴じ枚数、厚さ等に応じて変わる用紙束の厚さに応じて、外径が複数の異なる寸法で用意される。本例では、外径Ｒｏが太いものから順に、コイル２００ａ１、コイル２００ａ２、コイル２００ａ３、コイル２００ａ１及びコイル２００ａ５の５種類を使用可能とする。
【０６８１】
図１０３〜図１０６で説明したように、コイル２００の外径に応じたコイル保持シート１Ａが用意されている。これにより、上述した製本装置１Ａ〜１Ｄ，用紙綴じユニット９Ａを装着した製本装置１Ｆでは、コイル保持シート１Ａを交換することで、図１２３に示すように、用紙の紙厚、坪量等で異なる用紙束の厚さに適したコイル２００ａ１〜コイル２００ａ５のいずれかを使用して、冊子３０４を生成できる。
【０６８２】
＜第１の実施の形態のコイル分離部の構成例＞
図１２４及び図１２５は、第１の実施の形態の綴じ部品分離機構としてのコイル分離部の一例を示す斜視図、図１２６は、第１の実施の形態のコイル分離部の一例を示す側面図であり、次に、上述した第１のコイル供給部５Ａを例に、コイル分離部の第１の実施の形態について説明する。
【０６８３】
コイル供給部５Ａは、コイル２００を保持した上述した第１の実施の形態のコイル保持シート１００Ａ、１００Ａ１、１００Ａ２、１００Ａ３、１００Ａ４の何れか、第２の実施の形態のコイル保持シート１００Ｂ、１００Ｂ２、１００Ｂ３、１００Ｂ４の何れか、第３の実施の形態のコイル保持シート１００Ｃ、１００Ｃ２、１００Ｃ３、１００Ｃ４の何れか、第４の実施の形態のコイル保持シート１００Ｄ、第５の実施の形態のコイル保持シート１００Ｅあるいは第６の実施の形態のコイル保持シート１００Ｆを収納するコイル収納部５０を備える。以下の説明では、コイル保持シート１００Ａを例示する。
【０６８４】
また、コイル供給部５Ａは、コイル保持シート１００Ａからコイル２００を分離する第１の実施の形態のコイル分離部５１Ａを備える。更に、コイル供給部５Ａは、コイル２００が分離されたコイル保持シート１００Ａを回収するシート回収部５３を備える。
【０６８５】
コイル収納部５０は、コイル保持シート１００Ａに保持されたコイル２００において、コイル保持シート１００Ａの裏面側に突出する部位の外周面が当接するコイルガイド板５０ａを備える。コイルガイド板５０ａは、押さえ部の一例であって本例では上下方向に沿って延在する。コイル収納部５０は、コイルガイド板５０ａの一方の面側に形成された空間に、複数本のコイル２００を支持可能な１枚のコイル保持シート１００Ａが、コイル２００の並列方向を上下とした向きで収納される。
【０６８６】
コイル分離部５１Ａは、コイル収納部５０に収納されたコイル保持シート１００Ａを搬送するシート搬送ローラ５７と、コイル保持シート１００Ａで保持されたコイル２００が突き当てられる突き当て部５８Ａを備える。
【０６８７】
シート搬送ローラ５７は送り手段及びシート搬送手段の一例で、矢印ｆで示すコイル保持シート１００Ａの搬送方向に対し、突き当て部５８Ａの下流側に設けられる。シート搬送ローラ５７は、対向して配置される一対のローラの少なくとも一方が回転駆動される構成で、コイル保持シート１００Ａを挟持して搬送する。
【０６８８】
コイル分離部５１Ａは、複数のシート搬送ローラ５７が、図１等に示すコイル保持シート１００Ａの保持部形成箇所１０３ａの間隔に合わせて同軸上に配置される。これにより、シート搬送ローラ５７は、コイル保持シート１００Ａの保持部形成箇所１０３ａに接した状態で、コイル保持シート１００Ａを搬送する。
【０６８９】
コイル保持シート１００Ａの保持部形成箇所１０３ａは、図１等に示すように、コイル保持列１０３が並列する方向に沿って連続している。これにより、シート搬送ローラ５７でコイル保持シート１００Ａを搬送する途中で、シート搬送ローラ５７がコイル保持シート１００Ａと非接触になることはなく、コイル保持シート１００Ａの確実な搬送が可能である。
【０６９０】
突き当て部５８Ａは、コイル保持シート１００Ａで保持されたコイル２００の搬送経路に設けられ、コイル保持シート１００Ａで支持されたコイル２００の中心Ｏを通る仮想線ＯＬとコイル保持シート１００Ａとの間で、コイル２００の外周と接する高さに突出する。
【０６９１】
突き当て部５８Ａは、本例では、コイル２００の中心Ｏを通る仮想線ＯＬの位置、すなわち、コイル２００の最大径の位置でコイル２００の外周面と接するように、コイル２００の径方向に沿った長さが、コイル２００の半径より長く構成される。また、突き当て部５８Ａは、コイルガイド板５０ａに対して略直交する向きに突出する。更に、突き当て部５８Ａは、コイル２００の軸方向に沿った長さが、コイル２００の軸方向の長さより長く構成される。
【０６９２】
コイル分離部５１Ａは、シート搬送ローラ５７でコイル保持シート１００Ａを搬送することで、コイル保持シート１００Ａに保持されたコイル２００を突き当て部５８Ａに突き当て、突き当て部５８Ａに突き当てられたコイル２００をコイル保持シート１００Ａから分離する。
【０６９３】
シート回収部５３は、本例ではコイルガイド板５０ａを挟んでコイル収納部５０の裏面側に並列して設けられ、シート搬送ローラ５７で搬送されるコイル保持シート１００Ａの搬送方向を反転させるＵ字状のシート搬送ガイド５３ａを備える。これにより、コイル保持シート１００Ａの搬送方向の長さを大きくすることなく、コイル２００が分離されたコイル保持シート１００Ａを回収する構成を実現できる。
【０６９４】
図１２７は、第１の実施の形態のコイル分離部の変形例を示す斜視図である。コイル供給部５Ａは、上述したように、コイル２００を保持したコイル保持シート１００Ａ、１００Ａ１、１００Ａ２、１００Ａ３、１００Ａ４の何れか、第２の実施の形態のコイル保持シート１００Ｂ、１００Ｂ２、１００Ｂ３、１００Ｂ４の何れか、第３の実施の形態のコイル保持シート１００Ｃ、１００Ｃ２、１００Ｃ３、１００Ｃ４の何れか、第４の実施の形態のコイル保持シート１００Ｄ、第５の実施の形態のコイル保持シート１００Ｅあるいは第６の実施の形態のコイル保持シート１００Ｆを収納するコイル収納部５０を備える。図１２７では図示しないが、以下の説明では、図１〜７等で説明したコイル保持シート１００Ａを例に説明する。
【０６９５】
また、コイル供給部５Ａは、コイル保持シート１００Ａからコイル２００を分離する第１の実施の形態の変形例のコイル分離部５１Ａ１を備える。更に、図１２７では図示しないが、コイル供給部５Ａは、図１２６に示すように、コイル２００が分離されたコイル保持シート１００Ａを回収するシート回収部を備える。
【０６９６】
コイル収納部５０は、コイル保持シート１００Ａに保持されたコイル２００において、コイル保持シート１００Ａの裏面側に突出する部位の外周面が当接するコイルガイド板５０ａを備える。コイルガイド板５０ａは、本例では上下方向に沿って延在する。コイル収納部５０は、コイルガイド板５０ａの一方の面側に形成された空間に、複数本のコイル２００を支持可能な１枚のコイル保持シート１００Ａが、コイル２００の並列方向を上下とした向きで収納される。
【０６９７】
コイル分離部５１Ａ１は、コイル収納部５０に収納されたコイル保持シート１００Ａを搬送するシート搬送ローラ５７と、コイル保持シート１００Ａで保持されたコイル２００が突き当てられる突き当て部５８Ａ１を備える。
【０６９８】
シート搬送ローラ５７はシート搬送手段の一例で、コイル保持シート１００Ａの搬送方向に対し、突き当て部５８Ａ１の下流側に設けられる。シート搬送ローラ５７は、コイル保持シート１００Ａを挟持して搬送する。
【０６９９】
コイル分離部５１Ａ１は、複数のシート搬送ローラ５７が、図１等に示すコイル保持シート１００Ａの保持部形成箇所１０３ａの間隔に合わせて同軸上に配置される。これにより、シート搬送ローラ５７は、コイル保持シート１００Ａの保持部形成箇所１０３ａに接した状態で、コイル保持シート１００Ａを搬送する。
【０７００】
コイル保持シート１００Ａの保持部形成箇所１０３ａは、図１等に示すように、コイル保持列１０３が並列する方向に沿って連続している。これにより、シート搬送ローラ５７でコイル保持シート１００Ａを搬送する途中で、シート搬送ローラ５７がコイル保持シート１００Ａと非接触になることはなく、コイル保持シート１００Ａの確実な搬送が可能である。
【０７０１】
突き当て部５８Ａ１は、コイル保持シート１００Ａで保持されたコイル２００の搬送経路に設けられ、図１２６に示す突き当て部５８Ａと同様に、コイル保持シート１００Ａで支持されたコイル２００の中心Ｏを通る仮想線ＯＬとコイル保持シート１００Ａとの間で、コイル２００の外周と接する高さに突出する。
【０７０２】
突き当て部５８Ａ１は、本例では、コイル２００の中心Ｏを通る仮想線ＯＬの位置、すなわち、コイル２００の最大径の位置でコイル２００の外周面と接するように、コイル２００の径方向に沿った長さが、コイル２００の半径より長く構成される。また、突き当て部５８Ａ１は、コイルガイド板５０ａに対して略直交する向きに突出する。更に、突き当て部５８Ａ１は、シート搬送ローラ５７の配置、すなわち、図１等に示すコイル保持シート１００Ａの保持部形成箇所１０３ａの間隔に合わせて配置される。
【０７０３】
コイル分離部５１Ａ１は、シート搬送ローラ５７でコイル保持シート１００Ａを搬送することで、コイル保持シート１００Ａに保持されたコイル２００を突き当て部５８Ａ１に突き当て、突き当て部５８Ａ１に突き当てられたコイル２００をコイル保持シート１００Ａから分離する。
【０７０４】
図１２８は、第１の実施の形態のコイル分離部の他の変形例を示す斜視図である。コイル供給部５Ａは、上述したように、コイル２００を保持したコイル保持シート１００Ａ、１００Ａ１、１００Ａ２、１００Ａ３、１００Ａ４の何れか、第２の実施の形態のコイル保持シート１００Ｂ、１００Ｂ２、１００Ｂ３、１００Ｂ４の何れか、第３の実施の形態のコイル保持シート１００Ｃ、１００Ｃ２、１００Ｃ３、１００Ｃ４の何れか、第４の実施の形態のコイル保持シート１００Ｄ、第５の実施の形態のコイル保持シート１００Ｅあるいは第６の実施の形態のコイル保持シート１００Ｆを収納するコイル収納部５０を備える。図１２８では図示しないが、以下の説明では、図１〜７等で説明したコイル保持シート１００Ａを例に説明する。
【０７０５】
また、コイル供給部５Ａは、コイル保持シート１００Ａからコイル２００を分離する第１の実施の形態の他の変形例のコイル分離部５１Ａ２を備える。更に、図１２８では図示しないが、コイル供給部５Ａは、図１２６に示すように、コイル２００が分離されたコイル保持シート１００Ａを回収するシート回収部を備える。
【０７０６】
コイル収納部５０は、コイル保持シート１００Ａに保持されたコイル２００において、コイル保持シート１００Ａの裏面側に突出する部位の外周面が当接するコイルガイド板５０ａを備える。コイルガイド板５０ａは、本例では上下方向に沿って延在する。コイル収納部５０は、コイルガイド板５０ａの一方の面側に形成された空間に、複数本のコイル２００を支持可能な１枚のコイル保持シート１００Ａが、コイル２００の並列方向を上下とした向きで収納される。
【０７０７】
コイル収納部５０は、コイルガイド板５０ａに開口部５０ｂを備える。開口部５０ｂは、図１等に示すコイル保持シート１００Ａの保持部形成箇所１０３ａの間、すなわち、逃げ穴１０２の配置に合わせて、コイルガイド板５０ａの表裏を貫通した開口を設けて構成される。
【０７０８】
コイル分離部５１Ａ２は、コイル収納部５０に収納されたコイル保持シート１００Ａを搬送するシート搬送ローラ５７と、コイル保持シート１００Ａで保持されたコイル２００が突き当てられる突き当て部５８Ａを備える。
【０７０９】
シート搬送ローラ５７はシート搬送手段の一例で、コイル保持シート１００Ａの搬送方向に対し、突き当て部５８Ａの下流側に設けられる。シート搬送ローラ５７は、コイル保持シート１００Ａを挟持して搬送する。
【０７１０】
コイル分離部５１Ａ２は、複数のシート搬送ローラ５７が、図１等に示すコイル保持シート１００Ａの保持部形成箇所１０３ａの間隔に合わせて同軸上に配置される。これにより、シート搬送ローラ５７は、コイル保持シート１００Ａの保持部形成箇所１０３ａに接した状態で、コイル保持シート１００Ａを搬送する。
【０７１１】
コイル保持シート１００Ａの保持部形成箇所１０３ａは、図１等に示すように、コイル保持列１０３が並列する方向に沿って連続している。これにより、シート搬送ローラ５７でコイル保持シート１００Ａを搬送する途中で、シート搬送ローラ５７がコイル保持シート１００Ａと非接触になることはなく、コイル保持シート１００Ａの確実な搬送が可能である。
【０７１２】
突き当て部５８Ａは、コイル保持シート１００Ａで保持されたコイル２００の搬送経路に設けられ、図１２６に示すように、コイル保持シート１００Ａで支持されたコイル２００の中心Ｏを通る仮想線ＯＬとコイル保持シート１００Ａとの間で、コイル２００の外周と接する高さに突出する。
【０７１３】
突き当て部５８Ａは、本例では、コイル２００の中心Ｏを通る仮想線ＯＬの位置、すなわち、コイル２００の最大径の位置でコイル２００の外周面と接するように、コイル２００の径方向に沿った長さが、コイル２００の半径より長く構成される。また、突き当て部５８Ａは、コイルガイド板５０ａに対して略直交する向きに突出する。更に、突き当て部５８Ａは、コイル２００の軸方向に沿った長さが、コイル２００の軸方向の長さより長く構成される。
【０７１４】
コイル分離部５１Ａ２は、シート搬送ローラ５７でコイル保持シート１００Ａを搬送することで、コイル保持シート１００Ａに保持されたコイル２００を突き当て部５８Ａに突き当て、突き当て部５８Ａに突き当てられたコイル２００をコイル保持シート１００Ａから分離する。
【０７１５】
図１２９は、第１の実施の形態のコイル分離部の他の変形例を示す斜視図である。コイル供給部５Ａは、上述したように、コイル２００を保持したコイル保持シート１００Ａ、１００Ａ１、１００Ａ２、１００Ａ３、１００Ａ４の何れか、第２の実施の形態のコイル保持シート１００Ｂ、１００Ｂ２、１００Ｂ３、１００Ｂ４の何れか、第３の実施の形態のコイル保持シート１００Ｃ、１００Ｃ２、１００Ｃ３、１００Ｃ４の何れか、第４の実施の形態のコイル保持シート１００Ｄ、第５の実施の形態のコイル保持シート１００Ｅあるいは第６の実施の形態のコイル保持シート１００Ｆを収納するコイル収納部５０を備える。図１２８では図示しないが、以下の説明では、図１〜７等で説明したコイル保持シート１００Ａを例に説明する。
【０７１６】
また、コイル供給部５Ａは、コイル保持シート１００Ａからコイル２００を分離する第１の実施の形態の他の変形例のコイル分離部５１Ａ３を備える。更に、図１２９では図示しないが、コイル供給部５Ａは、図１２６に示すように、コイル２００が分離されたコイル保持シート１００Ａを回収するシート回収部を備える。
【０７１７】
コイル収納部５０は、コイル保持シート１００Ａに保持されたコイル２００において、コイル保持シート１００Ａの裏面側に突出する部位の外周面が当接するコイルガイド板５０ａを備える。コイルガイド板５０ａは、本例では上下方向に沿って延在する。コイル収納部５０は、コイルガイド板５０ａの一方の面側に形成された空間に、複数本のコイル２００を支持可能な１枚のコイル保持シート１００Ａが、コイル２００の並列方向を上下とした向きで収納される。
【０７１８】
コイル収納部５０は、コイルガイド板５０ａに開口部５０ｂを備える。開口部５０ｂは、図１等に示すコイル保持シート１００Ａの保持部形成箇所１０３ａの間、すなわち、逃げ穴１０２の配置に合わせて、コイルガイド板５０ａの表裏を貫通した開口を設けて構成される。
【０７１９】
コイル分離部５１Ａ３は、コイル収納部５０に収納されたコイル保持シート１００Ａを搬送するシート搬送ローラ５７と、コイル保持シート１００Ａで保持されたコイル２００が突き当てられる突き当て部５８Ａ１を備える。
【０７２０】
シート搬送ローラ５７はシート搬送手段の一例で、コイル保持シート１００Ａの搬送方向に対し、突き当て部５８Ａ１の下流側に設けられる。シート搬送ローラ５７は、コイル保持シート１００Ａを挟持して搬送する。
【０７２１】
コイル分離部５１Ａ３は、複数のシート搬送ローラ５７が、図１等に示すコイル保持シート１００Ａの保持部形成箇所１０３ａの間隔に合わせて同軸上に配置される。これにより、シート搬送ローラ５７は、コイル保持シート１００Ａの保持部形成箇所１０３ａに接した状態で、コイル保持シート１００Ａを搬送する。
【０７２２】
コイル保持シート１００Ａの保持部形成箇所１０３ａは、図１等に示すように、コイル保持列１０３が並列する方向に沿って連続している。これにより、シート搬送ローラ５７でコイル保持シート１００Ａを搬送する途中で、シート搬送ローラ５７がコイル保持シート１００Ａと非接触になることはなく、コイル保持シート１００Ａの確実な搬送が可能である。
【０７２３】
突き当て部５８Ａ１は、コイル保持シート１００Ａで保持されたコイル２００の搬送経路に設けられ、図１２６に示す突き当て部５８Ａと同様に、コイル保持シート１００Ａで支持されたコイル２００の中心Ｏを通る仮想線ＯＬとコイル保持シート１００Ａとの間で、コイル２００の外周と接する高さに突出する。
【０７２４】
突き当て部５８Ａ１は、本例では、コイル２００の中心Ｏを通る仮想線ＯＬの位置、すなわち、コイル２００の最大径の位置でコイル２００の外周面と接するように、コイル２００の径方向に沿った長さが、コイル２００の半径より長く構成される。また、突き当て部５８Ａ１は、コイルガイド板５０ａに対して略直交する向きに突出する。更に、突き当て部５８Ａ１は、シート搬送ローラ５７の配置、すなわち、図１等に示すコイル保持シート１００Ａの保持部形成箇所１０３ａの間隔に合わせて配置される。
【０７２５】
コイル分離部５１Ａ１は、シート搬送ローラ５７でコイル保持シート１００Ａを搬送することで、コイル保持シート１００Ａに保持されたコイル２００を突き当て部５８Ａ１に突き当て、突き当て部５８Ａ１に突き当てられたコイル２００をコイル保持シート１００Ａから分離する。
【０７２６】
＜第１の実施の形態のコイル分離部の作用効果例＞
図１３０〜図１３２は、第１の実施の形態のコイル分離部の動作の一例を示す側面図であり、次に、各図を参照して、第１の実施の形態のコイル分離部の動作について説明する。
【０７２７】
コイル分離部５１では、図１２６に示す状態から、シート搬送ローラ５７でコイル保持シート１００Ａが搬送されると、図１３０に示すように、コイル保持シート１００Ａに保持されるコイル２００において、矢印ｆで示すコイル保持シート１００Ａの搬送方向に沿った先頭に位置するコイル２００が突き当て部５８Ａに突き当てられる。
【０７２８】
図８及び図９等で説明したように、コイル２００は、コイル保持シート１００Ａに対し裏面側への突出高さより表面側への突出高さが大きくなるようにオフセットした状態で、コイル保持シート１００Ａに保持される。
【０７２９】
これにより、コイル保持シート１００Ａを搬送する動作で、コイル保持シート１００Ａの表面側に突出するコイル２００の最大径の位置を突き当て部５８Ａに押し付けることで、コイル２００をコイル保持シート１００Ａから外す方向の力を生じさせ、コイル２００をコイル保持シート１００Ａから取り外す力を確実に掛けることが可能になる。
【０７３０】
コイル保持シート１００Ａが更に搬送されると、図１３１に示すように、コイル２００がコイルガイド板５０ａに接することで、コイル２００及びコイル保持シート１００Ａがコイルガイド板５０ａ方向には変位せず、コイル２００をコイル保持シート１００Ａから離す方向に力が加えられる。
【０７３１】
これにより、図１等に示すコイル２００によって保持片１０１ｆが押されて保持片１０１ｆが変形し、スリット１０１ｂの幅が広げられてコイル２００がスリット１０１ｂを抜ける。よって、コイル保持シート１００Ａが更に搬送されると、図１３２に示すように、突き当て部５８Ａに突き当てられたコイル２００がコイル保持シート１００Ａから分離される。
【０７３２】
図１等に示すコイル保持シート１００Ａは、逃げ穴１０２ではコイル２００を保持していない。このため、コイル２００を突き当て部５８Ａに突き上げる動作で、逃げ穴１０２が設けられている部位では、コイルガイド板５０ａが設けられていなくても、コイル２００及びコイル保持シート１００Ａはコイルガイド板５０ａ方向には変位しない。そこで、コイルガイド板５０ａに、図１等に示すコイル保持シート１００Ａの保持部形成箇所１０３ａの間、すなわち、逃げ穴１０２の配置に合わせて、コイルガイド板５０ａの表裏を貫通した開口部５０ｂを設けても良い。また、図１等に示すコイル保持シート１００Ａは、逃げ穴１０２ではコイル２００を保持していない。このため、逃げ穴１０２が設けられている部位では、コイル２００を突き当て部５８Ａに突き当てて突き上げる動作を行わなくとも、コイル２００がコイル保持シート１００Ａから分離される。そこで、突き当て部５８Ａに代えて、図１等に示すコイル保持シート１００Ａの保持部形成箇所１０３ａの間、すなわち、逃げ穴１０２の配置に合わせて突き当て部を設けるようにした突き当て部５８Ａ１のような形状に設けても良い。
【０７３３】
＜第２の実施の形態のコイル分離部の構成例＞
図１３３は、第２の実施の形態のコイル分離部の一例を示す斜視図、図１３４は、第２の実施の形態のコイル分離部の一例を示す側面図であり、次に、上述した第１のコイル供給部５Ａを例に、コイル分離部の第２の実施の形態について説明する。
【０７３４】
コイル供給部５Ａは、コイル２００を保持した上述した第１の実施の形態のコイル保持シート１００Ａ、１００Ａ１、１００Ａ２、１００Ａ３、１００Ａ４の何れか、第２の実施の形態のコイル保持シート１００Ｂ、１００Ｂ２、１００Ｂ３、１００Ｂ４の何れか、第３の実施の形態のコイル保持シート１００Ｃ、１００Ｃ２、１００Ｃ３、１００Ｃ４の何れか、第４の実施の形態のコイル保持シート１００Ｄ、第５の実施の形態のコイル保持シート１００Ｅあるいは第６の実施の形態のコイル保持シート１００Ｆを収納するコイル収納部５０を備える。以下の説明では、コイル保持シート１００Ａを例示する。
【０７３５】
また、コイル供給部５Ａは、コイル保持シート１００Ａからコイル２００を分離する第２の実施の形態のコイル分離部５１Ｂを備える。更に、コイル供給部５Ａは、コイル２００が分離されたコイル保持シート１００Ａを回収するシート回収部５３を備える。
【０７３６】
コイル収納部５０は、コイル保持シート１００Ａに保持されたコイル２００において、コイル保持シート１００Ａの裏面側に突出する部位の外周面が当接するコイルガイド板５０ａを備える。コイルガイド板５０ａは、本例では上下方向に沿って延在する。コイル収納部５０は、コイルガイド板５０ａの一方の面側に形成された空間に、複数本のコイル２００を支持可能な１枚のコイル保持シート１００Ａが、コイル２００の並列方向を上下とした向きで収納される。
【０７３７】
コイル分離部５１Ｂは、コイル収納部５０に収納されたコイル保持シート１００Ａを搬送するシート搬送ローラ５７と、コイル保持シート１００Ａで保持されたコイル２００が突き当てられる突き当て部５８Ｂを備える。
【０７３８】
シート搬送ローラ５７はシート搬送手段の一例で、矢印ｆで示すコイル保持シート１００Ａの搬送方向に対し、突き当て部５８Ｂの下流側に設けられる。シート搬送ローラ５７は、対向して配置される一対のローラの少なくとも一方が回転駆動される構成で、コイル保持シート１００Ａを挟持して搬送する。
【０７３９】
コイル分離部５１Ｂは、複数のシート搬送ローラ５７が、図１等に示すコイル保持シート１００Ａの保持部形成箇所１０３ａの間隔に合わせて同軸上に配置される。これにより、シート搬送ローラ５７は、コイル保持シート１００Ａの保持部形成箇所１０３ａに接した状態で、コイル保持シート１００Ａを搬送する。
【０７４０】
コイル保持シート１００Ａの保持部形成箇所１０３ａは、図１等に示すように、コイル保持列１０３が並列する方向に沿って連続している。これにより、シート搬送ローラ５７でコイル保持シート１００Ａを搬送する途中で、シート搬送ローラ５７がコイル保持シート１００Ａと非接触になることはなく、コイル保持シート１００Ａの確実な搬送が可能である。
【０７４１】
突き当て部５８Ｂは、コイル保持シート１００Ａで保持されたコイル２００の搬送経路に設けられ、コイル保持シート１００Ａで支持されたコイル２００の中心Ｏを通る仮想線ＯＬとコイル保持シート１００Ａとの間で、コイル２００の外周と接する高さに突出する。また、突き当て部５８Ｂは、コイル２００の軸方向に沿った長さが、コイル２００の軸方向の長さより長く構成される。
【０７４２】
コイル分離部５１Ｂは、シート搬送ローラ５７でコイル保持シート１００Ａを搬送することで、コイル保持シート１００Ａに保持されたコイル２００を突き当て部５８Ｂに突き当て、突き当て部５８Ｂに突き当てられたコイル２００をコイル保持シート１００Ａから分離する。
【０７４３】
シート回収部５３は、本例ではコイルガイド板５０ａを挟んでコイル収納部５０の裏面側に並列して設けられ、シート搬送ローラ５７で搬送されるコイル保持シート１００Ａの搬送方向を反転させるＵ字状のシート搬送ガイド５３ａを備える。これにより、コイル保持シート１００Ａの搬送方向の長さを大きくすることなく、コイル２００が分離されたコイル保持シート１００Ａを回収する構成を実現できる。
【０７４４】
＜第２の実施の形態のコイル分離部の作用効果例＞
図１３５〜図１３７は、第２の実施の形態のコイル分離部の動作の一例を示す側面図であり、次に、各図を参照して、第２の実施の形態のコイル分離部の動作について説明する。
【０７４５】
コイル分離部５１では、図１３４に示す状態から、シート搬送ローラ５７でコイル保持シート１００Ａが搬送されると、図１３５に示すように、コイル保持シート１００Ａに保持されるコイル２００において、矢印ｆで示すコイル保持シート１００Ａの搬送方向に沿った先頭に位置するコイル２００が突き当て部５８Ｂに突き当てられる。
【０７４６】
図８及び図９等で説明したように、コイル２００は、コイル保持シート１００Ａに対し裏面側への突出高さより表面側への突出高さが大きくなるようにオフセットした状態で、コイル保持シート１００Ａに保持される。
【０７４７】
これにより、コイル保持シート１００Ａを搬送する動作で、コイル保持シート１００Ａの表面側に突出するコイル２００の中心Ｏを通る仮想線ＯＬとコイル保持シート１００Ａとの間の位置を突き当て部５８Ｂに押し付けることで、コイル２００をコイル保持シート１００Ａから外し、かつ、コイル保持シート１００Ａから離す方向の力を生じさせ、コイル２００をコイル保持シート１００Ａから取り外す力を確実に掛けることが可能になる。
【０７４８】
コイル保持シート１００Ａが更に搬送されると、図１３６に示すように、コイル２００がコイルガイド板５０ａに接することで、コイル２００及びコイル保持シート１００Ａがコイルガイド板５０ａ方向には変位せず、コイル２００をコイル保持シート１００Ａから離す方向に力が加えられる。
【０７４９】
これにより、図１等に示すコイル２００によって保持片１０１ｆが押されて保持片１０１ｆが変形し、スリット１０１ｂの幅が広げられてコイル２００がスリット１０１ｂを抜ける。よって、コイル保持シート１００Ａが更に搬送されると、図１３７に示すように、突き当て部５８Ｂに突き当てられたコイル２００がコイル保持シート１００Ａから分離される。
【０７５０】
＜第３の実施の形態のコイル分離部の構成例＞
図１３８は、第３の実施の形態のコイル分離部の一例を示す斜視図、図１３９は、第３の実施の形態のコイル分離部の一例を示す側面図であり、次に、上述した第１のコイル供給部５Ａを例に、コイル分離部の第３の実施の形態について説明する。
【０７５１】
コイル供給部５Ａは、コイル２００を保持した上述した第１の実施の形態のコイル保持シート１００Ａ、１００Ａ１、１００Ａ２、１００Ａ３、１００Ａ４の何れか、第２の実施の形態のコイル保持シート１００Ｂ、１００Ｂ２、１００Ｂ３、１００Ｂ４の何れか、第３の実施の形態のコイル保持シート１００Ｃ、１００Ｃ２、１００Ｃ３、１００Ｃ４の何れか、第４の実施の形態のコイル保持シート１００Ｄ、第５の実施の形態のコイル保持シート１００Ｅあるいは第６の実施の形態のコイル保持シート１００Ｆを収納するコイル収納部５０を備える。以下の説明では、コイル保持シート１００Ａを例示する。
【０７５２】
また、コイル供給部５Ａは、コイル保持シート１００Ａからコイル２００を分離する第３の実施の形態のコイル分離部５１Ｃを備える。更に、コイル供給部５Ａは、コイル２００が分離されたコイル保持シート１００Ａを回収するシート回収部５３を備える。
【０７５３】
コイル収納部５０は、コイル保持シート１００Ａに保持されたコイル２００において、コイル保持シート１００Ａの裏面側に突出する部位の外周面が当接するコイルガイド板５０ａを備える。コイルガイド板５０ａは、本例では上下方向に沿って延在する。コイル収納部５０は、コイルガイド板５０ａの一方の面側に形成された空間に、複数本のコイル２００を支持可能な１枚のコイル保持シート１００Ａが、コイル２００の並列方向を上下とした向きで収納される。
【０７５４】
コイル分離部５１Ｃは、コイル収納部５０に収納されたコイル保持シート１００Ａを搬送するシート搬送ローラ５７と、コイル保持シート１００Ａで保持されたコイル２００が突き当てられる突き当て部５８Ｃを備える。
【０７５５】
シート搬送ローラ５７はシート搬送手段の一例で、矢印ｆで示すコイル保持シート１００Ａの搬送方向に対し、突き当て部５８Ｃの下流側に設けられる。シート搬送ローラ５７は、対向して配置される一対のローラの少なくとも一方が回転駆動される構成で、コイル保持シート１００Ａを挟持して搬送する。
【０７５６】
コイル分離部５１Ｃは、複数のシート搬送ローラ５７が、図１等に示すコイル保持シート１００Ａの保持部形成箇所１０３ａの間隔に合わせて同軸上に配置される。これにより、シート搬送ローラ５７は、コイル保持シート１００Ａの保持部形成箇所１０３ａに接した状態で、コイル保持シート１００Ａを搬送する。
【０７５７】
コイル保持シート１００Ａの保持部形成箇所１０３ａは、図１等に示すように、コイル保持列１０３が並列する方向に沿って連続している。これにより、シート搬送ローラ５７でコイル保持シート１００Ａを搬送する途中で、シート搬送ローラ５７がコイル保持シート１００Ａと非接触になることはなく、コイル保持シート１００Ａの確実な搬送が可能である。
【０７５８】
突き当て部５８Ｃは、コイル保持シート１００Ａで保持されたコイル２００の搬送経路に設けられ、コイル保持シート１００Ａで支持されたコイル２００の中心Ｏを通る仮想線ＯＬとコイル保持シート１００Ａとの間で、コイル２００の外周と接する高さに突出する。
【０７５９】
突き当て部５８Ｃは、コイル２００の径方向に沿った長さが、コイル２００の半径より長く構成される。また、突き当て部５８Ｃは、コイルガイド板５０ａから離れる方向に沿って先端側が下がる方向に傾斜する。更に、突き当て部５８Ｃは、コイル２００の軸方向に沿った長さが、コイル２００の軸方向の長さより長く構成される。
【０７６０】
コイル分離部５１Ｃは、シート搬送ローラ５７でコイル保持シート１００Ａを搬送することで、コイル保持シート１００Ａに保持されたコイル２００を突き当て部５８Ｃに突き当て、突き当て部５８Ｃに突き当てられたコイル２００をコイル保持シート１００Ａから分離する。
【０７６１】
シート回収部５３は、本例ではコイルガイド板５０ａを挟んでコイル収納部５０の裏面側に並列して設けられ、シート搬送ローラ５７で搬送されるコイル保持シート１００Ａの搬送方向を反転させるＵ字状のシート搬送ガイド５３ａを備える。これにより、コイル保持シート１００Ａの搬送方向の長さを大きくすることなく、コイル２００が分離されたコイル保持シート１００Ａを回収する構成を実現できる。
【０７６２】
＜第３の実施の形態のコイル分離部の作用効果例＞
図１４０〜図１４２は、第３の実施の形態のコイル分離部の動作の一例を示す側面図であり、次に、各図を参照して、第３の実施の形態のコイル分離部の動作について説明する。
【０７６３】
コイル分離部５１では、図１３９に示す状態から、シート搬送ローラ５７でコイル保持シート１００Ａが搬送されると、図１４０に示すように、コイル保持シート１００Ａに保持されるコイル２００において、矢印ｆで示すコイル保持シート１００Ａの搬送方向に沿った先頭に位置するコイル２００が突き当て部５８Ｃに突き当てられる。
【０７６４】
図８及び図９等で説明したように、コイル２００は、コイル保持シート１００Ａに対し裏面側への突出高さより表面側への突出高さが大きくなるようにオフセットした状態で、コイル保持シート１００Ａに保持される。
【０７６５】
これにより、コイル保持シート１００Ａを搬送する動作で、コイル保持シート１００Ａの表面側に突出するコイル２００の中心Ｏを通る仮想線ＯＬとコイル保持シート１００Ａとの間の位置を突き当て部５８Ｃに押し付けることで、コイル２００をコイル保持シート１００Ａから外し、かつ、コイル保持シート１００Ａから離す方向の力を生じさせ、コイル２００をコイル保持シート１００Ａから取り外す力を確実に掛けることが可能になる。
【０７６６】
コイル保持シート１００Ａが更に搬送されると、図１４１に示すように、コイル２００がコイルガイド板５０ａに接することで、コイル２００及びコイル保持シート１００Ａがコイルガイド板５０ａ方向には変位せず、コイル２００をコイル保持シート１００Ａから離す方向に力が加えられる。
【０７６７】
これにより、図１等に示すコイル２００によって保持片１０１ｆが押されて保持片１０１ｆが変形し、スリット１０１ｂの幅が広げられてコイル２００がスリット１０１ｂを抜ける。よって、コイル保持シート１００Ａが更に搬送されると、図１４２に示すように、突き当て部５８Ｃに突き当てられたコイル２００がコイル保持シート１００Ａから分離される。
【０７６８】
突き当て部５８Ｃは、コイルガイド板５０ａから離れる方向に沿って先端側が下がる方向に傾斜しているので、コイル保持シート１００Ａから分離されたコイル１００Ａは、コイル保持シート１００Ａから離れる方向に自重により転動し、図１０７等に示すコイル送出部５２に確実に送られる。
【０７６９】
＜本実施の形態のコイル分離部の変形例＞
図１４３は、本実施の形態の綴じ部品分離機構としてのコイル分離部の変形例を示す側面図であり、次に、上述した第１のコイル供給部５Ａを例に、コイル分離部の他の実施の形態について説明する。
【０７７０】
コイル供給部５Ａは、コイル２００を保持した上述した第１の実施の形態のコイル保持シート１００Ａ、１００Ａ１、１００Ａ２、１００Ａ３、１００Ａ４の何れか、第２の実施の形態のコイル保持シート１００Ｂ、１００Ｂ２、１００Ｂ３、１００Ｂ４の何れか、第３の実施の形態のコイル保持シート１００Ｃ、１００Ｃ２、１００Ｃ３、１００Ｃ４の何れか、第４の実施の形態のコイル保持シート１００Ｄ、第５の実施の形態のコイル保持シート１００Ｅあるいは第６の実施の形態のコイル保持シート１００Ｆを収納するコイル収納部５０を備える。以下の説明では、コイル保持シート１００Ａを例示する。
【０７７１】
また、コイル供給部５Ａは、コイル保持シート１００Ａからコイル２００を分離するコイル分離部５１Ｄを備える。
【０７７２】
コイル収納部５０は、コイル保持シート１００Ａに保持されたコイル２００において、コイル保持シート１００Ａの裏面側に突出する部位の外周面が当接するコイルガイド板５０ａを備える。コイルガイド板５０ａは、本例では上下方向に沿って延在する。コイル収納部５０は、コイルガイド板５０ａの一方の面側に形成された空間に、複数本のコイル２００を支持可能な１枚のコイル保持シート１００Ａが、コイル２００の並列方向を上下とした向きで収納される。
【０７７３】
コイル分離部５１Ｄは、コイル保持シート１００Ａで保持されたコイル２００に突き当てられる突き当て部５８Ｄを備える。
【０７７４】
突き当て部５８Ｄは、コイル保持シート１００Ａに沿って移動することで、コイル保持シート１００Ａで保持されたコイル２００に突き当てられる位置に設けられ、コイル保持シート１００Ａで支持されたコイル２００の中心Ｏを通る仮想線ＯＬとコイル保持シート１００Ａとの間で、コイル２００の外周と接する高さに突出する。
【０７７５】
突き当て部５８Ｄは、本例では、コイル２００の中心Ｏを通る仮想線ＯＬの位置、すなわち、コイル２００の最大径の位置でコイル２００の外周面と接するように、コイル２００の径方向に沿った長さが、コイル２００の半径より長く構成される。また、突き当て部５８Ｄは、コイルガイド板５０ａに対して略直交する向きに突出する。
【０７７６】
コイル分離部５１Ｄは、図示しない送り手段によって突き当て部５８Ｄをコイル保持シート１００Ａに沿って矢印ｇ方向に移動させることで、コイル保持シート１００Ａに保持されたコイル２００に突き当て部５８Ｄが突き当てられ、コイル２００をコイル保持シート１００Ａから分離する。
【０７７７】
図１４４は、本実施の形態のコイル分離部の他の変形例を示す側面図である。コイル供給部５Ａは、コイル保持シート１００Ａからコイル２００を分離するコイル分離部５１Ｅを備える。
【０７７８】
コイル収納部５０は、コイル保持シート１００Ａに保持されたコイル２００において、コイル保持シート１００Ａの裏面側に突出する部位の外周面が当接するコイルガイド板５０ａを備える。コイルガイド板５０ａは、本例では上下方向に沿って延在する。コイル収納部５０は、コイルガイド板５０ａの一方の面側に形成された空間に、複数本のコイル２００を支持可能な１枚のコイル保持シート１００Ａが、コイル２００の並列方向を上下とした向きで収納される。
【０７７９】
コイル分離部５１Ｅは、コイル収納部５０に収納されたコイル保持シート１００Ａを搬送するシート搬送ローラ５７Ｅを備える。シート搬送ローラ５７Ｅはシート搬送手段の一例で、一対のローラでコイル保持シート１００Ａを挟持して搬送する。
【０７８０】
シート搬送ローラ５７Ｅは、コイル保持シート１００Ａで支持されたコイル２００の中心Ｏを通る仮想線ＯＬとコイル保持シート１００Ａとの間で、コイル２００の外周と接する直径を有する。
【０７８１】
コイル分離部５１Ｅは、シート搬送ローラ５７Ｅでコイル保持シート１００Ａを搬送することで、コイル保持シート１００Ａに保持されたコイル２００がシート搬送ローラ５７Ｅに突き当てられ、シート搬送ローラ５７Ｅに突き当てられたコイル２００がコイル保持シート１００Ａから分離される。本例では、シート搬送ローラ５７Ｅが、突き当て部の機能を発揮する。
【０７８２】
図１４５は、本実施の形態の綴じ部品分離機構としてのコイル分離部の他の変形例を示す側面図である。コイル供給部５Ａは、コイル保持シート１００Ａからコイル２００を分離するコイル分離部５１Ｆを備える。
【０７８３】
コイル分離部５１Ｆは、コイル収納部５０に収納されたコイル保持シート１００Ａを搬送する第１のシート搬送ローラ５７Ｆ１と第２のシート搬送ローラ５７Ｆ２を備える。第１のシート搬送ローラ５７Ｆ１と第２のシート搬送ローラ５７Ｆ２はシート搬送手段の一例で、一対のローラでコイル保持シート１００Ａを挟持して搬送する。
【０７８４】
第１のシート搬送ローラ５７Ｆ１は、コイル保持シート１００Ａに対し裏面側への突出高さより表面側への突出高さが大きくなるようにオフセットした状態で、コイル保持シート１００Ａに保持されたコイル２００において、コイル保持シート１００Ａの表面側に突出したコイル２００の中心Ｏを通る仮想線ＯＬとコイル保持シート１００Ａとの間で、コイル２００の外周と接する直径を有する。
【０７８５】
第２のシート搬送ローラ５７Ｆ２は、第１のシート搬送ローラ５７Ｆ１より搬送方向の上流側で、コイル保持シート１００Ａの裏面側に突出したコイル２００の外周と接する直径を有する。このため、第１のシート搬送ローラ５７Ｆ１に対して第２のシート搬送ローラ５７Ｆ２の直径が大きく構成される。
【０７８６】
コイル分離部５１Ｆは、第１のシート搬送ローラ５７Ｆ１と第２のシート搬送ローラ５７Ｆ２でコイル保持シート１００Ａを搬送することで、コイル保持シート１００Ａに保持されたコイル２００が第１のシート搬送ローラ５７Ｆ１に突き当てられる。
【０７８７】
また、コイル保持シート１００Ａが搬送されると、コイル保持シート１００Ａの裏面側に突出したコイル２００が第２のシート搬送ローラ５７Ｆ２に接することで、コイル２００及びコイル保持シート１００Ａが第２のシート搬送ローラ５７Ｆ２方向には変位せず、コイル２００をコイル保持シート１００Ａから離す方向に力が加えられる。これにより、第１のシート搬送ローラ５７Ｆ１に突き当てられたコイル２００がコイル保持シート１００Ａから分離される。従って、図１２６等に示すコイルガイド板５０ａを備えることなく、第２のシート搬送ローラ５７Ｆ２でコイル２００を支持することができる。すなわち、本例では、第１のシート搬送ローラ５７Ｆ１は、綴じ部品であるコイル２００の外周面に突き当てられる突き当て部の機能を発揮し、第２のシート搬送ローラ５７Ｆ２は、綴じ部品であるコイル２００及び綴じ部品保持シートであるコイル保持シート１００Ａの変位を押さえる押さえ部の機能を発揮する。
【０７８８】
＜各実施の形態の製本装置の制御機能例＞
図１４６は、各実施の形態の製本装置の制御機能の一例を示すブロック図で、次に、図１１８で説明した第４の実施の形態の製本装置１Ｄを例に制御機能について説明する。
【０７８９】
製本装置１Ｄは、操作部６００での設定、操作、画像形成装置５００の操作部５０１での設定、操作に従い、画像形成装置５００の制御部５０２及び制御部７００により図１１８に示す各構成が制御されて、画像形成装置５００での画像形成処理と連動して、コイル２００を使用した製本処理が行われる。
【０７９０】
製本装置１Ｄは、図１１８で図示していない構成として、利用者の操作を受ける操作部６００を備える。操作部６００は、表示部６０１と入力部６０２を備える。また、製本装置１Ｄは、第１の搬送路１０及び第２の搬送路１１で用紙を搬送するモータ、用紙位置を検知するセンサ等で構成される用紙搬送部６０３を備える。
【０７９１】
製本装置１Ｄは、用紙整列部３で図１１１に示す用紙束３０２の厚さを検知する冊子厚検知部６０４を備える。また、製本装置１Ｄは、装置の正面に設けられた図示しないドアの開閉を検知するドア開閉検知部６０５を備える。製本装置１Ｄは、ドアを開けることで、内部の保守点検が可能である。
【０７９２】
製本装置１Ｄは、コイル供給部５Ｄにおいて、第１のコイル収納部５０１の装填の有無を検知する装填検知部６０６１を備える。また、第１のコイル収納部５０１に収納されたコイル２００の径、色等のコイル情報を検知するコイル情報検知部６０７１を備える。更に、製本装置１Ｄは、図１２６等に示すシート搬送ローラ５７を駆動してコイル保持シート１００Ａ等を搬送するシート送り部６０８１を備える。
【０７９３】
また、製本装置１Ｄは、第１のコイル収納部５０１をコイル供給部５Ｄに対して着脱不可とするロック及び着脱可能とするロックの解除を行うロック部６０９１を備える。更に、第１のコイル収納部５０１に収納したコイル２００の径、色等のコイル情報等を表示する表示部６１０１を備える。
【０７９４】
製本装置１Ｄは、コイル供給部５Ｄにおいて、第２のコイル収納部５０２の装填の有無を検知する装填検知部６０６２を備える。また、第２のコイル収納部５０２に収納されたコイル２００の径、色等のコイル情報を検知するコイル情報検知部６０７２を備える。更に、製本装置１Ｄは、図１２６等に示すシート搬送ローラ５７を駆動してコイル保持シート１００Ａ等を搬送するシート送り部６０８２を備える。
【０７９５】
また、製本装置１Ｄは、第２のコイル収納部５０２をコイル供給部５Ｄに対して着脱不可とするロック及び着脱可能とするロックの解除を行うロック部６０９２を備える。更に、第２のコイル収納部５０２に収納したコイル２００の径、色等のコイル情報等を表示する表示部６１０２を備える。
【０７９６】
以上の例では、コイル収納部が２組設けられた例で説明したが、３組以上でも同様の構成を備える。
【０７９７】
画像形成装置５００は、操作部５０１として、表示部５０３と入力部５０４を備える。また、画像形成装置５００は、用紙の紙種、坪量、画像形成枚数等の設定に基づき、製本装置１Ｄで製本処理する用紙束の厚さを検知する用紙厚検知部５０５を備える。画像形成装置５００は、外部のパーソナルコンピュータ８００と接続されていても良い。
【０７９８】
製本装置１Ｄでは、ドア開閉検知部６０５で図示しないドアが開いたことを検知すると、制御部７００は、製本処理を実行している場合であれば、上述した用紙３００の搬送処理、用紙３００の穴開け処理、用紙３００の整列処理、コイル２００を使用した用紙束３０２の綴じ処理及びコイル２００で綴じられた冊子３０４の排出処理を停止する。
【０７９９】
これに対し、コイル供給部５Ｄにおいて、複数のコイル収納部の何れか、本例では、第１のコイル収納部５０１あるいは第２のコイル収納部５０２の一方が装着されていれば、他方のコイル収納部が引き出されても、製本処理を継続する。
【０８００】
例えば、第１のコイル収納部５０１と第２のコイル収納部５０２で同一種類のコイル２００が収納されている場合、第１のコイル収納部５０１が取り外されたことを装填検知部６０６１で検知すると、制御部７００は、第１のコイル収納部５０１からのコイル２００の供給を停止し、第２のコイル収納部５０２のシート送り部６０８２を駆動して、第２のコイル収納部５０２からコイル２００を供給する。
【０８０１】
第２のコイル収納部５０２からコイル２００を供給している間は、第２のコイル収納部５０２が引き出されることを防止するため、ロック部６０９２で第２のコイル収納部５０２を引き出し不可にロックする。また、表示部６１０２で、第２のコイル収納部５０２からコイル２００供給していることを表示する。ロック部６０９２でのロックの解除は、製本処理の未実行時に、所定の操作で行えるようにする。なお、表示部６１０２で使用中であることを出力することで、ロック部６０９２を備えない構成としても良い。
【０８０２】
第２のコイル収納部５０２が取り外されたことを装填検知部６０６２で検知すると、制御部７００は、第２のコイル収納部５０２からのコイル２００の供給を停止し、第１のコイル収納部５０１のシート送り部６０８１を駆動して、第１のコイル収納部５０１からコイル２００を供給する。
【０８０３】
第１のコイル収納部５０１からコイル２００を供給している間は、第１のコイル収納部５０１が引き出されることを防止するため、ロック部６０９１で第１のコイル収納部５０１を引き出し不可にロックする。また、表示部６１０１で、第１のコイル収納部５０１からコイル２００供給していることを表示する。ロック部６０９１でのロックの解除は、製本処理の未実行時に、所定の操作で行えるようにする。なお、表示部６１０１で使用中であることを出力することで、ロック部６０９１を備えない構成としても良い。これにより、第１のコイル収納部５０１及び第２のコイル収納部５０２に収納可能なコイル２００の数を越えても、連続した製本処理が可能である。
【０８０４】
第１のコイル収納部５０１及び第２のコイル収納部５０２に収納されているコイル２００の種類は、コイル情報検知部６０７１及びコイル情報検知部６０７２を構成する図示しないセンサで検知し、制御部７００の記憶部に記憶する。また、コイル情報検知部６０７１及びコイル情報検知部６０７２として、製本装置１Ｄの操作部６００、あるいは、画像形成装置５００の操作部５０１で入力されたコイル情報からコイルの種類を取得しても良い。
【０８０５】
制御部７００は、コイル情報検知部６０７１及びコイル情報検知部６０７２で検知したコイル情報から、両方のコイル収納部で同一種類のコイル２００を収納していると判断すると、コイル２００の供給元を、上述したように第１のコイル収納部５０１と第２のコイル収納部５０２で切り替える処理を実行する。
【０８０６】
また、第１のコイル収納部５０１と第２のコイル収納部５０２で収納しているコイル２００で直径が違う、色が違う等、コイルの種類が違うと判断すると、制御部７００は、表示部６０１でコイルの交換を促す操作誘導等を行い、製本処理を一時停止する。
【０８０７】
更に、第１のコイル収納部５０１と第２のコイル収納部５０２のどちらか一方が故障したと判断すると、制御部７００は、稼働可能なコイル収納部からのコイル２００の供給を行うと共に、故障したコイル収納部からのコイルの供給を停止する。また、故障したコイル収納部を特定する情報を、製本装置１Ｄの表示部６０１、画像形成装置５００の表示部５０３に出力して、ユーザに通知する。また、各コイル収納部に備えた表示部６１０１、６１０２で、故障の有無等を出力しても良い。
【０８０８】
制御部７００は、第１のコイル収納部５０１及び第２のコイル収納部５０２に収納されたコイル２００の本数、残数を、コイル情報検知部６０７１及びコイル情報検知部６０７２を構成する図示しないセンサ、綴じ処理数等から取得する。これにより、制御部７００は、第１のコイル収納部５０１及び第２のコイル収納部５０２に収納されたコイル２００が無くなったこと、残数が少なくなったことを判断する。
【０８０９】
そこで、コイル２００の供給元を、上述したように第１のコイル収納部５０１と第２のコイル収納部５０２で切り替える処理では、制御部７００は、一方のコイル収納部に収納されたコイル２００が無くなったと判断すると、コイルの供給元を他方のコイル収納部に切り替える。
【０８１０】
また、制御部７００は、コイル２００の残数が所定数以下になったと判断すると、作成すべき冊子の数、すなわち、製本処理の残数がコイル２００の残数より多いか否か判断する。製本処理の残数がコイル２００の残数より多いと判断すると、１冊分の画像形成処理を終了させて、画像形成装置５００での画像形成処理を一時停止させると共に、１冊分の製本処理が終了すると、製本処理を一時停止する。制御部７００は、コイル７００が補充され、製本処理の残数よりコイル２００の残数が多いと判断すると、画像形成処理を再開させると共に、製本処理を再開する。これにより、印刷済の用紙が無駄になることを防ぐことができる。
【０８１１】
制御部７００は、第１のコイル収納部５０１及び第２のコイル収納部５０２に収納されたコイル２００の直径、色等のコイル情報を、コイル情報検知部６０７１及びコイル情報検知部６０７２から取得する。これにより、利用者が操作部６００等で指定した色のコイル２００を選択した製本処理が可能である。また、用紙の種類、用紙の坪量、用紙の枚数等から冊子厚検知部６０４で取得した用紙束の厚さに対応したコイル２００を選択した製本処理が可能である。
【０８１２】
すなわち、用紙の枚数情報や、用紙整列後の用紙束の厚さ情報と、コイル２００の径情報から最適なコイルの径を判断し、コイル情報検知部６０７１及び６０７２等で取得したコイル収納部に収納されているコイル２００の径情報との比較で、所定のコイル２００を選択して製本処理を行う。コイル収納部が単一である場合、適正な径のコイル２００が収納されていないと判断すると、製本処理を一時停止し、コイル２００の交換を促す。
【０８１３】
また、コイル２００の適正な径を表示部６０１で表示して、ユーザに確認させ、適正な径のコイル２００が収納されていると判断すると、製本処理を実行し、適正な径のコイル２００が収納されていないと判断すると、製本処理を一時停止し、コイル２００の交換を促す。
【０８１４】
更に、適正な径のコイル２００が収納されていない場合、代替できる径のコイルがあるか判断し、代替できる径のコイルが収納されていると判断すると、製本処理を一時停止し、処理の継続の有無をユーザに確認させる操作誘導を行う。
【０８１５】
また、適正な径のコイル２００が収納されていない場合、代替できる径のコイルがあるか判断し、代替できる径のコイルが収納されていると判断すると、ユーザの確認無に、代替の径のコイル２００を使用しての製本処理を継続しても良い。
【０８１６】
コイルの色についても同様に、ユーザが選択したコイルの色と、コイル情報検知部６０７１及び６０７２等で取得したコイル収納部に収納されているコイル２００の色情報との比較で、所定の色のコイル２００を選択して製本処理を行う。コイル収納部が単一である場合、適正な色のコイル２００が収納されていないと判断すると、製本処理を一時停止し、コイル２００の交換を促す。
【０８１７】
画像形成装置５００で複数のジョブが連続して行われる場合、１冊目の製本処理で用紙束の厚さとコイル２００の直径を判断し、２冊目以降は同じ直径のコイルを使用して製本処理を行う。また、冊子厚が異なると、製本処理を一時停止する。
【０８１８】
上述したコイル情報としては、コイル２００の直径、ピッチ、コイル２００の色、綴じ対象の用紙のサイズ、コイル２００の残数を取得できるようにする。コイルの直径は、センサによる検知、コイル保持シートに設けた識別情報による検知、製本装置の操作部での入力、画像形成装置の操作部での入力等により取得される。コイルの色は、センサによる検知、コイル保持シートに設けた識別情報による検知、製本装置の操作部での入力、画像形成装置の操作部での入力等により取得される。コイル情報の記録は、バーコード等のコード情報、磁気カード、ＲＦＩＤタグ等により行われる。綴じ対象となる用紙の枚数情報は、画像形成装置で認識する枚数情報、用紙整列部３での用紙束厚の検知、搬送枚数の係数等により行われる。
【符号の説明】
【０８１９】
１Ａ〜１Ｆ・・・製本装置、２・・・パンチ部、３・・・用紙整列部、４・・・綴じ部、５Ａ〜５Ｆ・・・コイル供給部、６Ａ〜６Ｅ・・・コイル搬送部、７・・・排出部、１００Ａ・・・コイル保持シート、１０１・・保持部、１０１ａ・・・押し上げ片、１０１ｂ・・・スリット、１０１ｃ・・・切り込み、１０１ｄ・・・折り曲げ部、１０１ｆ・・・保持片、１０２・・・逃げ穴、１０３・・・コイル保持列、１０３ａ・・・保持部形成箇所、１０３ｂ・・・連結部、２００・・・コイル
【図１】
0006519448.tif 000002
【図２】
0006519448.tif 000003
【図３】
0006519448.tif 000004
【図４】
0006519448.tif 000005
【図５】
0006519448.tif 000006
【図６】
0006519448.tif 000007
【図７】
0006519448.tif 000008
【図８】
0006519448.tif 000009
【図９】
0006519448.tif 000010
【図１０】
0006519448.tif 000011
【図１１】
0006519448.tif 000012
【図１２】
0006519448.tif 000013
【図１３】
0006519448.tif 000014
【図１４】
0006519448.tif 000015
【図１５】
0006519448.tif 000016
【図１６】
0006519448.tif 000017
【図１７】
0006519448.tif 000018
【図１８】
0006519448.tif 000019
【図１９】
0006519448.tif 000020
【図２０】
0006519448.tif 000021
【図２１】
0006519448.tif 000022
【図２２】
0006519448.tif 000023
【図２３】
0006519448.tif 000024
【図２４】
0006519448.tif 000025
【図２５】
0006519448.tif 000026
【図２６】
0006519448.tif 000027
【図２７】
0006519448.tif 000028
【図２８】
0006519448.tif 000029
【図２９】
0006519448.tif 000030
【図３０】
0006519448.tif 000031
【図３１】
0006519448.tif 000032
【図３２】
0006519448.tif 000033
【図３３】
0006519448.tif 000034
【図３４】
0006519448.tif 000035
【図３５】
0006519448.tif 000036
【図３６】
0006519448.tif 000037
【図３７】
0006519448.tif 000038
【図３８】
0006519448.tif 000039
【図３９】
0006519448.tif 000040
【図４０】
0006519448.tif 000041
【図４１】
0006519448.tif 000042
【図４２】
0006519448.tif 000043
【図４３】
0006519448.tif 000044
【図４４】
0006519448.tif 000045
【図４５】
0006519448.tif 000046
【図４６】
0006519448.tif 000047
【図４７】
0006519448.tif 000048
【図４８】
0006519448.tif 000049
【図４９】
0006519448.tif 000050
【図５０】
0006519448.tif 000051
【図５１】
0006519448.tif 000052
【図５２】
0006519448.tif 000053
【図５３】
0006519448.tif 000054
【図５４】
0006519448.tif 000055
【図５５】
0006519448.tif 000056
【図５６】
0006519448.tif 000057
【図５７】
0006519448.tif 000058
【図５８】
0006519448.tif 000059
【図５９】
0006519448.tif 000060
【図６０】
0006519448.tif 000061
【図６１】
0006519448.tif 000062
【図６２】
0006519448.tif 000063
【図６３】
0006519448.tif 000064
【図６４】
0006519448.tif 000065
【図６５】
0006519448.tif 000066
【図６６】
0006519448.tif 000067
【図６７】
0006519448.tif 000068
【図６８】
0006519448.tif 000069
【図６９】
0006519448.tif 000070
【図７０】
0006519448.tif 000071
【図７１】
0006519448.tif 000072
【図７２】
0006519448.tif 000073
【図７３】
0006519448.tif 000074
【図７４】
0006519448.tif 000075
【図７５】
0006519448.tif 000076
【図７６】
0006519448.tif 000077
【図７７】
0006519448.tif 000078
【図７８】
0006519448.tif 000079
【図７９】
0006519448.tif 000080
【図８０】
0006519448.tif 000081
【図８１】
0006519448.tif 000082
【図８２】
0006519448.tif 000083
【図８３】
0006519448.tif 000084
【図８４】
0006519448.tif 000085
【図８５】
0006519448.tif 000086
【図８６】
0006519448.tif 000087
【図８７】
0006519448.tif 000088
【図８８】
0006519448.tif 000089
【図８９】
0006519448.tif 000090
【図９０】
0006519448.tif 000091
【図９１】
0006519448.tif 000092
【図９２】
0006519448.tif 000093
【図９３】
0006519448.tif 000094
【図９４】
0006519448.tif 000095
【図９５】
0006519448.tif 000096
【図９６】
0006519448.tif 000097
【図９７】
0006519448.tif 000098
【図９８】
0006519448.tif 000099
【図９９】
0006519448.tif 000100
【図１００】
0006519448.tif 000101
【図１０１】
0006519448.tif 000102
【図１０２】
0006519448.tif 000103
【図１０３】
0006519448.tif 000104
【図１０４】
0006519448.tif 000105
【図１０５】
0006519448.tif 000106
【図１０６】
0006519448.tif 000107
【図１０７】
0006519448.tif 000108
【図１０８】
0006519448.tif 000109
【図１０９】
0006519448.tif 000110
【図１１０】
0006519448.tif 000111
【図１１１】
0006519448.tif 000112
【図１１２】
0006519448.tif 000113
【図１１３】
0006519448.tif 000114
【図１１４】
0006519448.tif 000115
【図１１５】
0006519448.tif 000116
【図１１６】
0006519448.tif 000117
【図１１７】
0006519448.tif 000118
【図１１８】
0006519448.tif 000119
【図１１９】
0006519448.tif 000120
【図１２０】
0006519448.tif 000121
【図１２１】
0006519448.tif 000122
【図１２２】
0006519448.tif 000123
【図１２３】
0006519448.tif 000124
【図１２４】
0006519448.tif 000125
【図１２５】
0006519448.tif 000126
【図１２６】
0006519448.tif 000127
【図１２７】
0006519448.tif 000128
【図１２８】
0006519448.tif 000129
【図１２９】
0006519448.tif 000130
【図１３０】
0006519448.tif 000131
【図１３１】
0006519448.tif 000132
【図１３２】
0006519448.tif 000133
【図１３３】
0006519448.tif 000134
【図１３４】
0006519448.tif 000135
【図１３５】
0006519448.tif 000136
【図１３６】
0006519448.tif 000137
【図１３７】
0006519448.tif 000138
【図１３８】
0006519448.tif 000139
【図１３９】
0006519448.tif 000140
【図１４０】
0006519448.tif 000141
【図１４１】
0006519448.tif 000142
【図１４２】
0006519448.tif 000143
【図１４３】
0006519448.tif 000144
【図１４４】
0006519448.tif 000145
【図１４５】
0006519448.tif 000146
【図１４６】
0006519448.tif 000147